(57)【要約】【課題】表示エッジのボケ、量子化ノイズ、またはチラツキなどを防止した、若しくは消費電力を十分に低減した表示装置を提供する。【解決手段】液晶表示装置１−１は、ＲＧＢの絵素からなる画素を配置した液晶パネル１２に画像を表示する。入力画像データの解像度が、液晶パネル１２の解像度と異なる場合には、解像度変換して表示する。入力画像データの画素ごとに、この画素が液晶パネル１２において占めるべき領域に含まれる全ての絵素に対して、この画素の値を反映させる。演算器６−１は、全ての絵素による色度と、入力画像データの画素による色度との色差が最小となるように各絵素の階調を決定する。入力画像データの画素が、この画素の占めるべき領域に含まれる全ての絵素によって表現されるので、忠実な画像表示が可能となり、表示エッジのボケを低減できる。【選択図】　図１
2004117752.tif 000002
【特許請求の範囲】
【請求項１】
複数のサブ画素からなる画素を所定の解像度にて配置した表示パネルを有し、このサブ画素を駆動して画像を上記表示パネルに表示する表示装置において、
入力画像データを、上記表示パネルの上記解像度に対応した、上記サブ画素ごとのデータへと解像度変換をする解像度変換手段を備え、
上記解像度変換手段は、上記入力画像データの画素ごとに、この画素が上記表示パネルにおいて占めるべき領域に含まれる全てのサブ画素のデータへと、この画素のデータを反映させることによって上記解像度変換をすることを特徴とする表示装置。
【請求項２】
所定数のサブ画素からなる画素を所定の解像度にて配置した表示パネルを有し、このサブ画素を駆動して画像を上記表示パネルに表示する表示装置において、入力画像データを、上記表示パネルの上記解像度に対応した、上記サブ画素ごとのデータへと解像度変換をする解像度変換手段を備え、
上記解像度変換手段は、上記入力画像データの画素が上記表示パネルにおいて占めるべき領域に含まれるサブ画素の数が、上記所定数よりも大きいときは、所定の視角の範囲において、上記サブ画素による階調輝度特性と上記入力画像データの画素による階調輝度特性との歪みが小さくなるように、上記サブ画素のデータを決定することによって上記解像度変換をすることを特徴とする表示装置。
【請求項３】
所定数のサブ画素からなる画素を所定の解像度にて配置した表示パネルを有し、このサブ画素を駆動して画像を上記表示パネルに表示する表示装置において、入力画像データを、上記表示パネルの上記解像度に対応した、上記サブ画素ごとのデータへと解像度変換をする解像度変換手段を備え、
上記解像度変換手段は、上記入力画像データの画素が上記表示パネルにおいて占めるべき領域に含まれるサブ画素の数が、上記所定数よりも大きいときは、所定の視角の範囲において、上記サブ画素による階調輝度特性と上記入力画像データの画素による階調輝度特性との歪みが大きくなるように、上記サブ画素のデータを決定することによって上記解像度変換をすることを特徴とする表示装置。
【請求項４】
所定数のサブ画素からなる画素を所定の解像度にて配置した表示パネルを有し、このサブ画素を駆動して画像を上記表示パネルに表示する表示装置において、入力画像データを、上記表示パネルの上記解像度に対応した、上記サブ画素ごとのデータへと解像度変換をする解像度変換手段と、
上記解像度変換手段の解像度変換において、視角特性を調整する視角特性調整手段とを備え、
上記解像度変換手段は、上記入力画像データの画素が上記表示パネルにおいて占めるべき領域に含まれるサブ画素の数が、上記所定数よりも大きいときは、所定の視角の範囲における、上記サブ画素による階調輝度特性と上記入力画像データの画素による階調輝度特性との歪みを、上記視角特性調整手段の上記調整に応じて、小さくなるように、または大きくなるように、上記サブ画素のデータを決定することによって上記解像度変換をすることを特徴とする表示装置。
【請求項５】
所定数のサブ画素からなる画素を所定の解像度にて配置した表示パネルを有し、このサブ画素を駆動して画像を上記表示パネルに表示する表示装置において、入力画像データを、上記表示パネルの上記解像度に対応した、上記サブ画素ごとのデータへと解像度変換をする解像度変換手段を備え、
上記解像度変換手段は、上記入力画像データの画素が上記表示パネルにおいて占めるべき領域に含まれるサブ画素の数が、上記所定数よりも大きいときは、所定の視角の範囲において、上記サブ画素による色度と上記入力画像データの画素による色度との色差が小さくなるように、上記サブ画素のデータを決定することによって上記解像度変換をすることを特徴とする表示装置。
【請求項６】
所定数のサブ画素からなる画素を所定の解像度にて配置した表示パネルを有し、このサブ画素を駆動して画像を上記表示パネルに表示する表示装置において、入力画像データを、上記表示パネルの上記解像度に対応した、上記サブ画素ごとのデータへと解像度変換をする解像度変換手段を備え、
上記解像度変換手段は、上記入力画像データの画素が上記表示パネルにおいて占めるべき領域に含まれるサブ画素の数が、上記所定数よりも大きいときは、所定の視角の範囲において、上記サブ画素による色度と上記入力画像データの画素による色度との色差が大きくなるように、上記サブ画素のデータを決定することによって上記解像度変換をすることを特徴とする表示装置。
【請求項７】
所定数のサブ画素からなる画素を所定の解像度にて配置した表示パネルを有し、このサブ画素を駆動して画像を上記表示パネルに表示する表示装置において、入力画像データを、上記表示パネルの上記解像度に対応した、上記サブ画素ごとのデータへと解像度変換をする解像度変換手段と、
上記解像度変換手段の解像度変換において、視角特性を調整する視角特性調整手段とを備え、
上記解像度変換手段は、上記入力画像データの画素が上記表示パネルにおいて占めるべき領域に含まれるサブ画素の数が、上記所定数よりも大きいときは、所定の視角の範囲における、上記サブ画素による色度と上記入力画像データの画素による色度との色差を、上記視角特性調整手段の上記調整に応じて、小さくなるように、または大きくなるように、上記サブ画素のデータを決定することによって上記解像度変換をすることを特徴とする表示装置。
【請求項８】
上記解像度変換手段は、上記入力画像データの画素のデータが反映されて得られるサブ画素のデータの組を、複数有しており、
このサブ画素のデータの組をフレーム毎に切り替えて、画像を上記表示パネルに表示することを特徴とする請求項１ないし７のいずれか１項に記載の表示装置。
【請求項９】
基準電圧を生成して出力する階調電源生成部を備え、この階調電源生成部から出力される上記基準電圧を用いて画像を表示パネルに表示する表示装置において、
階調輝度カーブの設定変更、色温度の設定変更、またはカラーバランスの設定変更をするための設定変更手段と、
上記設定変更手段からの指示に応じて、上記階調電源生成部に制御信号を出力して、上記基準電圧を変化させる基準電圧調整手段とを備えていることを特徴とする表示装置。
【請求項１０】
基準電圧を生成して出力する階調電源生成部と、
上記解像度変換手段の解像度変換に応じて、上記階調電源生成部に制御信号を出力して、上記基準電圧を変化させる基準電圧調整手段とを備え、
上記階調電源生成部から出力される上記基準電圧を用いて画像を表示パネルに表示することを特徴とする請求項２ないし７のいずれか１項に記載の表示装置。
【請求項１１】
出力階調に応じた画像を表示パネルに表示する表示装置において、
階調輝度カーブの設定変更、色温度の設定変更、またはカラーバランスの設定変更をするための設定変更手段と、
上記設定変更手段からの指示に応じて、出力する階調データを複数フレーム間において変化させるデータ切り替え手段とを備え、
上記データ切り替え手段からの出力階調によって、所望の中間階調の画像を上記表示パネルに表示することを特徴とする表示装置。
【請求項１２】
上記解像度変換手段の解像度変換に応じて、出力する階調データを複数フレーム間において変化させるデータ切り替え手段を備え、
上記データ切り替え手段からの出力階調によって、所望の中間階調の画像を上記表示パネルに表示することを特徴とする請求項２ないし７のいずれか１項に記載の表示装置。
【請求項１３】
表示パネルに所定の解像度にて配置された画素を駆動するために、入力画像データを解像度変換して生成した画像信号を、ゲートバスラインを介してゲートドライバに供給する画像信号供給手段と、上記画像信号に基づいて、上記画素を駆動して上記表示パネルに画像を表示するゲートドライバとを備えた表示装置において、
上記画像信号供給手段は、上記入力画像データを、より大きな上記所定の解像度の上記画像信号へと解像度変換するときには、複数の上記ゲートバスラインを同時にオープンして、上記画像信号を上記ゲートドライバに供給することを特徴とする表示装置。
【請求項１４】
表示パネルに所定の解像度にて配置された画素を駆動するために、入力画像データを解像度変換して生成した画像信号を、ゲートバスラインを介してゲートドライバに供給する画像信号供給手段と、
上記画像信号に基づいて、上記画素を駆動して上記表示パネルに画像を表示するゲートドライバとを備え、
上記画像信号供給手段は、上記入力画像データを、より大きな上記所定の解像度の上記画像信号へと解像度変換するときには、複数の上記ゲートバスラインを同時にオープンして、上記データ切り替え手段からの出力階調としての上記画像信号を、上記ゲートドライバに供給することを特徴とする請求項１１に記載の表示装置。
【請求項１５】
クロックを生成するクロック発生器と、このクロック発生器において生成された上記クロックに基づいて、入力画像データから画像信号を生成して出力する画像信号供給手段とを備え、上記画像信号供給手段からの上記画像信号に基づいて画像の表示を行う表示装置において、
上記画像信号供給手段には、上記クロック発生器から上記クロックが直接供給されることを特徴とする表示装置。
【請求項１６】
クロックを生成するクロック発生器と、このクロック発生器において生成された上記クロックに基づいて、入力画像データから画像信号を生成して出力する画像信号供給手段とを備え、上記画像信号供給手段からの上記画像信号に基づいて画像の表示を行う表示装置において、
上記画像信号供給手段は、上記クロック発生器から供給される上記クロックに応じて、フレーム周波数を高くして上記画像信号を出力することを特徴とする表示装置。
【請求項１７】
クロックを生成するクロック発生器と、
このクロック発生器において生成された上記クロックに基づいて、入力画像データから画像信号を生成して出力する画像信号供給手段とを備え、
上記画像信号供給手段は、上記クロックに応じて、フレーム周波数を高くして、上記データ切り替え手段からの出力階調としての上記画像信号を出力することによって、所望の中間階調の画像を上記表示パネルに表示することを特徴とする請求項１１に記載の表示装置。
【請求項１８】
入力される画像データに応じた画像を表示する表示パネルと、この表示パネルを照射するバックライトとを備えた表示装置において、
上記画像データから１フレーム分のデータを抽出し、この１フレーム分のデータに含まれる画素ごとにその画素の輝度を計算して、この１フレーム分のデータに含まれる最大の輝度を抽出する最大抽出手段と、
上記バックライトによる照射の強度を、上記最大抽出手段によって抽出された上記最大の輝度に応じて変化させる照射変化手段とを備えていることを特徴とする表示装置。
【発明の詳細な説明】
【０００１】
【発明の属する技術分野】
本発明は入力画像データを表示パネルに表示する表示装置に関するものであり、より詳細には、例えば、アクティブマトリクス型の液晶表示装置に関するものである。
【０００２】
【従来の技術】
従来、液晶表示装置は、液晶モジュールと呼ばれる表示デバイスと、コンピュータなどからの入力信号に応じて画像を加工し、液晶モジュールを駆動する駆動装置とから構成されている。ここで、液晶モジュールは、液晶パネル、ソースドライバ、ゲートドライバ、各ドライバの動作を制御する液晶コントロールＩＣ及びバックライトを含んでいる。
【０００３】
このように、液晶モジュールという一つのデバイスとして扱われているのは、例えばＰＣ（Ｐｅｒｓｏｎａｌ　Ｃｏｍｐｕｔｅｒ）用の表示モニターを作るメーカーにおいて、液晶表示装置の生産効率を上げるためという理由が考えられる。このため、液晶モジュールは、その他の部品と同列に収集して、組み立て生産によって作られていた。
【０００４】
ここで、半導体部品の高集積化に伴い、画像を加工するＩＣ類と液晶モジュールの駆動を制御するＩＣ類とを同一基板に実装しても、それほど大きな基板が必要とはされなくなってきた。このため、液晶モジュールに、従来は駆動装置に含まれていた機能を組み込むことが可能となっている。
【０００５】
このような、駆動装置としての機能をも含めた液晶モジュールを、以下ではオールインワンモジュールと呼ぶことにする。
【０００６】
以下、オールインワンモジュールの一例について、図６９、７０に基づいて説明する。
【０００７】
オールインワンモジュールである液晶表示装置２１は、例えばＰＣやＴＶ（ｔｅｌｅｖｉｓｉｏｎ）チューナのような、画像データを出力する機器に接続されている。液晶表示装置２１は、これらの機器から入力される、さまざまな解像度、色深度の信号を含む画像データを表示する。
【０００８】
液晶表示装置２１への入力信号には、大きく分けてアナログ入力とディジタル入力とがある。アナログ入力としては、ＰＣなどで使われるアナログＲＧＢやＴＶなどで使われるコンポジット信号などがある。ディジタル信号としては、ＰＣなどで使われるＤＶＩ−Ｄ（パネルリンク）やＴＶなどのディジタルＴＶ信号などがある。これらの信号のうち、一般的に使用されているのは、上述したＲＧＢアナログ信号や差動ディジタル信号であるＤＶＩ（Ｄｉｇｉｔａｌ　Ｖｉｓｕａｌ　Ｉｎｔｅｒｆａｃｅ）−Ｄ（Ｄｉｇｉｔａｌ専用）信号などである。なお、通常の表示装置には、これらのうち最低１系統の入力信号に応じた、入力インタフェースが備えられている。
【０００９】
液晶表示装置２１は、図６９に示すように、Ａ／Ｄコンバータ２２、ＴＭＤＳ（Ｔｒａｎｓｉｔｉｏｎ　Ｍｉｎｉｍｉｚｅｄ　Ｄｉｆｆｅｒｅｎｔｉａｌ　Ｓｉｇｎａｌｓ）２３、制御スイッチ２４、水晶発振子２５、スケーラ２６、メモリ２７、タイミングコントローラ２８、バックライト２９、ソースドライバ３０、ゲートドライバ３１、液晶パネル３２及び階調電源生成部３３を備えている。
【００１０】
また、図７０に示すように、液晶パネル３２は、ソースバスライン３４、ゲートバスライン３５、トランジスタ（ＴＦＴ（Ｔｈｉｎ　Ｆｉｌｍ　Ｔｒａｎｓｉｓｔｏｒ））３６及び絵素３７を含んでいる。なお、ＲＧＢ（Ｒｅｄ，Ｇｒｅｅｎ，Ｂｌｕｅ）の三つからなる一組の絵素３７が一つの画素に相当する。この画素ごとに、ＲＧＢの組を用いて色を表示して、液晶パネル３２にカラー画像を表示する。
【００１１】
ここで、液晶表示装置２１は、アナログＲＧＢが入力されるインタフェースを１系統、ＤＶＩ−Ｄが入力されるインタフェースを１系統備えている。すなわち、アナログＲＧＢが入力されるＡ／Ｄコンバータ２２では、入力信号をディジタル信号に変換して、スケーラ２６に伝送する。ＤＶＩ−Ｄが入力されるＴＭＤＳ２３では、入力信号を変換して、スケーラ２６に伝送する。
【００１２】
このように、Ａ／Ｄコンバータ２２、ＴＭＤＳ２３は、それぞれＲＧＢアナログ信号やＤＶＩ−Ｄ信号を、伝送用のクロック信号、水平同期信号、垂直同期信号等の同期信号と画素単位のディジタル信号とに変換して、スケーラ２６に伝送する。
【００１３】
また、制御スイッチ２４は、外部からの制御コマンド信号を受信して、それを変換してスケーラ２６に伝送する。水晶発振子２５はスケーラ２６にクロックを供給する。
【００１４】
スケーラ２６は、解像度のスケーリングを行うためのものである。スケーラ２６は、図示しないＭＰＵ（Ｍｉｃｒｏ　Ｐｒｏｃｅｓｓｏｒ　Ｕｎｉｔ）、および外部制御のためのＩ／Ｏポートを備えている。スケーラ２６では、入力されたディジタル信号を制御スイッチ２４から送られてくる信号に基づいてＭＰＵが加工して、液晶モジュールのタイミングコントローラ２８のための表示信号に変換して、Ｉ／Ｏポートを介してタイミングコントローラ２８へと伝送する。
【００１５】
また、スケーラ２６は、制御スイッチ２４から送られている信号に基づき、バックライト２９を制御する信号（制御信号）をバックライト２９に伝送する。このように、スケーラ２６は、副次的な機能として、外部からの制御手段に基づき表示位置を変更する機能、外部からの制御手段に基づき表示サイズを変更する機能、外部からの制御手段に基づき表示画面の色温度やカラーバランスを変更する機能、アナログ入力の周波数や位相の調整を行う機能、外部からの制御手段に基づき輝度を調整するためにバックライトインバータを制御する機能、および外部からの制御信号に基づきコントラストの調整を行う機能などを備えている。
【００１６】
ここで、スケーラ２６の主要機能は、上述のように、解像度のスケーリングを行うことである。これは、上述のように液晶表示装置２１に入力される信号には、様々な解像度の信号が含まれているのに対し、液晶パネル３２の表示解像度は固定であるためである。
【００１７】
例えば、入力信号がＳＶＧＡ（８００画素×６００画素）で、液晶パネル３２の表示解像度がＸＧＡ（１０２４画素×７６８画素）であるとすると、スケーラ２６はＳＶＧＡの信号のスケール変換を行いＸＧＡの信号に変更する。スケーラ２６は、スケール変換したデータを一端メモリ２７に一時的に保管する。
【００１８】
ここで、液晶表示装置２１においては、スケール変換された後のデータは、スケーラ２６によって画素ごとに画像処理された後に、タイミングコントローラ２８に出力されていた。この画像処理としては例えばディザが含まれる。
【００１９】
メモリ２７は、スケーラ２６が処理するために必要な作業用のＲＡＭと、表示用の様々な設定データを記録しているＲＯＭとを含んでいる。メモリ２７は、スケーラ２６に制御されて情報のやり取りをする。
【００２０】
タイミングコントローラ２８は、スケーラ２６からの入力信号に応じて、ソースドライバ３０、ゲートドライバ３１のための制御信号を生成し、それぞれをソースドライバ３０、ゲートドライバ３１に伝送する。また、ソースドライバ３０には、階調電源生成部３３からの基準電圧が供給される。
【００２１】
ソースドライバ３０は、図７０に示す液晶パネル３２のソースバスライン３４を駆動する。ゲートドライバ３１は、液晶パネル３２のゲートバスライン３５を駆動する。
【００２２】
液晶パネル３２のゲートバスライン３５には、ゲートドライバ３１によって、トランジスタ３６をオンさせるための電圧が印加される。トランジスタ３６は、ゲートバスライン３５にオンに必要な電圧が印加されているときにオンし、ソースドライバ３０によって電圧が印加されるソースバスライン３４から、絵素３７に電圧を印加する。
【００２３】
一方、バックライト２９は、スケーラ２６からの信号に応じて調整された光量を液晶パネル３２に投射する。ここで、絵素３７では、印加されたソースバスライン３４の電圧と、反対側の極に印加されている図示しないコモン電位との電位差に応じて、液晶分子が移動して透過光量が変化する。これによって、バックライト２９の光が、絵素３７を通過して画面に表示される。このように、透過率の変化によって、階調表現が行われる。以上のように、入力される信号を液晶表示装置２１の液晶パネル３２に表示できる。
【００２４】
なお、上述の従来技術に関して、文献公知発明に係る先行技術文献はない。
【００２５】
【発明が解決しようとする課題】
しかしながら、上述のオールインワンモジュールとしての液晶表示装置２１は、液晶モジュールに、従来外部に存在していた装置類を取り込んだに過ぎないため、従来と同様の機能しか得ることができないという問題がある。
【００２６】
すなわち、上記スケーラ２６による解像度のスケーリング（スケール変換）はあくまで１画素単位での制御が行われるものであり、１つの画素が複数の色の絵素から構成される場合、各絵素毎にスケール変換の制御を行うことはできない。また、タイミングコントローラ２８の機能を拡張し、上記スケーラ２６によるスケーリング処理を各絵素毎に反映させることは可能であるが、この場合は、該タイミングコントローラ２８においてメモリやロジック回路を多量に必要とし、液晶モジュールにおけるコストアップを招く。
【００２７】
このように、スケーラ２６とタイミングコントローラ２８とが別の機能部として設けられる場合、これらはそれぞれ別個に機能する。このため、上記スケーラ２６およびタイミングコントローラ２８は、従来と同様の処理による従来と同様の機能のみを発揮することになる。
【００２８】
また、別々の機能部として設けられたこれらのスケーラ２６とタイミングコントローラ２８とが、例えば画面の拡大縮小を行ったり色を変化させたりする場合には、従来は、表示エッジのボケ、量子化ノイズ、チラツキ等が発生していた。また、消費電力は十分に低減されているとは言えなかった。
【００２９】
本発明は、上記の問題点に鑑みてなされたものであり、その目的は、従来スケーラにて行われていたスケーリング機能をより向上させた表示装置を安価に提供することであり、より詳細には、スケーリングの際に発生する例えば表示エッジのボケ、量子化ノイズ、またはチラツキを防止した、若しくは消費電力を十分に低減した表示装置を提供することにある。
【００３０】
【課題を解決するための手段】
本発明に係る表示装置は、上記課題を解決するために、複数のサブ画素からなる画素を所定の解像度にて配置した表示パネルを有し、このサブ画素を駆動して画像を上記表示パネルに表示する表示装置において、入力画像データを、上記表示パネルの上記解像度に対応した、上記サブ画素ごとのデータへと解像度変換をする解像度変換手段を備え、上記解像度変換手段は、上記入力画像データの画素ごとに、この画素が上記表示パネルにおいて占めるべき領域に含まれる全てのサブ画素のデータへと、この画素のデータを反映させることによって上記解像度変換をすることを特徴としている。
【００３１】
ここで、サブ画素とは、例えば複数の色の絵素に相当し、一つの画素に含まれるサブ画素の組は、複数の色の絵素の組に相当する。この複数の色の絵素とは、例えばＲＧＢ（Ｒｅｄ，Ｇｒｅｅｎ，Ｂｌｕｅ）の絵素を含む。ただし、サブ画素は、絵素のみに相当するものではなく、これ以外のものであってもよい。また、所定の解像度とは、例えば８００画素×６００画素のような、表示パネル上の画素の数を意味する。この解像度は、どのようなものであってもよい。
【００３２】
上記表示装置は、入力画像データを表示パネル上のサブ画素ごとのデータへと変換し、各サブ画素を駆動して画像を表示パネルに表示する。
【００３３】
ここで、例えば入力画像データの解像度と表示パネルの解像度とが異なる場合には、入力画像データの画素と表示パネルの画素とが一対一に対応しない。この場合、上記表示装置は、入力画像データの画素ごとに、この画素が表示パネル上で占めるべき領域に含まれる全てのサブ画素に対して、この画素のデータを反映させるようにして、サブ画素ごとのデータを得る。
【００３４】
ここで、表示パネル上のサブ画素に対して入力画像データの画素のデータを反映させるとは、入力画像データの画素のデータに応じて、表示パネル上のサブ画素のデータを決定することを意味する。なお、画素のデータをこの画素が占めるべき領域の全てのサブ画素に反映させるとは、この画素の値のみに応じて、領域中の全てのサブ画素の値が決まることのみを意味するものではない。例えば、この画素が表示パネル上で占めるべき領域の、境界に位置するサブ画素においては、このサブ画素の値は、この画素のデータと境界を挟んだ隣の画素のデータとに応じて決まってもよい。
【００３５】
また、画素のデータを全てのサブ画素に反映させるには、例えば予め定めた演算式を用いてもよいし、または予め定めたテーブルを参照するＬＵＴ（Ｌｏｏｋ　Ｕｐ　Ｔａｂｌｅ）法を用いてもよい。
【００３６】
また、サブ画素ごとのデータを得るための方法は、例えば画素のデータと全てのサブ画素のデータとの色差に応じて、サブ画素ごとのデータを決定するものであってもよい。ここで、色差とは、例えばＲＧＢ、またはＸＹＺといった独立の３成分ごとに計算したベクトルの差のノルム（長さ）に相当する。このベクトルノルムには、所定の重みづけがなされていてもよい。例えばＹ成分を他の成分の２倍に重み付けしたベクトルノルムであってもよい。このように所望の定義による色差を用いれば、色差が小さくなるようにサブ画素のデータを決定して、所望の画像再現（例えば忠実な画像再現）を行うことができる。
【００３７】
したがって、入力画像データの解像度を表示パネルの解像度に変更する際には、入力画像データの画素が、この画素の占めるべき領域に含まれる全てのサブ画素によって表現される。したがって、表示パネルのサブ画素の配置に応じた、忠実な画像表示（画像再現）が可能となる。
【００３８】
これによって、画面の拡大縮小といった解像度の変更の際に、表示エッジのボケを低減できる。よって表示品位を向上できる。すなわち、上記表示装置は、画面の拡大縮小といった解像度の変更の際に、表示エッジのボケの低減を図るためのものである、ということもできる。
【００３９】
なお、上記表示装置は、１つの画素が複数の色の絵素から構成され、表示解像度と異なる解像度の入力画像データを表示する機能を有し、入力画像データの解像度を表示パネルの解像度に変更する際に、画面に対し入力画像データの画素が空間的に占める位置に存在する絵素を、その構成する数にかかわらず全て使用して再現するように入力画像データを変換する機能を有する表示装置である、と表現することもできる。
【００４０】
また、上述の解像度変換手段は、従来の表示装置におけるスケーラおよびタイミングコントローラの機能を統合したものとして表示装置に具備することができる。この場合、スケーラおよびタイミングコントローラが別個に備えられる従来構成に比べ、より高度なスケーリング機能を安価な手段により達成できる。
【００４１】
ここで、従来の表示装置においては、スケーラが画素ごとに制御をする一方、タイミングコントローラが画素におけるサブ画素の配列に応じてサブ画素ごとに制御を行っていた。このため、スケーラとタイミングコントローラとが別個に備えられる従来構成においては、上述した本発明に係る表示装置の機能を実現することはできない。
【００４２】
本発明に係る表示装置は、上記課題を解決するために、所定数のサブ画素からなる画素を所定の解像度にて配置した表示パネルを有し、このサブ画素を駆動して画像を上記表示パネルに表示する表示装置において、入力画像データを、上記表示パネルの上記解像度に対応した、上記サブ画素ごとのデータへと解像度変換をする解像度変換手段を備え、上記解像度変換手段は、上記入力画像データの画素が上記表示パネルにおいて占めるべき領域に含まれるサブ画素の数が、上記所定数よりも大きいときは、所定の視角の範囲において、上記サブ画素による階調輝度特性と上記入力画像データの画素による階調輝度特性との歪みが小さくなるように、上記サブ画素のデータを決定することによって上記解像度変換をすることを特徴としている。
【００４３】
ここで、視角とは、表示パネルへの視線のなす角度を意味する。また、所定の視角の範囲とは、表示パネルへの視線のなす角度の連続的な範囲であってもよいし、または、所定の角度の範囲に含まれる離散的な角度の組を意味するものであってもよい。
【００４４】
上記表示装置は、入力画像データを表示パネル上の絵素ごとのデータへと変換し、各絵素を駆動して画像を表示パネルに表示する。
【００４５】
ここで、上記表示装置は、入力画像データの画素ごとに、この画素が表示パネル上で占めるべき領域（画素占有領域）に含まれる全ての絵素に対して、この画素のデータを反映させるようにして、絵素ごとのデータを得る。
【００４６】
ここで、画素のデータから、画素占有領域に含まれる各絵素のデータを決定する際に、例えば入力画像データの解像度よりも表示パネルの解像度が大きい場合には、各絵素を決定するためには余分の自由度があることになる。
【００４７】
そこで、上記表示装置は、画素占有領域の絵素のデータが、視角特性を向上させるような組となるように変換をする。すなわち、各絵素の値を、所定の視角の範囲において、絵素の階調が表示パネルの視角特性の良い階調を多く含むように構成する。
【００４８】
そして、絵素ごとのデータを得るために、画素のデータと全ての絵素のデータとに応じて、所定の範囲内の視角における階調輝度特性の歪みを計算し、その総和が小さくなるように、例えば最小となるように絵素ごとのデータを決定する。これによって、所望の画素の色を各視角において忠実に再現して、視角特性の良い階調が多く含まれるようにできるので、視角特性が改善される。これによって、この所定の範囲内の各視角において良好な視角特性を有する表示装置を提供できる。
【００４９】
ここで、人間の視覚特性は、輝度変化に敏感となっている。すなわち、輝度変化を示す階調輝度特性が視角ごとに異なる場合には、視角が異なると、同じ画像であっても異なる画像として認識されることになる。通常は正面からの視角の場合に好ましい画像となるように階調輝度特性を設定しているため、例えば斜めからの視角の場合に階調輝度特性が歪むと視角特性が悪化する。このように、階調輝度特性が、例えば斜めからの視角の場合に、正面からの視角の場合と比較して歪むならば、視角特性が悪化することになる。そこで、上記構成によって、階調輝度特性の歪みの大きさを変化させて、この歪みを小さくすれば、視角特性を改善できる。すなわち、斜めからの視角の場合と正面からの視角の場合とで、同様の階調輝度特性を実現できる。
【００５０】
また、上記構成において、上記解像度変換手段は、上記入力画像データの画素ごとに、この画素が上記表示パネルにおいて占めるべき領域に含まれる全てのサブ画素のデータへと、この画素のデータを反映させることによって上記解像度変換をする構成であってもよい。これによれば、表示パネルのサブ画素の配置に応じた、忠実な画像表示（画像再現）が可能となり、画面の拡大縮小といった解像度の変更の際に、表示エッジのボケを低減できる。
【００５１】
なお、上記表示装置は、１つの画素が複数の色の絵素から構成され、表示解像度より小さな解像度の入力画像データを表示する機能を有し、入力画像データの解像度を液晶パネルの解像度に変更する際に、画面に対し入力画像データの画素が空間的に占める位置に，存在する絵素を、その構成する数にかかわらずすべて使用し、その構成される絵素の階調が液晶パネルの視角特性の良い階調を多く含むように構成することによって、視角特性を改善する機能を実現することを特徴とする表示装置である、と表現することもできる。
【００５２】
本発明に係る表示装置は、上記課題を解決するために、所定数のサブ画素からなる画素を所定の解像度にて配置した表示パネルを有し、このサブ画素を駆動して画像を上記表示パネルに表示する表示装置において、入力画像データを、上記表示パネルの上記解像度に対応した、上記サブ画素ごとのデータへと解像度変換をする解像度変換手段を備え、上記解像度変換手段は、上記入力画像データの画素が上記表示パネルにおいて占めるべき領域に含まれるサブ画素の数が、上記所定数よりも大きいときは、所定の視角の範囲において、上記サブ画素による階調輝度特性と上記入力画像データの画素による階調輝度特性との歪みが大きくなるように、上記サブ画素のデータを決定することによって上記解像度変換をすることを特徴としている。
【００５３】
上記表示装置は、画素占有領域（入力画像データの画素が表示パネル上で占めるべき領域）の絵素のデータが、視角特性を劣化させるような組となるように変換をする。すなわち、各絵素の値を、所定の視角の範囲において、絵素の階調が表示パネルの視角特性の悪い階調を多く含むように構成する。
【００５４】
そして、絵素ごとのデータを得るために、画素のデータと全ての絵素のデータとに応じて、所定の範囲内の視角における階調輝度特性の歪みを計算し、その総和が大きくなるように、例えば最大となるように絵素ごとのデータを決定する。したがって、所望の画素の色が各視角において忠実に再現されなくなるので、視角特性の悪い階調が多く含まれるようになり、視角特性が劣化する。これによって、この所定の範囲内の各視角において良好でない視角特性を有する表示装置を提供できる。
【００５５】
なお、上記表示装置は、その構成される絵素の階調が液晶パネルの視角特性の悪い階調を多く含むように構成することによって、視角特性を改悪して周辺の人から見えなくする機能を実現した表示装置である、と表現することもできる。
【００５６】
また、上記構成において、上記解像度変換手段は、上記入力画像データの画素ごとに、この画素が上記表示パネルにおいて占めるべき領域に含まれる全てのサブ画素のデータへと、この画素のデータを反映させることによって上記解像度変換をする構成であってもよい。これによれば、表示パネルのサブ画素の配置に応じた、忠実な画像表示（画像再現）が可能となり、画面の拡大縮小といった解像度の変更の際に、表示エッジのボケを低減できる。
【００５７】
本発明に係る表示装置は、上記課題を解決するために、所定数のサブ画素からなる画素を所定の解像度にて配置した表示パネルを有し、このサブ画素を駆動して画像を上記表示パネルに表示する表示装置において、入力画像データを、上記表示パネルの上記解像度に対応した、上記サブ画素ごとのデータへと解像度変換をする解像度変換手段と、上記解像度変換手段の解像度変換において、視角特性を調整する視角特性調整手段とを備え、上記解像度変換手段は、上記入力画像データの画素が上記表示パネルにおいて占めるべき領域に含まれるサブ画素の数が、上記所定数よりも大きいときは、所定の視角の範囲における、上記サブ画素による階調輝度特性と上記入力画像データの画素による階調輝度特性との歪みを、上記視角特性調整手段の上記調整に応じて、小さくなるように、または大きくなるように、上記サブ画素のデータを決定することによって上記解像度変換をすることを特徴としている。
【００５８】
上記表示装置は、視角特性調整手段の調整に応じて、画素占有領域（入力画像データの画素が表示パネル上で占めるべき領域）の絵素のデータが、視角特性を向上させるような、または劣化させるような組となるように変換をする。すなわち、各絵素の値を、所定の視角の範囲において、視角特性調整手段の調整に応じて、絵素の階調が表示パネルの視角特性の良好な階調を多く含むように、または視角特性の悪い階調を多く含むように構成する。
【００５９】
そして、画素のデータと全ての絵素のデータとに応じて、絵素ごとのデータを決定するために、所定の範囲内の視角における階調輝度特性の歪みを計算し、その総和が大きくなるように、または小さくなるように、絵素ごとのデータを決定する。したがって、所定の視角の範囲における視角特性を、視角特性調整手段によって調整することができる。
【００６０】
また、上記構成において、上記解像度変換手段は、上記入力画像データの画素ごとに、この画素が上記表示パネルにおいて占めるべき領域に含まれる全てのサブ画素のデータへと、この画素のデータを反映させることによって上記解像度変換をする構成であってもよい。これによれば、表示パネルのサブ画素の配置に応じた、忠実な画像表示（画像再現）が可能となり、画面の拡大縮小といった解像度の変更の際に、表示エッジのボケを低減できる。
【００６１】
本発明に係る表示装置は、上記課題を解決するために、所定数のサブ画素からなる画素を所定の解像度にて配置した表示パネルを有し、このサブ画素を駆動して画像を上記表示パネルに表示する表示装置において、入力画像データを、上記表示パネルの上記解像度に対応した、上記サブ画素ごとのデータへと解像度変換をする解像度変換手段を備え、上記解像度変換手段は、上記入力画像データの画素が上記表示パネルにおいて占めるべき領域に含まれるサブ画素の数が、上記所定数よりも大きいときは、所定の視角の範囲において、上記サブ画素による色度と上記入力画像データの画素による色度との色差が小さくなるように、上記サブ画素のデータを決定することによって上記解像度変換をすることを特徴としている。
【００６２】
ここで、視角とは、表示パネルへの視線のなす角度を意味する。
【００６３】
上記表示装置は、入力画像データを表示パネル上の絵素ごとのデータへと変換し、各絵素を駆動して画像を表示パネルに表示する。
【００６４】
ここで、上記表示装置は、入力画像データの画素ごとに、この画素が表示パネル上で占めるべき領域（画素占有領域）に含まれる全ての絵素に対して、この画素のデータを反映させるようにして、絵素ごとのデータを得る。
【００６５】
ここで、画素のデータから、画素占有領域に含まれる各絵素のデータを決定する際に、例えば入力画像データの解像度よりも表示パネルの解像度が大きい場合には、各絵素を決定するためには余分の自由度があることになる。
【００６６】
そこで、上記表示装置は、画素占有領域の絵素のデータが、視角特性を向上させるような組となるように変換をする。すなわち、各絵素の値を、所定の視角の範囲において、絵素の階調が表示パネルの視角特性の良い階調を多く含むように構成する。
【００６７】
そして、絵素ごとのデータを得るために、画素のデータと全ての絵素のデータとの色差に応じて、所定の範囲内の視角における色差を計算し、その総和が小さくなるように、例えば最小となるように絵素ごとのデータを決定する。これによって、所望の画素の色を各視角において忠実に再現して、視角特性の良い階調が多く含まれるようにできるので、視角特性が改善される。これによって、この所定の範囲内の各視角において良好な視角特性を有する表示装置を提供できる。
【００６８】
また、上記構成において、上記解像度変換手段は、上記入力画像データの画素ごとに、この画素が上記表示パネルにおいて占めるべき領域に含まれる全てのサブ画素のデータへと、この画素のデータを反映させることによって上記解像度変換をする構成であってもよい。これによれば、表示パネルのサブ画素の配置に応じた、忠実な画像表示（画像再現）が可能となり、画面の拡大縮小といった解像度の変更の際に、表示エッジのボケを低減できる。
【００６９】
なお、上記表示装置は、１つの画素が複数の色の絵素から構成され、表示解像度より小さな解像度の入力画像データを表示する機能を有し、入力画像データの解像度を液晶パネルの解像度に変更する際に、画面に対し入力画像データの画素が空間的に占める位置に，存在する絵素を、その構成する数にかかわらずすべて使用し、その構成される絵素の階調が液晶パネルの視角特性の良い階調を多く含むように構成することによって、視角特性を改善する機能を実現することを特徴とする表示装置である、と表現することもできる。
【００７０】
本発明に係る表示装置は、上記課題を解決するために、所定数のサブ画素からなる画素を所定の解像度にて配置した表示パネルを有し、このサブ画素を駆動して画像を上記表示パネルに表示する表示装置において、入力画像データを、上記表示パネルの上記解像度に対応した、上記サブ画素ごとのデータへと解像度変換をする解像度変換手段を備え、上記解像度変換手段は、上記入力画像データの画素が上記表示パネルにおいて占めるべき領域に含まれるサブ画素の数が、上記所定数よりも大きいときは、所定の視角の範囲において、上記サブ画素による色度と上記入力画像データの画素による色度との色差が大きくなるように、上記サブ画素のデータを決定することによって上記解像度変換をすることを特徴としている。
【００７１】
上記表示装置は、画素占有領域（入力画像データの画素が表示パネル上で占めるべき領域）の絵素のデータが、視角特性を劣化させるような組となるように変換をする。すなわち、各絵素の値を、所定の視角の範囲において、絵素の階調が表示パネルの視角特性の悪い階調を多く含むように構成する。
【００７２】
そして、絵素ごとのデータを得るために、画素のデータと全ての絵素のデータとの色差に応じて、所定の範囲内の視角における色差を計算し、その総和が大きくなるように、例えば最大となるように絵素ごとのデータを決定する。したがって、所望の画素の色が各視角において忠実に再現されなくなるので、視角特性の悪い階調が多く含まれるようになり、視角特性が劣化する。これによって、この所定の範囲内の各視角において良好でない視角特性を有する表示装置を提供できる。
【００７３】
なお、上記表示装置は、その構成される絵素の階調が液晶パネルの視角特性の悪い階調を多く含むように構成することによって、視角特性を改悪して周辺の人から見えなくする機能を実現した表示装置である、と表現することもできる。
【００７４】
また、上記構成において、上記解像度変換手段は、上記入力画像データの画素ごとに、この画素が上記表示パネルにおいて占めるべき領域に含まれる全てのサブ画素のデータへと、この画素のデータを反映させることによって上記解像度変換をする構成であってもよい。これによれば、表示パネルのサブ画素の配置に応じた、忠実な画像表示（画像再現）が可能となり、画面の拡大縮小といった解像度の変更の際に、表示エッジのボケを低減できる。
【００７５】
本発明に係る表示装置は、上記課題を解決するために、所定数のサブ画素からなる画素を所定の解像度にて配置した表示パネルを有し、このサブ画素を駆動して画像を上記表示パネルに表示する表示装置において、入力画像データを、上記表示パネルの上記解像度に対応した、上記サブ画素ごとのデータへと解像度変換をする解像度変換手段と、上記解像度変換手段の解像度変換において、視角特性を調整する視角特性調整手段とを備え、上記解像度変換手段は、上記入力画像データの画素が上記表示パネルにおいて占めるべき領域に含まれるサブ画素の数が、上記所定数よりも大きいときは、所定の視角の範囲における、上記サブ画素による色度と上記入力画像データの画素による色度との色差を、上記視角特性調整手段の上記調整に応じて、小さくなるように、または大きくなるように、上記サブ画素のデータを決定することによって上記解像度変換をすることを特徴としている。
【００７６】
上記表示装置は、視角特性調整手段の調整に応じて、画素占有領域（入力画像データの画素が表示パネル上で占めるべき領域）の絵素のデータが、視角特性を向上させるような、または劣化させるような組となるように変換をする。すなわち、各絵素の値を、所定の視角の範囲において、視角特性調整手段の調整に応じて、絵素の階調が表示パネルの視角特性の良好な階調を多く含むように、または視角特性の悪い階調を多く含むように構成する。
【００７７】
そして、画素のデータと全ての絵素のデータとの色差に応じて、絵素ごとのデータを決定するために、所定の範囲内の視角における色差を計算し、その総和が大きくなるように、または小さくなるように、絵素ごとのデータを決定する。したがって、所定の視角の範囲における視角特性を、視角特性調整手段によって調整することができる。
【００７８】
また、上記構成において、上記解像度変換手段は、上記入力画像データの画素ごとに、この画素が上記表示パネルにおいて占めるべき領域に含まれる全てのサブ画素のデータへと、この画素のデータを反映させることによって上記解像度変換をする構成であってもよい。これによれば、表示パネルのサブ画素の配置に応じた、忠実な画像表示（画像再現）が可能となり、画面の拡大縮小といった解像度の変更の際に、表示エッジのボケを低減できる。
【００７９】
本発明に係る表示装置は、上記課題を解決するために、上記構成において、上記解像度変換手段は、上記入力画像データの画素のデータが反映されて得られるサブ画素のデータの組を、複数有しており、このサブ画素のデータの組をフレーム毎に切り替えて、画像を上記表示パネルに表示することを特徴としている。
【００８０】
上記表示装置は、入力画像データの画素のデータを表現するための、サブ画素のデータの組を、複数有している。そして、このデータの組をフレーム毎に切り替えて表示させる。
【００８１】
このように、フレーム毎に、サブ画素のデータを切り替えて表示すれば、表示パネルの画面に特定のパターンが現れて見えるのを防ぐことができる。したがって、表示品位を改善できる。
【００８２】
また、上記表示装置が、表示パネルとしての液晶パネルに画像を表示する液晶表示装置である場合には、液晶素子に高い電圧がかかり続けて、焼付け等の不具合が発生することを防止できる。また、上記構成のように、特定のサブ画素の液晶素子に高い電圧がかからないようにサブ画素とサブ画素との間の印加電圧を平均化すれば、表示品位を向上できる。
【００８３】
なお、上記表示装置は、入力データの画素内において、構成する絵素の階調の組み合わせを複数有し、それをフレーム毎に切り替えることによって、画面に特定のパターンが人間の目に見えないようにして表示品位を改善させる機能を有する表示装置である、と表現することもできる。
【００８４】
本発明に係る表示装置は、上記課題を解決するために、基準電圧を生成して出力する階調電源生成部を備え、この階調電源生成部から出力される上記基準電圧を用いて画像を表示パネルに表示する表示装置において、階調輝度カーブの設定変更、色温度の設定変更、またはカラーバランスの設定変更をするための設定変更手段と、上記設定変更手段からの指示に応じて、上記階調電源生成部に制御信号を出力して、上記基準電圧を変化させる基準電圧調整手段とを備えていることを特徴としている。
【００８５】
上記表示装置において、設定変更手段は、例えばユーザからの指示を検出して階調輝度カーブの設定変更、色温度の設定変更、またはカラーバランスの設定変更を行うとともに、この変更に応じた指示を基準電圧調整手段に出力する。基準電圧調整手段は、この指示に応じて制御信号を階調電源生成部へと出力して、基準電圧を変化させる。そして、この基準電圧を用いて、画像が表示パネルに表示される。
【００８６】
したがって、例えば階調輝度カーブを変更すると、基準電圧が、変更後の階調輝度カーブに応じたものに変化する。このように基準電圧を変化させることによって、この基準電圧を用いた画像の表示品位を高めることができる。より詳細には、例えば階調輝度カーブの設定を変更した場合に、変更後の階調輝度カーブの設定を満足させるような基準電圧に変化させることができる。したがって、変更後の階調と輝度との関係を、量子化ノイズなしに実現することができる。その他の色温度、カラーバランスについても、同様に、変更した設定を量子化ノイズなしに実現できる。
【００８７】
なお、上記表示装置は、階調輝度カーブの変更、色温度の変更、カラーバランスの変更をする機能を持ち、入力画像データと変更の情報とから、階調の基準電圧をその変更に対して最適に調整し、それに合わせて画像データを変更する機能を有し、その変更を行う際に発生する量子化ノイズを低減する表示装置である、と表現することもできる。
【００８８】
ここで、従来の表示装置においては、スケーラが印加電圧の極性反転方式に応じたソース駆動手段の制御をする一方、タイミングコントローラが基準電圧の制御を行っていた。このため、スケーラとタイミングコントローラとが別個に備えられる従来構成においては、上述した本発明に係る表示装置の機能を実現することはできない。
【００８９】
本発明に係る表示装置は、上記課題を解決するために、上記構成において、基準電圧を生成して出力する階調電源生成部と、上記解像度変換手段の解像度変換に応じて、上記階調電源生成部に制御信号を出力して、上記基準電圧を変化させる基準電圧調整手段とを備え、上記階調電源生成部から出力される上記基準電圧を用いて画像を表示パネルに表示することを特徴としている。
【００９０】
これによって、最適な階調を得て、通常のデータ処理でその変更を行う際に発生する量子化ノイズを低減できる。すなわち、例えば解像度変換を行う際にも、基準電圧を適切に変化させるので、量子化ノイズを低減できる。
【００９１】
なお、上記表示装置は、入力画像データと変更情報とから、演算装置あるいはＬＵＴを併用することによって液晶の階調基準電源をその変更に対して最適に調整し、それに合わせて画像データを変更する機能を有し、通常のデータ処理でその変更を行う際発生する量子化ノイズを低減する表示装置である、と表現することもできる。
【００９２】
本発明に係る表示装置は、上記課題を解決するために、出力階調に応じた画像を表示パネルに表示する表示装置において、階調輝度カーブの設定変更、色温度の設定変更、またはカラーバランスの設定変更をするための設定変更手段と、上記設定変更手段からの指示に応じて、出力する階調データを複数フレーム間において変化させるデータ切り替え手段とを備え、上記データ切り替え手段からの出力階調によって、所望の中間階調の画像を上記表示パネルに表示することを特徴としている。
【００９３】
上記表示装置において、設定変更手段は、例えばユーザからの指示を検出して階調輝度カーブの設定変更、色温度の設定変更、またはカラーバランスの設定変更を行うとともに、この変更に応じた指示をデータ切り替え手段に出力する。
【００９４】
データ切り替え手段は、この指示に応じて出力する階調データを複数フレーム間において変化させる。このようにフレーム間において出力階調が変化すると、表示パネルに表示される画像はその中間の階調となる。ここで、データ切り替え手段が適切に出力する階調データを変化させると、所望の中間階調の画像を表示パネルに表示できる。例えば、ｎフレーム間で階調を切り替えることによって、階調のｎ乗の階調表示が可能となる。
【００９５】
したがって、例えば階調輝度カーブを変更すると、これに応じた所望の中間階調を表示できる。したがって、変更後の階調と輝度との関係を、量子化ノイズなしに実現することができる。その他の色温度、カラーバランスについても、同様に、変更した設定を量子化ノイズなしに実現できる。
【００９６】
なお、上記表示装置は、階調輝度カーブの変更、色温度の変更、カラーバランスの変更をする機能を持ち、ｎフレーム間で階調を切り替えることによって、階調のｎ乗の階調表示を可能とし、それによって得られた階調から最適な階調を得る機能を有し、上記の変更を行う際に発生する量子化ノイズを低減した表示装置である、と表現することもできる。
【００９７】
本発明に係る表示装置は、上記課題を解決するために、上記構成において、上記解像度変換手段の解像度変換に応じて、出力する階調データを複数フレーム間において変化させるデータ切り替え手段を備え、上記データ切り替え手段からの出力階調によって、所望の中間階調の画像を上記表示パネルに表示することを特徴としている。
【００９８】
これによって、最適な階調を得て、通常のデータ処理でその変更を行う際に発生する量子化ノイズを低減できる。すなわち、例えば解像度変化を行う際に、所望の中間階調を表示させることができるので、量子化ノイズを低減できる。
【００９９】
本発明に係る表示装置は、上記課題を解決するために、表示パネルに所定の解像度にて配置された画素を駆動するために、入力画像データを解像度変換して生成した画像信号を、ゲートバスラインを介してゲートドライバに供給する画像信号供給手段と、上記画像信号に基づいて、上記画素を駆動して上記表示パネルに画像を表示するゲートドライバとを備えた表示装置において、上記画像信号供給手段は、上記入力画像データを、より大きな上記所定の解像度の上記画像信号へと解像度変換するときには、複数の上記ゲートバスラインを同時にオープンして、上記画像信号を上記ゲートドライバに供給することを特徴としている。
【０１００】
上記表示装置は、入力画像データを、より大きな解像度のデータへと変更して表示パネルに表示させる際には、複数のゲートバスラインを同時にオープンして、画素に電圧が印加される時間を減らすことなく、一画面の書き込み時間を減らすことができる。これによって、フレーム周波数を高くすることができる。
【０１０１】
このように、フレーム周波数を高くすると、画像の書き換えに対して人間の目の変化が追随できなくなって、結果として輝度変化による瞬きが感知されなくなる。これによって、表示品位を向上できる。なお、この輝度変化による瞬きは、液晶の極性反転に起因するものである。
【０１０２】
本発明に係る表示装置は、上記課題を解決するために、上記構成において、表示パネルに所定の解像度にて配置された画素を駆動するために、入力画像データを解像度変換して生成した画像信号を、ゲートバスラインを介してゲートドライバに供給する画像信号供給手段と、上記画像信号に基づいて、上記画素を駆動して上記表示パネルに画像を表示するゲートドライバとを備え、上記画像信号供給手段は、上記入力画像データを、より大きな上記所定の解像度の上記画像信号へと解像度変換するときには、複数の上記ゲートバスラインを同時にオープンして、上記データ切り替え手段からの出力階調としての上記画像信号を、上記ゲートドライバに供給することを特徴としている。
【０１０３】
上記表示装置は、入力画像データを、より大きな解像度のデータへと変更して表示パネルに表示させる際には、複数のゲートバスラインを同時にオープンして、画素に電圧が印加される時間を減らすことなく、フレームごとにデータを書き換える際の一画面の書き込み時間を減らすことができる。これによって、フレーム周波数を高くすることができる。
【０１０４】
すなわち、例えば階調輝度カーブの設定変更、色温度の設定変更、またはカラーバランスの設定のような設定変更を行う場合であっても、複数のゲートバスラインを同時にオープンするので、フレーム周波数を高くすることができる。
【０１０５】
このように、フレーム周波数を高くすると、画像の書き換えに対して人間の目の変化が追随できなくなって、結果として輝度変化による瞬きが感知されなくなる。これによって、表示品位を向上できる。なお、この輝度変化による瞬きは、液晶の極性反転に起因するものである。
【０１０６】
本発明に係る表示装置は、上記課題を解決するために、クロックを生成するクロック発生器と、このクロック発生器において生成された上記クロックに基づいて、入力画像データから画像信号を生成して出力する画像信号供給手段とを備え、上記画像信号供給手段からの上記画像信号に基づいて画像の表示を行う表示装置において、上記画像信号供給手段には、上記クロック発生器から上記クロックが直接供給されることを特徴としている。
【０１０７】
すなわち、正確に時間を測定するためのクロックが、画像信号供給手段に直接供給される。したがって、自身のクロックを用いることができるので、画素に電圧を印加する充電時間を長く、周波数を低くできる。したがって、消費電力を低減できる。
【０１０８】
ここで、従来の表示装置においては、クロック発生器はスケーラにクロックを供給するが、画像信号供給手段としてのタイミングコントローラにはクロックを供給していなかった。
【０１０９】
一方、本発明に係る上記表示装置は、画像信号供給手段にもクロックが供給されるので、上述のように消費電力を低減できる。すなわち、上記表示装置は、スケーラとタイミングコントローラとにおいてそれぞれ独立して行っていた処理を統合し、機能を向上させた表示装置である、と表現することもできる。
【０１１０】
以上のように、本発明は表示モジュールとモニターの機能を有機的に組み合わせた構造に、適切な制御を行うことによって、大幅な性能向上と、若干のコストダウンを実現した表示装置である。これにより、安価で高機能な表示装置を提供することができる。また、表示品位を向上できる。
【０１１１】
本発明に係る表示装置は、上記課題を解決するために、クロックを生成するクロック発生器と、このクロック発生器において生成された上記クロックに基づいて、入力画像データから画像信号を生成して出力する画像信号供給手段とを備え、上記画像信号供給手段からの上記画像信号に基づいて画像の表示を行う表示装置において、上記画像信号供給手段は、上記クロック発生器から供給される上記クロックに応じて、フレーム周波数を高くして上記画像信号を出力することを特徴としている。
【０１１２】
上記構成によれば、上記画像信号供給手段に、フレーム周波数を高くするためのクロックを供給するので、液晶の極性反転に起因する輝度の瞬きを軽減できる。
【０１１３】
本発明に係る表示装置は、上記課題を解決するために、上記構成において、クロックを生成するクロック発生器と、このクロック発生器において生成された上記クロックに基づいて、入力画像データから画像信号を生成して出力する画像信号供給手段とを備え、上記画像信号供給手段は、上記クロックに応じて、フレーム周波数を高くして、上記データ切り替え手段からの出力階調としての上記画像信号を出力することによって、所望の中間階調の画像を上記表示パネルに表示することを特徴としている。
【０１１４】
したがって、フレーム間の処理によって発生する輝度の瞬きを軽減できる。すなわち、例えば階調輝度カーブの設定変更、色温度の設定変更、またはカラーバランスの設定のような設定変更に応じて、出力する階調データを複数フレーム間において変化させる場合であっても、フレーム周波数を高くするので、輝度の瞬きを軽減できる。
【０１１５】
本発明に係る表示装置は、上記課題を解決するために、入力される画像データに応じた画像を表示する表示パネルと、この表示パネルを照射するバックライトとを備えた表示装置において、上記画像データから１フレーム分のデータを抽出し、この１フレーム分のデータに含まれる画素ごとにその画素の輝度を計算して、この１フレーム分のデータに含まれる最大の輝度を抽出する最大抽出手段と、上記バックライトによる照射の強度を、上記最大抽出手段によって抽出された上記最大の輝度に応じて変化させる照射変化手段とを備えていることを特徴としている。
【０１１６】
したがって、１フレーム分の画像データのうち最も明るい画素を選択し、バックライトの照射の強度を調整することによって、その１フレームにおける輝度の調整をするので、画像の再現性を損なわない。
【０１１７】
また、消費電力を低減するとともに、消費電流を低減してバックライトの寿命を延ばすことができる。
【０１１８】
なお、以上に説明した表示装置のいずれかは、表示パネルとしての液晶表示パネルを有する液晶表示装置であってもよい。例えば、直上の表示装置は、液晶表示装置に備えられるバックライトを用いて実現できる。また、その他のフラットパネルディスプレイを用いて、上述のいずれかの表示装置を実現してもよい。
【０１１９】
また、上述の表示装置は、表示デバイスである表示モジュールに、この表示モジュールを駆動する駆動装置の機能が組み込まれた、オールインワン型の表示モジュールを含んでいる構成が好ましい。
【０１２０】
【発明の実施の形態】
本発明に係る表示装置は、スケーリング機能を向上させて、例えば表示エッジのボケ、量子化ノイズ、またはチラツキを防止した、若しくは消費電力を十分に低減した表示装置である。
【０１２１】
〔実施の形態１〕
本発明の一実施の形態について図１ないし図１３に基づいて説明すると以下の通りである。
【０１２２】
本実施形態の液晶表示装置（表示装置）は、入力される画像データ（入力データ）を、表示に用いる液晶パネルの解像度に対応したデータに変更する際に、赤緑青の絵素（サブ画素）単位に、その空間的位置に忠実に再現をするようにデータを変換する機能を有している。
【０１２３】
この液晶表示装置は、絵素ごとに境界を処理するため、例えば図９の最上段の入力データに示すように、白（２５５，２５５，２５５）から黒（０，０，０）へのデータの変化点が、スケール変換によって液晶パネルの画素の真中に発生する場合には、図９の最下段の合成出力１に示すように、境界を含む一つの絵素のみにおいて灰色状態の区間Ｄ１にできる。このため、データの変化点が鮮明になる。
【０１２４】
本実施形態の液晶表示装置は、例えばＰＣ（Ｐｅｒｓｏｎａｌ　Ｃｏｍｐｕｔｅｒ）やＴＶ（ｔｅｌｅｖｉｓｉｏｎ）チューナのような、画像データを出力する機器に接続されている。
【０１２５】
この液晶表示装置は、表示デバイスである液晶モジュールに、この液晶モジュールを駆動する駆動装置の機能が組み込まれた、オールインワン型の液晶モジュールを含んでいる構成である。
【０１２６】
液晶表示装置１−１は、図１に示すように、Ａ／Ｄコンバータ２、差動信号復号器３、制御スイッチ４、水晶発振子５、演算器（解像度変換手段）６−１、メモリ７、階調電源生成部８、バックライト９、ソースドライバ１０、ゲートドライバ１１、及び液晶パネル（表示パネル）１２を備えている。
【０１２７】
また、図２に示すように、液晶パネル１２は、ソースバスライン１３、ゲートバスライン１４、トランジスタ（ＴＦＴ（Ｔｈｉｎ　Ｆｉｌｍ　Ｔｒａｎｓｉｓｔｏｒ））１５及びＲＧＢ（Ｒｅｄ，Ｇｒｅｅｎ，Ｂｌｕｅ）の絵素１６を備えている。この絵素１６は、ＲＧＢの組が、一つの画素に相当する。
【０１２８】
図１に戻ると、Ａ／Ｄコンバータ２は、ＰＣ用のアナログＲＧＢやＴＶ用のＮＴＳＣ信号、ＰＡＬ信号などのアナログ信号をディジタル信号に変換する回路であり、変換したディジタル信号を演算器６−１に伝送する。
【０１２９】
差動信号復号器３は、ＰＣ用のＤＶＩ（Ｄｉｇｉｔａｌ　Ｖｉｓｕａｌ　Ｉｎｔｅｒｆａｃｅ）−Ｄ（Ｄｉｇｉｔａｌ専用）信号（パネルリンク、ＴＭＤＳ（Ｔｒａｎｓｉｔｉｏｎ　Ｍｉｎｉｍｉｚｅｄ　Ｄｉｆｆｅｒｅｎｔｉａｌ　Ｓｉｇｎａｌｓ））などの差動伝送信号を、通常のディジタル信号に復号する回路であり、復号したディジタル信号を演算器６−１に伝送する。
【０１３０】
制御スイッチ４は、液晶表示装置１−１を外部から制御するためのもので、入力用のスイッチを備えた回路である。制御スイッチ４は、例えば、画面の表示位置、輝度、コントラストのような表示調整を行うため、液晶表示装置１−１の使用者によるスイッチの調整（制御コマンド）に応じて、その内容を信号化して演算器６−１に伝送する。
【０１３１】
水晶発振子５は、システムを動作させるクロックを生成する回路であり、生成したクロックを演算器６−１に伝送する。
【０１３２】
演算器６−１は、信号処理を行うためのものである。この演算器６−１は、従来の液晶表示装置２１における、スケーラ２６およびタイミングコントローラ２８に相当する機能を有している。また、この演算器６−１は、それに加えて、後述するような解像度変換機能を有している。
【０１３３】
本実施形態の演算器６−１は、集積回路となっている。演算器６−１は、Ａ／Ｄコンバータ２、または差動信号復号器３から伝送される画像のディジタル信号に、様々な信号処理を実施する回路である。演算器６−１は、階調電源生成部８、バックライト９、ソースドライバ１０、ゲートドライバ１１に、制御のための信号を伝送する。
【０１３４】
そして、演算器６−１に接続されたメモリ７は、演算器６−１が信号処理を行うために必要なデータを記憶する回路であり、演算器６−１との間でデータの受け渡しを行う。メモリ７は、データを一時記憶するためのＲＡＭと、テーブル等を記録するＲＯＭとを含んでいる。
【０１３５】
階調電源生成部８は、液晶で階調表示を行う際に基準となる、液晶パネル１２に印加する基準電圧を生成する回路である。階調電源生成部８は、演算器６−１からの制御信号に応じて生成した基準電圧をソースドライバ１０に伝送する。
【０１３６】
バックライト９は、液晶を表示させるための光源となる発光回路であり、液晶パネル１２に光を照射する。このバックライト９は、冷陰極管、冷陰極管を点灯させるための高電圧電源、冷陰極管の光を平面光にするための導光板、シートなどから構成される。
【０１３７】
ソースドライバ１０は、液晶パネル１２のそれぞれの絵素１６に印加するための電圧を生成する回路であり、液晶パネル１２のそれぞれのソースバスライン１３に電圧を印加する。ゲートドライバ１１は、液晶パネル１２のトランジスタ１５をオンさせる信号を生成する回路であり、液晶パネル１２のそれぞれのゲートバスライン１４に電圧を印加する。
【０１３８】
液晶パネル１２は、格子状に配置された絵素１６の状態に応じて画像を表示する回路である。
【０１３９】
トランジスタ１５は、ゲートバスライン１４に規定値以上の電圧が印加されている場合にオンして、ソースバスライン１３に印加されている電圧を絵素１６に印加する。また、ゲートバスライン１４に規定値以上の電圧が印加されていない場合は、トランジスタ１５はオフ状態となり、この状態では絵素１６には電圧は印加されない。
【０１４０】
絵素１６は、液晶を図示しない透明電極で挟んだ構造をしており、両側の電極はそれぞれトランジスタ１５と図示しないコモン電源とに接続されている。トランジスタ１５から電圧が印加されているときは、その電圧に応じて、絵素１６の透過率は変化する。新たに電圧が印加されない場合は、以前に印加されていた電圧を保持する。
【０１４１】
以上のような概略構成の液晶表示装置１−１における表示動作について、例をあげて説明する。
【０１４２】
本実施形態の液晶パネル１２は、ＵＸＧＡ（１６００画素×１２００画素）の表示能力（解像度）を有している。この液晶パネル１２を有する液晶表示装置１−１に、ＶＧＡ（６４０画素×４８０画素）の解像度の画像データが入力された場合の動作を説明する。なお、この画像データは赤緑青各色８ビットの色深度を持つものとする。また、ＳＶＧＡ（８００画素×６００画素）、ＸＧＡ（１０２４画素×７６８画素）の解像度の画像データが入力された場合については、その後に説明する。
【０１４３】
入力された画像データ（入力画像データ）は、アナログ信号の場合はＡ／Ｄコンバータ２を経由してディジタル信号に変換される。差動ディジタル信号の場合は差動信号復号器３を経由してディジタル信号に変換される。
【０１４４】
変換された信号は、図３（ａ）（ｂ）に示すような、水平の画素の取り込みに使用するクロックＣＫ、水平の同期位置を示すＨｓｙｎｃ、垂直の同期位置を示すＶｓｙｎｃなどの同期信号、および各色８ビット合計２４ビットのデータとなる。
【０１４５】
なお、このディジタル信号のデータは、入力画像データと同じＶＧＡの解像度のデータである。そのため、クロック周波数、水平同期周波数、フレーム周波数は、入力画像データと同じである。なお、入力画像データが、ＳＶＧＡ、ＸＧＡの解像度であっても、変換された後のデータは入力画像データと同じクロック周波数、水平同期周波数、フレーム周波数となる。
【０１４６】
以上のように、Ａ／Ｄコンバータ２または差動信号復号器３において変換されたディジタル信号の画像データが、演算器６−１に入力される。
【０１４７】
演算器６−１は、例えばアナログ信号から得られた同期信号の間隔に応じて周波数を割り出し、割り出した周波数の情報をＡ／Ｄコンバータ２に伝送する。また、制御スイッチ４に入力された入力信号のコントラスト情報に基づき、制御信号をＡ／Ｄコンバータ２に伝送し、アナログ信号の入力のレベルレンジを変更させる。
【０１４８】
また、演算器６−１は、入力画像データの同期信号（Ｈｓｙｎｃ，Ｖｓｙｎｃ）の間隔に応じて、その画像データの解像度、水平同期周波数、フレーム周波数を判断する。その結果に応じて、画像データの解像度の変更（伸張）を行う。
【０１４９】
ここで、本実施形態の演算器６−１は、動作の基準を確定させるために所定の周波数のクロック信号を生成する水晶発振子５と、データを一時保管するためのメモリ７とを用いて、その画像データの解像度、水平同期周波数、フレーム周波数を判断して、ＶＧＡからＵＸＧＡへの解像度変換を行う。この解像度変換については、後述する。
【０１５０】
そして、演算器６−１は、以上のように得られたデータを基にして、解像度がＵＸＧＡである液晶パネル１２に応じた制御信号（画像信号）を生成して、ソースドライバ１０およびゲートドライバ１１に出力する。
【０１５１】
演算器６−１は、生成した制御信号をソースドライバ１０に伝送する。この制御信号は、図４に示すような、ソースドライバ１０のデータ取り込みを行うためのソースクロックＳＣＫ、データのスタートを示すソーススタートパルスＳＳＰ、ソースドライバ１０の出力の切り替えを制御するラッチパルスＬＳ、各絵素の階調を示す赤緑青の各色８ビットのデータ（Ｒ７〜Ｒ０、Ｇ７〜Ｇ０、Ｂ７〜Ｂ０）などから構成される。
【０１５２】
また、演算器６−１は、生成した制御信号をゲートドライバ１１に伝送する。この制御信号は、図５に示すような、ゲートドライバ１１のレジスタシフトタイミングとゲートドライバの出力のパルス幅を規定するＧＣＫ、及び垂直方向のデータのスタートを示すゲートスタートパルスＧＳＰから構成される。
【０１５３】
また、演算器６−１は、制御スイッチ４に入力された階調輝度特性の情報を基にして、制御信号を生成して階調電源生成部８に伝送する。
【０１５４】
本実施形態においては、階調電源生成部８は、入力データの階調に対して、液晶パネル１２の絵素の透過率がγ＝２．２になるような基準電圧を生成する。階調電源生成部８は、生成した基準電圧をソースドライバ１０に伝送する。
【０１５５】
また、演算器６−１は、制御スイッチ４に入力された輝度情報を基にして、制御信号を生成してバックライト９のユニットに伝送する。具体的には、矩形波を生成し、そのデューティ比を変更し、そのデューティ比に応じてバックライト９の輝度を変化させる。バックライト９は、演算器６−１から送られる制御信号に基づいて、光量の調節を行う。
【０１５６】
ソースドライバ１０は、演算器６−１からの制御信号と、階調電源生成部８からの電圧とを受けて、次のように動作する。
【０１５７】
まず、ソーススタートパルスＳＳＰのハイパルスを，クロックＳＣＫで取り込む。そして、ＳＳＰのハイパルスの次のクロックから、順次データＲ７〜Ｒ０、Ｇ７〜Ｇ０、Ｂ７〜Ｂ０の取り込みを行う。
【０１５８】
また、取り込んだデータを順次、各ソースラインに配置する。ラッチＬＳのハイパルスを取り込んだ時点で、各ソースバスライン１３の出力を、現在出力されているものから、配置されたデータと階調基準電源の電圧値によって決められる電圧値に変更する。また、出力された電圧値を次のＬＳのハイパルスが入力されるまで維持する。
【０１５９】
ゲートドライバ１１は、図５に示すように、演算器６−１からのゲートスタートパルスＧＳＰのローパルスが入力された後、ゲートクロックＧＣＫにしたがって、１ライン目から順番にゲートバスライン１４に出力を行う。
【０１６０】
このとき、ソースドライバのＬＳとゲートドライバのＧＣＫとは同期している。そして、液晶パネル１２では、ゲートバスライン１４がハイになっているラインのトランジスタ１５のみがオンし、オンしたＴＦＴトランジスタ１５のみがソースバスラインの電圧を絵素１６の電極に印加する。
【０１６１】
このときソースバスライン１３の電圧とコモン電源の電圧との電位差に応じて、絵素１６の透過率は変化する。なお、ゲートバスライン１４によってハイの電圧が印加されていない場合は、絵素１６は、以前にかかっていた印加電圧を保持して、透過率を維持する。すなわち、絵素１６の液晶素子は、等価回路でコンデンサとして描かれるように、書きこみと書きこみとの間はその状態を保持する。
【０１６２】
以上の動作によって、画面の１ライン分の書きこみが行われる。この１ライン分の書きこみを、各ラインにて順次行い、液晶パネル１２上に画像を表示することができる。
【０１６３】
ここで、図６に、ＶＧＡの解像度の入力データをＵＸＧＡの液晶パネル１２に表示するためのデータ（表示データ）へと解像度変更する様子を模式的に示す。この場合は、画像データを、水平方向に６４０画素から１６００画素に伸張し、垂直方向に４８０画素から１２００画素に伸張することになる。
【０１６４】
図６に示すような解像度変換の詳細について、図７および８に基づいて説明する。
【０１６５】
液晶パネル１２は、図７に示すように、実線にて区分して示す画素Ｐが平面状に配置された構成となっている。この画素Ｐは、ＵＸＧＡの解像度に相当するだけ備えられているが、図７においては簡単のため一部のみを示している。この画素Ｐは、上述の絵素１６のＲＧＢの組からなるものである。
【０１６６】
一方、ＶＧＡの解像度の入力データにおける画素Ｐｉｘｅｌは、液晶パネル１２において、ＵＸＧＡの画素Ｐよりも大きい領域を占めることになる。より詳細には、６４０×４８０のデータを１６００×１２００に拡大するため、液晶パネル１２における２．５画素×２．５画素の領域が、入力データの１画素の占めるべき領域に相当する。ここで、例えば図７に示す画素Ｐ０，２においては、元の画素Ｐｉｘｅｌ０，０の値を用いるべきか、またはＰｉｘｅｌ０，１の値を用いるべきかという問題が生ずる。この点については後述する。
【０１６７】
なお、図７に示す各画素Ｐ，Ｐｉｘｅｌの添え字は、左側が垂直の行番号、右側が水平の列番号を表す。例えば、Ｐｍ，ｎは、ｍ行ｎ列の液晶パネル１２の画素を意味する。同様にＰｉｘｅｌｍ，ｎは、ｍ行ｎ列のＶＧＡの入力データの画素を意味する。
【０１６８】
ところで、一般のカラー液晶パネルは、カラーフィルタの縦ストライプパターンと呼ばれる、赤緑青（Ｒｅｄ，Ｇｒｅｅｎ，Ｂｌｕｅ：ＲＧＢ）の絵素を並べて１画素を形成するという構造をとっている。その他のカラー表示のための絵素の配列としては、ブラウン管ＴＶでよく使用されているデルタ配列などがある。
【０１６９】
本実施形態の液晶パネル１２は、図８に示すような縦ストライプパターンを有している。このとき、入力信号のＰｉｘｅｌ０，０は、液晶パネル１２の赤（Ｒ）７．５絵素、緑（Ｇ）６．２５絵素、青（Ｂ）５絵素の領域を占める。また、Ｐｉｘｅｌ０，１は、液晶パネル１２の赤５絵素、緑６．２５絵素、青７．５絵素の領域を占める。
【０１７０】
また、Ｐｉｘｅｌ０，２のレイアウトは、Ｐｉｘｅｌ０，０と同じになる。また、Ｐｉｘｅｌ０，３のレイアウトは、Ｐｉｘｅｌ０，１と同じになる。Ｐｉｘｅｌ０，４のレイアウトは、Ｐｉｘｅｌ０，０と同じになる。その他の水平方向の画素Ｐｉｘｅｌ０，ｎであっても、以降同様の繰り返しとなるので、Ｐｉｘｅｌ０，０またはＰｉｘｅｌ０，１と同様の構成となる。また、ｍを正の整数として、垂直方向の画素Ｐｉｘｅｌｍ，０、Ｐｉｘｅｌｍ，１については、入力画像データの同じ列のＰｉｘｅｌと全て同じ構成となる。したがって、画素Ｐｉｘｅｌと液晶パネル１２の絵素との対応関係は、Ｐｉｘｅｌｍ，０、Ｐｉｘｅｌｍ，１についてのテーブル、または演算式があれば分かることになる。
【０１７１】
また、本実施形態においては、画素Ｐｉｘｅｌの境界が、液晶パネル１２の画素Ｐ内を通過する場合であっても、以下に説明するように、画素Ｐごとでなく絵素１６ごとにデータを割り当てるので、この境界による表示ボケを低減できる。
【０１７２】
例えば、従来の液晶表示装置２１に含まれるスケーラ２６は、例えば図１０の最上段に示す入力データに対して、単なるスケール変換と、その後の画素ごとの画像処理（ディザ）とを行って、図１０の最下段に示すような出力データを得ていた。すなわち、本来は厚みのない画素と画素との境界が、例えば画素ごとの画像処理によって、少なくとも１画素分の厚みをもつ領域へと変換されていた。
【０１７３】
これに対して、本実施形態の演算器６−１は、図１０の最上段と同様の、図９の最上段に示す入力データに対して、以下に説明するような絵素単位での処理を行って、図９の最下段に示すような出力データを得ることができる。
【０１７４】
すなわち、本実施形態の演算器６−１は、入力信号の画素Ｐｉｘｅｌから、液晶パネル１２の画素Ｐへの変換において、液晶パネル１２の絵素配列を基にして、境界の処理を絵素単位で行う。例えば、Ｐｉｘｅｌ０，０の値を、図８に示すＲ０，０、Ｇ０，０、Ｂ０，０、Ｒ０，１、Ｇ０，１、Ｂ０，１、Ｒ０，２、Ｇ０，２、Ｒ１，０、Ｇ１，０、Ｂ１，０、Ｒ１，１、Ｇ１，１、Ｂ１，１、Ｒ１，２、Ｇ１，２、Ｒ２，０、Ｇ２，０、Ｂ２，０、Ｒ２，１、Ｇ２，１、Ｂ２，１、Ｒ２，２、Ｇ２，２の各絵素へと割り当てる。なお、以下に説明する、これら各絵素への値の割り当ての方法は、これによって好ましい表示がなされるものならば、どのようなものであってもよい。例えば、例えば予め定めた演算式を用いてもよいし、または予め定めたテーブルを参照するＬＵＴ（Ｌｏｏｋ　Ｕｐ　Ｔａｂｌｅ）法を用いてもよい。また、本実施形態とは異なるカラーフィルタの絵素配列であっても、絵素を単位として、同様に各絵素へと値を割り当てることができる。
【０１７５】
ここで、例えば図８に示す絵素Ｇ１，２のように、入力データの画素の境界がこの絵素Ｇ１，２内を通過する場合には、この絵素の値を画素Ｐｉｘｅｌ０，０、またはＰｉｘｅｌ０，１のいずれに応じて決定するかが問題となる。本実施形態においては、半分の重みで画素Ｐｉｘｅｌ０，０を反映させ、または残り半分の重みでＰｉｘｅｌ０，１を反映させる。
【０１７６】
ここで、本実施形態の液晶パネル１２は、以下のような仕様となっている。すなわち、コントラストは５００：１であり、階調カーブはγ＝２．２のγカーブであり、出力ビット数は各色８ビットである。また、絵素の配列はＲＧＢ縦ストライプ配列である。また、白輝度はＬ＝３００．０００で、白色度はｘ＝０．３１４２，ｙ＝０．３２４５である。赤輝度はＬ＝８１．１３４で、赤色度はｘ＝０．６１８０，ｙ＝０．３３９５である。緑輝度はＬ＝１８２．９７１で、緑色度はｘ＝０．２８９９，ｙ＝０．５９７１である。青輝度はＬ＝３６．７８４で、青色度はｘ＝０．１４１０，ｙ＝０．０９３９である。
【０１７７】
以上のように、液晶パネル１２は各色８ビットであるので、表示データは赤緑青において、それぞれ０〜２５５の２５６階調を持つことになる。これらの階調は、値が大きい程、対応する輝度が大きくなっている。
【０１７８】
以下では、このデータを（赤の階調，緑の階調，青の階調）という３次元ベクトルで表記する。例えば、最大輝度の白を、（２５５，２５５，２５５）と表す。液晶パネル１２の仕様として記載した白輝度、赤輝度、緑輝度、青輝度は、それぞれ白（２５５，２５５，２５５），赤（２５５，０，０）、緑（０，２５５，０）、青（０，０，２５５）のデータの時の、輝度色度の数値に相当する。コントラストは、最大輝度の白（２５５，２５５，２５５）と最低輝度の白（０，０，０）との比を表す。白のγ＝２．２の階調輝度カーブは、階調カーブを示す際に一般的に使用されるもので、次式で表される曲線に相当する。
Ｌ（ｎ，ｎ，ｎ）＝　Ｌ（２５５，２５５，２５５）×［　（ｎ／２５５）２．２×｛１−　Ｌ（０，０，０）／Ｌ（２５５，２５５，２５５）　｝＋　Ｌ（０，０，０）／Ｌ（２５５，２５５，２５５）　］　　　　　　　　　　　　…（１）
ここで、Ｌは輝度、ｎは階調を表す。そのため、Ｌ（２５５，２５５，２５５）は最大輝度の白、Ｌ（０，０，０）は最低輝度の白を意味する。また、２．２はγの数値から決定され、２５５は階調の最大値から決定される。
【０１７９】
また、一般に、液晶モジュールにおいては、上記のように白赤緑青の単色の輝度色度でデータが記載される。しかしながら、液晶表示装置１−１の制御は、単位を輝度で統一できるＸＹＺの色度空間を用いた方が容易となる。このため、上記の輝度色度による表現を、ＸＹＺの色度空間に変換する。Ｌｘｙ空間とＸＹＺ空間との関係は次式で表される。
Ｌ＝　Ｙ
ｘ＝　Ｘ／（Ｘ＋Ｙ＋Ｚ）
ｙ＝　Ｙ／（Ｘ＋Ｙ＋Ｚ）　　　　　　　…（２）
ここで、Ｘ，Ｙ，Ｚの単位はｃｄ／ｍ２である。また、液晶表示装置１−１においては、色の三原色である赤緑青の絵素が独立して存在しているため、輝度は赤絵素の輝度、緑の絵素の輝度及び青絵素の輝度の合計となる。このため、以下の式が成立する。ここで、式中の添え字Ｒ，Ｇ，Ｂは、それぞれ赤緑青の絵素のＸ，Ｙ，Ｚの輝度を示す。
Ｘ（ｌ，ｍ，ｎ）＝　ＸＲ（ｌ）＋ＸＧ（ｍ）＋ＸＢ（ｎ）
Ｙ（ｌ，ｍ，ｎ）＝　ＹＲ（ｌ）＋ＹＧ（ｍ）＋ＹＢ（ｎ）
Ｚ（ｌ，ｍ，ｎ）＝　ＺＲ（ｌ）＋ＺＧ（ｍ）＋ＺＢ（ｎ）　　　　　　　　　…（３）
ここで、赤緑青のＸ，Ｙ，Ｚは、それぞれ独立に、γ＝２．２の階調カーブを満たす。そのため、液晶パネル１２における、赤緑青のＸＹＺの値を式で表すと、以下のようになる。ここで、添え字のＵＸＧＡは、解像度がＵＸＧＡの液晶パネルを意味している。
ＸＵＸＧＡ−Ｒ（ｌ）＝１４７．５５２×（　（ｌ／２５５）２．２　×０．９９８　＋　０．００２）
ＸＵＸＧＡ−Ｇ（ｍ）＝　８８．６６７×（　（ｍ／２５５）２．２　×０．９９８　＋　０．００２）
ＸＵＸＧＡ−Ｂ（ｎ）＝　５４．２５９×（　（ｎ／２５５）２．２　×０．９９８　＋　０．００２）
ＹＵＸＧＡ−Ｒ（ｌ）＝　８１．１０７×（　（ｌ／２５５）２．２　×０．９９８　＋　０．００２）
ＹＵＸＧＡ−Ｇ（ｍ）＝１８２．７３６×（　（ｍ／２５５）２．２　×０．９９８　＋　０．００２）
ＹＵＸＧＡ−Ｂ（ｎ）＝　３６．１５６×（　（ｎ／２５５）２．２　×０．９９８　＋　０．００２）
ＺＵＸＧＡ−Ｒ（ｌ）＝　　９．９９４×（　（ｌ／２５５）２．２　×０．９９８　＋　０．００２）
ＺＵＸＧＡ−Ｇ（ｍ）＝　３４．０４１×（　（ｍ／２５５）２．２　×０．９９８　＋　０．００２）
ＺＵＸＧＡ−Ｂ（ｎ）＝２８９．９８７×（　（ｎ／２５５）２．２　×０．９９８　＋　０．００２）　　　　　　　　　…（４）
以上の式により、ＵＸＧＡの液晶パネルの一画素に含まれる、赤絵素、緑絵素、青絵素のＸＹＺを、それぞれ独立して求めることができる。この式から、本実施形態の入力データ（ＶＧＡ）における画素Ｐｉｘｅｌの、輝度色度の最大値と最小値とを求めると、次表のようになる。ただし、ＸＹＺの輝度の値は、単位からわかるように単位面積あたりの数値となるため、注意が必要である。
【０１８０】
【表１】
2004117752.tif 000003
【０１８１】
次に、人間の目は、色度の変化よりもＹ輝度に精度よく反応するという特性がある。このため、ＸＺについては若干ずれていても認識されにくい。そこでＸ，Ｙ，Ｚのうち、Ｙの値に着目する。Ｐｉｘｅｌ０，０およびＰｉｘｅｌ０，１が両方とも取れるＹの値は、ＶＧＡの入力データにおいては、最大が２７１．８２で、最小が０．６１８であるような範囲となる。
【０１８２】
本実施形態の液晶表示装置１−１は、階調輝度特性がγ＝２．２の階調カーブを満たすので、Ｙ輝度は、ＶＧＡの信号が入力される場合には、以下の式のようになる。
ＹＶＧＡ（ｎ）＝２７１．８２×（（ｎ／２５５）２．２　×（１−　０．６１８／２７１．８２）＋０．６１８／２７１．８２　）　　　…（５）
式（５）に基づく、ＶＧＡ入力の場合の赤緑青のＸＹＺの理論値は、以下の式のようになる。
ＸＶＧＡ−Ｒ（ｌ）＝１３３．６９２×（　（ｌ／２５５）２．２　×０．９９７７２６＋　０．００２２７４）
ＸＶＧＡ−Ｇ（ｍ）＝　８０．３３８×（　（ｍ／２５５）２．２　×０．９９７７２６＋　０．００２２７４）
ＸＶＧＡ−Ｂ（ｎ）＝　４９．１６２×（　（ｎ／２５５）２．２　×０．９９７７２６＋　０．００２２７４）
ＹＶＧＡ−Ｒ（ｌ）＝　７３．４８８×（　（ｌ／２５５）２．２　×０．９９７７２６＋　０．００２２７４）
ＹＶＧＡ−Ｇ（ｍ）＝１６５．５７１×（　（ｍ／２５５）２．２　×０．９９７７２６＋　０．００２２７４）
ＹＶＧＡ−Ｂ（ｎ）＝　３２．７６０×（　（ｎ／２５５）２．２　×０．９９７７２６＋　０．００２２７４）
ＺＶＧＡ−Ｒ（ｌ）＝　　９．０５５×（　（ｌ／２５５）２．２　×０．９９７７２６＋　０．００２２７４）
ＺＶＧＡ−Ｇ（ｍ）＝　３０．８４３×（　（ｍ／２５５）２．２　×０．９９７７２６＋　０．００２２７４）
ＺＶＧＡ−Ｂ（ｎ）＝２６２．７４８×（　（ｎ／２５５）２．２　×０．９９７７２６＋　０．００２２７４）　　　　　　…（６）
そして、赤緑青の合計が画素のＸＹＺとなるので、以下の式のようになる。
ＸＶＧＡ（ｌ，ｍ，ｎ）＝ＸＶＧＡ−Ｒ（ｌ）＋ＸＶＧＡ−Ｇ（ｍ）＋ＸＶＧＡ−Ｂ（ｎ）
ＹＶＧＡ（ｌ，ｍ，ｎ）＝ＹＶＧＡ−Ｒ（ｌ）＋ＹＶＧＡ−Ｇ（ｍ）＋ＹＶＧＡ−Ｂ（ｎ）
ＺＶＧＡ（ｌ，ｍ，ｎ）＝ＺＶＧＡ−Ｒ（ｌ）＋ＺＶＧＡ−Ｇ（ｍ）＋ＺＶＧＡ−Ｂ（ｎ）　　　　　　　…（７）
ここで、式（７）の値は、Ｙの取れる範囲から導かれた理論値であり、実際は式（４）で表される液晶パネル１２の絵素の組み合わせによって形成される。そこで、式（４）と、ＶＧＡ入力時の画素がＵＸＧＡの液晶パネル１２においてどの領域を占めるかとの情報から、各ＰｉｘｅｌのＸＹＺの値を次式の様に求めることができる。ただし、ＵＸＧＡの液晶パネルの各絵素の階調を、図８に示すように、それぞれ、Ｒ０，０，Ｇ０，０，Ｂ０，０，Ｒ０，１，Ｇ０，１，Ｂ０，１，・・・とする。
【０１８３】
まず、ＶＧＡ入力データのＰｉｘｅｌ０，０は、以下のようになる。
ＸＶＧＡ（ｌ，ｍ，ｎ）＝｛　ＸＵＸＧＡ−Ｒ（Ｒ０，０）＋ＸＵＸＧＡ−Ｇ（Ｇ０，０）＋ＸＵＸＧＡ−Ｂ（Ｂ０，０）＋ＸＵＸＧＡ−Ｒ（Ｒ０，１）＋ＸＵＸＧＡ−Ｇ（Ｇ０，１）＋ＸＵＸＧＡ−Ｂ（Ｂ０，１）＋ＸＵＸＧＡ−Ｒ（Ｒ０，２）＋ＸＵＸＧＡ−Ｇ（Ｇ０，２）×０．５＋ＸＵＸＧＡ−Ｒ（Ｒ１，０）＋ＸＵＸＧＡ−Ｇ（Ｇ１，０）＋ＸＵＸＧＡ−Ｂ（Ｂ１，０）＋ＸＵＸＧＡ−Ｒ（Ｒ１，１）＋ＸＵＸＧＡ−Ｇ（Ｇ１，１）＋ＸＵＸＧＡ−Ｂ（Ｂ１，１）＋ＸＵＸＧＡ−Ｒ（Ｒ１，２）＋ＸＵＸＧＡ−Ｇ（Ｇ１，２）×０．５＋ＸＵＸＧＡ−Ｒ（Ｒ２，０）×０．５＋ＸＵＸＧＡ−Ｇ（Ｇ２，０）×０．５＋ＸＵＸＧＡ−Ｂ（Ｂ２，０）×０．５＋ＸＵＸＧＡ−Ｒ（Ｒ２，１）×０．５＋ＸＵＸＧＡ−Ｇ（Ｇ２，１）×０．５＋ＸＵＸＧＡ−Ｂ（Ｂ２，１）×０．５＋ＸＵＸＧＡ−Ｒ（Ｒ２，２）×０．５＋ＸＵＸＧＡ−Ｇ（Ｇ２，２）×０．２５　｝
ＹＶＧＡ（ｌ，ｍ，ｎ）＝｛　ＹＵＸＧＡ−Ｒ（Ｒ０，０）＋ＹＵＸＧＡ−Ｇ（Ｇ０，０）＋ＹＵＸＧＡ−Ｂ（Ｂ０，０）＋ＹＵＸＧＡ−Ｒ（Ｒ０，１）＋ＹＵＸＧＡ−Ｇ（Ｇ０，１）＋ＹＵＸＧＡ−Ｂ（Ｂ０，１）＋ＹＵＸＧＡ−Ｒ（Ｒ０，２）＋ＹＵＸＧＡ−Ｇ（Ｇ０，２）×０．５＋ＹＵＸＧＡ−Ｒ（Ｒ１，０）＋ＹＵＸＧＡ−Ｇ（Ｇ１，０）＋ＹＵＸＧＡ−Ｂ（Ｂ１，０）＋ＹＵＸＧＡ−Ｒ（Ｒ１，１）＋ＹＵＸＧＡ−Ｇ（Ｇ１，１）＋ＹＵＸＧＡ−Ｂ（Ｂ１，１）＋ＹＵＸＧＡ−Ｒ（Ｒ１，２）＋ＹＵＸＧＡ−Ｇ（Ｇ１，２）×０．５＋ＹＵＸＧＡ−Ｒ（Ｒ２，０）×０．５＋ＹＵＸＧＡ−Ｇ（Ｇ２，０）×０．５＋ＹＵＸＧＡ−Ｂ（Ｂ２，０）×０．５＋ＹＵＸＧＡ−Ｒ（Ｒ２，１）×０．５＋ＹＵＸＧＡ−Ｇ（Ｇ２，１）×０．５＋ＹＵＸＧＡ−Ｂ（Ｂ２，１）×０．５＋ＹＵＸＧＡ−Ｒ（Ｒ２，２）×０．５＋ＹＵＸＧＡ−Ｇ（Ｇ２，２）×０．２５　｝
ＺＶＧＡ（ｌ，ｍ，ｎ）＝｛　ＺＵＸＧＡ−Ｒ（Ｒ０，０）＋ＺＵＸＧＡ−Ｇ（Ｇ０，０）＋ＺＵＸＧＡ−Ｂ（Ｂ０，０）＋ＺＵＸＧＡ−Ｒ（Ｒ０，１）＋ＺＵＸＧＡ−Ｇ（Ｇ０，１）＋ＺＵＸＧＡ−Ｂ（Ｂ０，１）＋ＺＵＸＧＡ−Ｒ（Ｒ０，２）＋ＺＵＸＧＡ−Ｇ（Ｇ０，２）×０．５＋ＺＵＸＧＡ−Ｒ（Ｒ１，０）＋ＺＵＸＧＡ−Ｇ（Ｇ１，０）＋ＺＵＸＧＡ−Ｂ（Ｂ１，０）＋ＺＵＸＧＡ−Ｒ（Ｒ１，１）＋ＺＵＸＧＡ−Ｇ（Ｇ１，１）＋ＺＵＸＧＡ−Ｂ（Ｂ１，１）＋ＺＵＸＧＡ−Ｒ（Ｒ１，２）＋ＺＵＸＧＡ−Ｇ（Ｇ１，２）×０．５＋ＺＵＸＧＡ−Ｒ（Ｒ２，０）×０．５＋ＺＵＸＧＡ−Ｇ（Ｇ２，０）×０．５＋ＺＵＸＧＡ−Ｂ（Ｂ２，０）×０．５＋ＺＵＸＧＡ−Ｒ（Ｒ２，１）×０．５＋ＺＵＸＧＡ−Ｇ（Ｇ２，１）×０．５＋ＺＵＸＧＡ−Ｂ（Ｂ２，１）×０．５＋ＺＵＸＧＡ−Ｒ（Ｒ２，２）×０．５＋ＺＵＸＧＡ−Ｇ（Ｇ２，２）×０．２５　｝　　　　　　　　　　　　…（８）
また、Ｐｉｘｅｌ０，１の場合には、以下のようになる。
ＸＶＧＡ（ｌ，ｍ，ｎ）＝｛　　ＸＵＸＧＡ−Ｇ（Ｇ０，２）×０．５＋ＸＵＸＧＡ−Ｂ（Ｂ０，２）＋ＸＵＸＧＡ−Ｒ（Ｒ０，３）＋ＸＵＸＧＡ−Ｇ（Ｇ０，３）＋ＸＵＸＧＡ−Ｂ（Ｂ０，３）＋ＸＵＸＧＡ−Ｒ（Ｒ０，４）＋ＸＵＸＧＡ−Ｇ（Ｇ０，４）＋ＸＵＸＧＡ−Ｂ（Ｂ０，４）＋ＸＵＸＧＡ−Ｇ（Ｇ１，２）×０．５＋ＸＵＸＧＡ−Ｂ（Ｂ１，２）＋ＸＵＸＧＡ−Ｒ（Ｒ１，３）＋ＸＵＸＧＡ−Ｇ（Ｇ１，３）＋ＸＵＸＧＡ−Ｂ（Ｂ１，３）＋ＸＵＸＧＡ−Ｒ（Ｒ１，４）＋ＸＵＸＧＡ−Ｇ（Ｇ１，４）＋ＸＵＸＧＡ−Ｂ（Ｂ１，４）＋ＸＵＸＧＡ−Ｇ（Ｇ２，２）×０．２５＋ＸＵＸＧＡ−Ｂ（Ｂ２，２）×０．５＋ＸＵＸＧＡ−Ｒ（Ｒ２，３）×０．５＋ＸＵＸＧＡ−Ｇ（Ｇ２，３）×０．５＋ＸＵＸＧＡ−Ｂ（Ｂ２，３）×０．５＋ＸＵＸＧＡ−Ｒ（Ｒ２，４）×０．５＋ＸＵＸＧＡ−Ｇ（Ｇ２，４）×０．５＋ＸＵＸＧＡ−Ｂ（Ｂ２，４）×０．５　｝
ＹＶＧＡ（ｌ，ｍ，ｎ）＝｛　　ＹＵＸＧＡ−Ｇ（Ｇ０，２）×０．５＋ＹＵＸＧＡ−Ｂ（Ｂ０，２）＋ＹＵＸＧＡ−Ｒ（Ｒ０，３）＋ＹＵＸＧＡ−Ｇ（Ｇ０，３）＋ＹＵＸＧＡ−Ｂ（Ｂ０，３）＋ＹＵＸＧＡ−Ｒ（Ｒ０，４）＋ＹＵＸＧＡ−Ｇ（Ｇ０，４）＋ＹＵＸＧＡ−Ｂ（Ｂ０，４）＋ＹＵＸＧＡ−Ｇ（Ｇ１，２）×０．５＋ＹＵＸＧＡ−Ｂ（Ｂ１，２）＋ＹＵＸＧＡ−Ｒ（Ｒ１，３）＋ＹＵＸＧＡ−Ｇ（Ｇ１，３）＋ＹＵＸＧＡ−Ｂ（Ｂ１，３）＋ＹＵＸＧＡ−Ｒ（Ｒ１，４）＋ＹＵＸＧＡ−Ｇ（Ｇ１，４）＋ＹＵＸＧＡ−Ｂ（Ｂ１，４）＋ＹＵＸＧＡ−Ｇ（Ｇ２，２）×０．２５＋ＹＵＸＧＡ−Ｂ（Ｂ２，２）×０．５＋ＹＵＸＧＡ−Ｒ（Ｒ２，３）×０．５＋ＹＵＸＧＡ−Ｇ（Ｇ２，３）×０．５＋ＹＵＸＧＡ−Ｂ（Ｂ２，３）×０．５＋ＹＵＸＧＡ−Ｒ（Ｒ２，４）×０．５＋ＹＵＸＧＡ−Ｇ（Ｇ２，４）×０．５＋ＹＵＸＧＡ−Ｂ（Ｂ２，４）×０．５　｝
ＺＶＧＡ（ｌ，ｍ，ｎ）＝｛　　ＺＵＸＧＡ−Ｇ（Ｇ０，２）×０．５＋ＺＵＸＧＡ−Ｂ（Ｂ０，２）＋ＺＵＸＧＡ−Ｒ（Ｒ０，３）＋ＺＵＸＧＡ−Ｇ（Ｇ０，３）＋ＺＵＸＧＡ−Ｂ（Ｂ０，３）＋ＺＵＸＧＡ−Ｒ（Ｒ０，４）＋ＺＵＸＧＡ−Ｇ（Ｇ０，４）＋ＺＵＸＧＡ−Ｂ（Ｂ０，４）＋ＺＵＸＧＡ−Ｇ（Ｇ１，２）×０．５＋ＺＵＸＧＡ−Ｂ（Ｂ１，２）＋ＺＵＸＧＡ−Ｒ（Ｒ１，３）＋ＺＵＸＧＡ−Ｇ（Ｇ１，３）＋ＺＵＸＧＡ−Ｂ（Ｂ１，３）＋ＺＵＸＧＡ−Ｒ（Ｒ１，４）＋ＺＵＸＧＡ−Ｇ（Ｇ１，４）＋ＺＵＸＧＡ−Ｂ（Ｂ１，４）＋ＺＵＸＧＡ−Ｇ（Ｇ２，２）×０．２５＋ＺＵＸＧＡ−Ｂ（Ｂ２，２）×０．５＋ＺＵＸＧＡ−Ｒ（Ｒ２，３）×０．５＋ＺＵＸＧＡ−Ｇ（Ｇ２，３）×０．５＋ＺＵＸＧＡ−Ｂ（Ｂ２，３）×０．５＋ＺＵＸＧＡ−Ｒ（Ｒ２，４）×０．５＋ＺＵＸＧＡ−Ｇ（Ｇ２，４）×０．５＋ＺＵＸＧＡ−Ｂ（Ｂ２，４）×０．５　｝…（９）
上記の式を用いて、入力データごとに、式（７）から得られるＸＹＺと、式（８）（９）から得られるＸＹＺとの差（誤差、色差）が最も小さくなるように、Ｒ０，０，Ｇ０，０，Ｂ０，０，Ｒ０，１，Ｇ０，１，Ｂ０，１，・・・の値を求める。ただし、ＸＹＺで人間の目に与える影響が異なるので、次式で定義した誤差が最も小さくなるものを選ぶ。
Ｅ２＝Ｅ２Ｘ＋２×Ｅ２Ｙ＋Ｅ２Ｚ　　　　…（１０）
ここで、ＥＸはＸの誤差、ＥＹはＹの誤差、ＥＺはＺの誤差を示す。これを入力データごとに計算する。なお、色差の定義は式（１０）に限るものではなく、例えば単にＥ２＝Ｅ２Ｘ＋Ｅ２Ｙ＋Ｅ２Ｚであってもよいし、またはその他の形式であってもよい。
【０１８４】
上記計算の結果を以下の表２および表３に示す。尚、表２はＰｉｘｅｌ０，０に対応する計算結果であり、表３はＰｉｘｅｌ０，１に対応する計算結果である。
【０１８５】
【表２】
2004117752.tif 000004
【０１８６】
【表３】
2004117752.tif 000005
【０１８７】
例えば、このようにして得た、入力データのＲＧＢとこれに対応する各絵素Ｒ０，０，Ｇ０，０，Ｂ０，０，Ｒ０，１，Ｇ０，１，Ｂ０，１，・・・における値との対応表（テーブル）を作成しておき、メモリ７に格納しておく。そして、解像度変換のために演算器６−１がメモリ７からテーブルを読み出して、解像度変換してもよい。または、上述した計算を入力データの画素ごとに行うことによって解像度変換することもできる。
【０１８８】
また、先に説明したとおり、ＶＧＡ入力の場合には、入力データのすべての画素Ｐｉｘｅｌは、Ｐｉｘｅｌ０，０かＰｉｘｅｌ０，１かのいずれかと同様のパターンとなる。このため、入力データのＲＧＢに対して、２種類のテーブルを用意すれば、変換が可能となる。
【０１８９】
なお、後述するＳＶＧＡ入力の場合は、１パターンの変換しか存在しないため１種類のテーブルで良い。また、ＸＧＡ入力の場合は、ＶＧＡと同様に２種類のテーブルが必要となる。
【０１９０】
この後、上述のように、演算器６−１は、ソースドライバ１０およびゲートドライバ１１を駆動するための信号を生成して、それぞれ送信する。これによって、液晶パネル１２に解像度を変換した画像を表示できる。
【０１９１】
以上のようにして得られた画像データを用いて表示を行った場合には、以下のような利点がある。
【０１９２】
すなわち、例えば図９の最上段の入力データに示すように、白（２５５，２５５，２５５）から黒（０，０，０）へのデータの変化点が、スケール変換によって液晶パネル１２の画素の真中に発生する場合には、図９の最下段の合成出力１に示すように、境界を含む一つの絵素のみにおいて、境界を表す灰色状態の区間Ｄ１となる。このため、データの変化点が鮮明になる。なお、図９の中段に示す二つのデータ（出力データ１、出力データ２）を切り替えて表示して、最下段の合成出力１と同等の表示を実現してもよい。
【０１９３】
一方、従来の液晶表示装置２１において、通常のディザ処理を行った場合には、本願の図９と同様の入力データに対してディザ処理が行われて、図１０の最下段に示す合成出力２のように処理される。すなわち、従来は画素ごとに画像処理されていたので、この場合には灰色状態の区間はＤ２となる。
また、解像度変換は画素ごとに処理されて、入力データの画素が変換されて占めるべき領域の全ての絵素を用いるようにはなっていなかった。よって、十分に鮮明なデータ変化点を得ることができない。なお、合成出力２は、図１０の中段に示す出力データ３、出力データ４を切り替えて、実現してもよい。
【０１９４】
以上に説明したように、本実施形態の液晶表示装置１−１によれば、従来の液晶表示装置２１よりもさらに鮮明にデータの変化点を表示できる。すなわち、例えば図１０に示す区間Ｄ２を、図９に示す区間Ｄ１のようにできるので、データの変化点を鮮明にできる。
【０１９５】
なお、上述した液晶表示装置１−１に対して、ＸＧＡ、ＳＶＧＡの解像度の画像データが入力された場合の表示状態について以下で説明する。
【０１９６】
上記式（４）によって、ＵＸＧＡの液晶パネルの一画素に含まれる、赤絵素、緑絵素、青絵素のＸＹＺを、それぞれ独立して求めることができる。
【０１９７】
この式から、本実施形態の入力画像データのＰｉｘｅｌ輝度色度の最大値と最小値を求めると、次表のようになる。ただし、ＸＹＺの輝度の値は、単位からわかるように単位面積あたりの数値となるため、注意が必要である。
【０１９８】
まず、ＳＶＧＡの入力画像データについては、赤絵素、緑絵素、青絵素の数がそれぞれ等しいため、以下の表のように液晶パネル１２と同じとなる。
【０１９９】
【表４】
2004117752.tif 000006
【０２００】
また、ＸＧＡの入力画像データについては、以下の表のようになる。
【０２０１】
【表５】
2004117752.tif 000007
【０２０２】
次に、上述のように、人間の目が、色度の変化よりもＹ輝度に精度よく反応するという特性を考慮すると、ＸＧＡの場合に、Ｐｉｘｅｌ０，０およびＰｉｘｅｌ０，１が両方とも取れるＹの値は、最大が２８５．０２であり、最小が０．６３０という範囲となる。
【０２０３】
本実施形態の液晶表示装置１−１は、階調輝度特性がγ＝２．２の階調カーブを満たすので、Ｙ輝度は、ＳＶＧＡの信号が入力される場合には、以下の式のようになる。
ＹＳＶＧＡ（ｎ）＝３００．００×（（ｎ／２５５）２．２　×（１−　０．６００／３００．００）＋０．６００／３００．００　）　　　…（１１）
また、ＸＧＡの信号が入力される場合には以下のようになる。
ＹＸＧＡ（ｎ）＝２８５．０２×（（ｎ／２５５）２．２　×（１−　０．６３０／２８５．０２）＋０．６３０／２８５．０２　）　　　　…（１２）
ここで、式（１１）に基づく、ＳＶＧＡ入力の場合の赤緑青のＸＹＺの理論値は、以下の式のようになる。
ＸＳＶＧＡ−Ｒ（ｌ）＝１４７．５５２×（　（ｌ／２５５）２．２　×０．９９８＋　０．００２）
ＸＳＶＧＡ−Ｇ（ｍ）＝　８８．６６７×（　（ｍ／２５５）２．２　×０．９９８＋　０．００２）
ＸＳＶＧＡ−Ｂ（ｎ）＝　５４．２５９×（　（ｎ／２５５）２．２　×０．９９８＋　０．００２）
ＹＳＶＧＡ−Ｒ（ｌ）＝　８１．１０７×（　（ｌ／２５５）２．２　×０．９９８＋　０．００２）
ＹＳＶＧＡ−Ｇ（ｍ）＝１８２．７３６×（　（ｍ／２５５）２．２　×０．９９８＋　０．００２）
ＹＳＶＧＡ−Ｂ（ｎ）＝　３６．１５６×（　（ｎ／２５５）２．２　×０．９９８＋　０．００２）
ＺＳＶＧＡ−Ｒ（ｌ）＝　　９．９９４×（　（ｌ／２５５）２．２　×０．９９８＋　０．００２）
ＺＳＶＧＡ−Ｇ（ｍ）＝　３４．０４１×（　（ｍ／２５５）２．２　×０．９９８＋　０．００２）
ＺＳＶＧＡ−Ｂ（ｎ）＝２８９．９８７×（　（ｎ／２５５）２．２　×０．９９８＋　０．００２）　　　　　　　　　　　　…（１３）
そして、赤緑青の合計が画素のＸＹＺとなるので、以下の式のようになる。
ＸＳＶＧＡ（ｌ，ｍ，ｎ）＝ＸＳＶＧＡ−Ｒ（ｌ）＋ＸＳＶＧＡ−Ｇ（ｍ）＋ＸＳＶＧＡ−Ｂ（ｎ）
ＹＳＶＧＡ（ｌ，ｍ，ｎ）＝ＹＳＶＧＡ−Ｒ（ｌ）＋ＹＳＶＧＡ−Ｇ（ｍ）＋ＹＳＶＧＡ−Ｂ（ｎ）
ＺＳＶＧＡ（ｌ，ｍ，ｎ）＝ＺＳＶＧＡ−Ｒ（ｌ）＋ＺＳＶＧＡ−Ｇ（ｍ）＋ＺＳＶＧＡ−Ｂ（ｎ）　　　　　　　　　…（１４）
また、式（１２）に基づく、ＸＧＡ入力の場合の赤緑青のＸＹＺの理論値は、以下の式のようになる。
ＸＸＧＡ−Ｒ（ｌ）＝　１４０．１８４２×（　（ｌ／２５５）２．２　×０．９９７７９＋　０．００２２１）
ＸＸＧＡ−Ｇ（ｍ）＝　８４．２３９５６×（　（ｍ／２５５）２．２　×０．９９７７９＋　０．００２２１）
ＸＸＧＡ−Ｂ（ｎ）＝　５１．５４９６７×（　（ｎ／２５５）２．２　×０．９９７７９＋　０．００２２１）
ＹＸＧＡ−Ｒ（ｌ）＝　７７．０５７０６×（　（ｌ／２５５）２．２　×０．９９７７９＋　０．００２２１）
ＹＸＧＡ−Ｇ（ｍ）＝　１７３．６１１４×（　（ｍ／２５５）２．２　×０．９９７７９＋　０．００２２１）
ＹＸＧＡ−Ｂ（ｎ）＝　３４．３５０６１×（　（ｎ／２５５）２．２　×０．９９７７９＋　０．００２２１）
ＺＸＧＡ−Ｒ（ｌ）＝　９．４９４９６６×（　（ｌ／２５５）２．２　×０．９９７７９＋　０．００２２１）
ＺＸＧＡ−Ｇ（ｍ）＝　３２．３４１２２×（　（ｍ／２５５）２．２　×０．９９７７９＋　０．００２２１）
ＺＸＧＡ−Ｂ（ｎ）＝　　２７５．５０７×（　（ｎ／２５５）２．２　×０．９９７７９＋　０．００２２１）　　　　　　（１５）
そして、赤緑青の合計が画素のＸＹＺとなるので、以下の式のようになる。
ＸＸＧＡ（ｌ，ｍ，ｎ）＝ＸＸＧＡ−Ｒ（ｌ）＋ＸＸＧＡ−Ｇ（ｍ）＋ＸＸＧＡ−Ｂ（ｎ）
ＹＸＧＡ（ｌ，ｍ，ｎ）＝ＹＸＧＡ−Ｒ（ｌ）＋ＹＸＧＡ−Ｇ（ｍ）＋ＹＸＧＡ−Ｂ（ｎ）
ＺＸＧＡ（ｌ，ｍ，ｎ）＝ＺＸＧＡ−Ｒ（ｌ）＋ＺＸＧＡ−Ｇ（ｍ）＋ＺＸＧＡ−Ｂ（ｎ）　　　　　　　　　…（１６）
ここで、式（１４）、（１６）の値は、Ｙの取れる範囲から導かれた理論値であり、実際は式（４）で表される液晶パネル１２の絵素の組み合わせによって形成される。
【０２０４】
ここで、ＳＶＧＡのデータをＵＸＧＡの液晶パネルに表示する場合は、図１１に示すように、元の画素は変換後の画素の定数倍となる。すなわち、８００×６００のデータを１６００×１２００に拡大するため、元のＳＶＧＡの１画素のデータは液晶パネル１２の２画素×２画素に投影される。したがって、元の画素と画素との境界がＵＸＧＡの画素を通過することがない。このため、従来と同じように、ＳＶＧＡの画素１個とＵＸＧＡの画素４つとを一対一対応させて変換できる。
【０２０５】
すると、ＳＶＧＡ入力の場合は、１パターンの変換しか存在しないため、以下の１種類のテーブルで良い。
ＸＳＶＧＡ（ｌ，ｍ，ｎ）＝｛　ＸＵＸＧＡ−Ｒ（Ｒ０，０）＋ＸＵＸＧＡ−Ｇ（Ｇ０，０）＋ＸＵＸＧＡ−Ｂ（Ｂ０，０）＋ＸＵＸＧＡ−Ｒ（Ｒ０，１）＋ＸＵＸＧＡ−Ｇ（Ｇ０，１）＋ＸＵＸＧＡ−Ｂ（Ｂ０，１）＋ＸＵＸＧＡ−Ｒ（Ｒ１，０）＋ＸＵＸＧＡ−Ｇ（Ｇ１，０）＋ＸＵＸＧＡ−Ｂ（Ｂ１，０）＋ＸＵＸＧＡ−Ｒ（Ｒ１，１）＋ＸＵＸＧＡ−Ｇ（Ｇ１，１）＋ＸＵＸＧＡ−Ｂ（Ｂ１，１）　｝
ＹＳＶＧＡ（ｌ，ｍ，ｎ）＝｛　ＹＵＸＧＡ−Ｒ（Ｒ０，０）＋ＹＵＸＧＡ−Ｇ（Ｇ０，０）＋ＹＵＸＧＡ−Ｂ（Ｂ０，０）＋ＹＵＸＧＡ−Ｒ（Ｒ０，１）＋ＹＵＸＧＡ−Ｇ（Ｇ０，１）＋ＹＵＸＧＡ−Ｂ（Ｂ０，１）＋ＹＵＸＧＡ−Ｒ（Ｒ１，０）＋ＹＵＸＧＡ−Ｇ（Ｇ１，０）＋ＹＵＸＧＡ−Ｂ（Ｂ１，０）＋ＹＵＸＧＡ−Ｒ（Ｒ１，１）＋ＹＵＸＧＡ−Ｇ（Ｇ１，１）＋ＹＵＸＧＡ−Ｂ（Ｂ１，１）　｝
ＺＳＶＧＡ（ｌ，ｍ，ｎ）＝｛　ＺＵＸＧＡ−Ｒ（Ｒ０，０）＋ＺＵＸＧＡ−Ｇ（Ｇ０，０）＋ＺＵＸＧＡ−Ｂ（Ｂ０，０）＋ＺＵＸＧＡ−Ｒ（Ｒ０，１）＋ＺＵＸＧＡ−Ｇ（Ｇ０，１）＋ＺＵＸＧＡ−Ｂ（Ｂ０，１）＋ＺＵＸＧＡ−Ｒ（Ｒ１，０）＋ＺＵＸＧＡ−Ｇ（Ｇ１，０）＋ＺＵＸＧＡ−Ｂ（Ｂ１，０）＋ＺＵＸＧＡ−Ｒ（Ｒ１，１）＋ＺＵＸＧＡ−Ｇ（Ｇ１，１）＋ＺＵＸＧＡ−Ｂ（Ｂ１，１）　｝　　　　　　　　…（１７）
また、ＸＧＡ入力の場合は、式（４）と、ＸＧＡ入力時の画素がＵＸＧＡの液晶パネル１２においてどの領域を占めるかとの情報から、各ＰｉｘｅｌのＸＹＺの値を次式の様に求めることができる。
【０２０６】
まず、Ｐｉｘｅｌ０，０の場合には、以下のようになる。
ＸＸＧＡ（ｌ，ｍ，ｎ）＝｛　ＸＵＸＧＡ−Ｒ（Ｒ０，０）＋ＸＵＸＧＡ−Ｇ（Ｇ０，０）＋ＸＵＸＧＡ−Ｂ（Ｂ０，０）＋ＸＵＸＧＡ−Ｒ（Ｒ０，１）＋ＸＵＸＧＡ−Ｇ（Ｇ０，１）×０．５＋ＸＵＸＧＡ−Ｒ（Ｒ１，０）×０．５＋ＸＵＸＧＡ−Ｇ（Ｇ１，０）×０．５＋ＸＵＸＧＡ−Ｂ（Ｂ１，０）×０．５＋ＸＵＸＧＡ−Ｒ（Ｒ１，１）×０．５＋ＸＵＸＧＡ−Ｇ（Ｇ１，１）×０．２５　｝
ＹＸＧＡ（ｌ，ｍ，ｎ）＝｛　ＹＵＸＧＡ−Ｒ（Ｒ０，０）＋ＹＵＸＧＡ−Ｇ（Ｇ０，０）＋ＹＵＸＧＡ−Ｂ（Ｂ０，０）＋ＹＵＸＧＡ−Ｒ（Ｒ０，１）＋ＹＵＸＧＡ−Ｇ（Ｇ０，１）×０．５＋ＹＵＸＧＡ−Ｒ（Ｒ１，０）×０．５＋ＹＵＸＧＡ−Ｇ（Ｇ１，０）×０．５＋ＹＵＸＧＡ−Ｂ（Ｂ１，０）×０．５＋ＹＵＸＧＡ−Ｒ（Ｒ１，１）×０．５＋ＹＵＸＧＡ−Ｇ（Ｇ１，１）×０．２５　｝
ＺＸＧＡ（ｌ，ｍ，ｎ）＝｛　ＺＵＸＧＡ−Ｒ（Ｒ０，０）＋ＺＵＸＧＡ−Ｇ（Ｇ０，０）＋ＺＵＸＧＡ−Ｂ（Ｂ０，０）＋ＺＵＸＧＡ−Ｒ（Ｒ０，１）＋ＺＵＸＧＡ−Ｇ（Ｇ０，１）×０．５＋ＺＵＸＧＡ−Ｒ（Ｒ１，０）×０．５＋ＺＵＸＧＡ−Ｇ（Ｇ１，０）×０．５＋ＺＵＸＧＡ−Ｂ（Ｂ１，０）×０．５＋ＺＵＸＧＡ−Ｒ（Ｒ１，１）×０．５＋ＺＵＸＧＡ−Ｇ（Ｇ１，１）×０．２５　｝　　　　　　　　　…（１８）
また、Ｐｉｘｅｌ０，１の場合には、以下のようになる。
ＸＸＧＡ（ｌ，ｍ，ｎ）＝｛　ＸＵＸＧＡ−Ｇ（Ｇ０，１）×０．５＋ＸＵＸＧＡ−Ｂ（Ｂ０，１）＋ＸＵＸＧＡ−Ｒ（Ｒ０，２）＋ＸＵＸＧＡ−Ｇ（Ｇ０，２）＋ＸＵＸＧＡ−Ｂ（Ｂ０，２）＋ＸＵＸＧＡ−Ｇ（Ｇ１，１）×０．２５＋ＸＵＸＧＡ−Ｂ（Ｂ１，１）×０．５＋ＸＵＸＧＡ−Ｒ（Ｒ１，２）×０．５＋ＸＵＸＧＡ−Ｇ（Ｇ１，２）×０．５＋ＸＵＸＧＡ−Ｂ（Ｂ１，２）×０．５　｝
ＹＸＧＡ（ｌ，ｍ，ｎ）＝｛　ＹＵＸＧＡ−Ｇ（Ｇ０，１）×０．５＋ＹＵＸＧＡ−Ｂ（Ｂ０，１）＋ＹＵＸＧＡ−Ｒ（Ｒ０，２）＋ＹＵＸＧＡ−Ｇ（Ｇ０，２）＋ＹＵＸＧＡ−Ｂ（Ｂ０，２）＋ＹＵＸＧＡ−Ｇ（Ｇ１，１）×０．２５＋ＹＵＸＧＡ−Ｂ（Ｂ１，１）×０．５＋ＹＵＸＧＡ−Ｒ（Ｒ１，２）×０．５＋ＹＵＸＧＡ−Ｇ（Ｇ１，２）×０．５＋ＹＵＸＧＡ−Ｂ（Ｂ１，２）×０．５　｝
ＺＸＧＡ（ｌ，ｍ，ｎ）＝｛　ＺＵＸＧＡ−Ｇ（Ｇ０，１）×０．５＋ＺＵＸＧＡ−Ｂ（Ｂ０，１）＋ＺＵＸＧＡ−Ｒ（Ｒ０，２）＋ＺＵＸＧＡ−Ｇ（Ｇ０，２）＋ＺＵＸＧＡ−Ｂ（Ｂ０，２）＋ＺＵＸＧＡ−Ｇ（Ｇ１，１）×０．２５＋ＺＵＸＧＡ−Ｂ（Ｂ１，１）×０．５＋ＺＵＸＧＡ−Ｒ（Ｒ１，２）×０．５＋ＺＵＸＧＡ−Ｇ（Ｇ１，２）×０．５＋ＺＵＸＧＡ−Ｂ（Ｂ１，２）×０．５　｝…（１９）
なお、ＸＧＡの場合は、図１２に示すように、ＸＧＡの画素データ１個を、１．５絵素×１．５絵素に投影する。この場合、横が１０２４×１．５＝１５３６、縦が７６８×１．５＝１１５２となり余白が発生してしまう。しかしながら、本実施形態では、説明を簡単にすることと、映像の変換が簡単な整数比となる方が、入力信号の画素のエッジが鮮明となることとから、この投影を行うものとする。この場合に、拡大して絵素単位で示すと、図１３のようになる。
【０２０７】
この場合、Ｐｉｘｅｌ０，０は液晶パネル１２の赤３絵素、緑２．２５絵素、青１．５絵素の領域を占める。Ｐｉｘｅｌ０，１は液晶パネル１２の赤１．５絵素、緑２．２５絵素、青３絵素の領域を占める。Ｐｉｘｅｌ０，２のレイアウトはＰｉｘｅｌ０，０と同じになる。また、Ｐｉｘｅｌ０，３のレイアウトはＰｉｘｅｌ０，１と同じになる。Ｐｉｘｅｌ０，４のレイアウトはＰｉｘｅｌ０，０と同じになる。以降同様の繰り返しとなる。垂直方向については入力画像データの同じ列のＰｉｘｅｌはすべて同じ構成となる。そして、ＶＧＡ入力の場合と同じ用に境界処理を絵素単位で行う。
【０２０８】
そして、入力データごとに、ＳＶＧＡの場合には、式（１４）から得られるＸＹＺと式（１７）から得られるＸＹＺとの差、またＸＧＡの場合には、式（１６）から得られるＸＹＺと式（１８）（１９）から得られるＸＹＺとの差が、それぞれ最も小さくなるようにＲ０，０，Ｇ０，０，Ｂ０，０，Ｒ０，１，Ｇ０，１，Ｂ０，１，・・・の値を求める。
【０２０９】
ただし、ＶＧＡデータのときと同様に、誤差の計算については、ＸＹＺで人間の目に与える影響が異なるので、式（１０）で定義する誤差Ｅ２がもっとも小さくなるものを選ぶ。
【０２１０】
計算の結果、ＶＧＡの場合と同様に、Ｒ０，０，Ｇ０，０，Ｂ０，０，Ｒ０，１，Ｇ０，１，Ｂ０，１，・・・の値を求めることができる。ＸＧＡの場合の上記計算の結果を表６および表７に示す。尚、表６はＰｉｘｅｌ０，０に対応する計算結果であり、表７はＰｉｘｅｌ０，１に対応する計算結果である。
【０２１１】
【表６】
2004117752.tif 000008
【０２１２】
【表７】
2004117752.tif 000009
【０２１３】
先に説明したとおり、ＸＧＡ入力の場合には、入力データのすべての画素が、Ｐｉｘｅｌ０，０かＰｉｘｅｌ０，１のいずれかのパターンとため、入力モードごとにこの２種類のテーブルを用意すれば、変換が可能となる。また、ＳＶＧＡの場合については省略する。
【０２１４】
以上のように、本実施形態の液晶表示装置１−１は、ＶＧＡ、ＳＶＧＡ、ＸＧＡの入力画像データを、適切に解像度変換して、ＵＸＧＡの液晶パネル１２に表示することができる。
【０２１５】
液晶表示装置１−１は、解像度変換手段としての演算器６−１が、入力画像データの画素Ｐｉｘｅｌごとに、この画素Ｐｉｘｅｌが液晶パネル１２において占めるべき領域に含まれる全ての絵素１６のデータへと、この画素Ｐｉｘｅｌのデータを反映させることによって解像度変換を行う構成である。
【０２１６】
したがって、入力画像データの画素Ｐｉｘｅｌが、この画素Ｐｉｘｅｌの占めるべき領域に含まれる全ての絵素１６によって表現され、液晶パネル１２における絵素１６の配置に応じた、忠実な画像再現が可能となる。特に、表示エッジをはっきりと示すことができる。したがって、上記構成によれば、解像度の変更の際に発生していた表示エッジのボケを低減して表示品位を向上できる。
【０２１７】
すなわち、液晶表示装置１−１は、入力画像データの解像度を、液晶パネル１２の解像度に変更する際に、平面に配置された赤緑青の各絵素を単位として忠実に再現するようにデータを変換する機能を有した液晶表示装置である、と表現することもできる。
【０２１８】
また、本実施形態の液晶表示装置１−１は、入力データの画素の値を、液晶パネル１２の絵素の値へと反映させる際に、所望の形式に定義した色差を用いて、入力データの画素の色度と液晶パネル１２の各絵素による色度との色差が最も小さくなるようにする。
【０２１９】
したがって、所望の色差の定義によって、好ましい画像再現を行うことができる。例えば、液晶表示装置１−１は、この色差の定義を、制御スイッチ４を用いて変更することができる構成であってもよい。
【０２２０】
ここで、入力データがＶＧＡの解像度の場合には、入力データの１画素が、液晶パネル１２の２．５画素×２．５画素に変換されることになる。これによって、本来１画素に含まれる赤１絵素、緑１絵素、青１絵素を用いて表現するべき色を、液晶パネル１２の赤７．５絵素、緑６．２５絵素、青５絵素を用いて表現することができる。このため、同じ色を表現する場合であっても、各絵素の値は１つに限定されずに、所定の自由度による組み合わせを取りうることになる。本実施形態の液晶表示装置１−１は、解像度の変更によって生ずる、各絵素の値における余分の自由度を利用して、より忠実な画像再現を行う表示装置である、と表現することもできる。この場合、余分の自由度を、所望の定義による色差を最小にすることによって消去して、絵素の値を決定している。
【０２２１】
なお、絵素の配列は単純な平面状に限るものではなく、所望の曲率、凹凸などを有する平面に配置されていてもよい。この場合にも同様に変換できる。
【０２２２】
また、本実施形態に係る液晶表示装置１−１においては、カラーフィルタの縦ストライプパターンの場合を例にして説明したが、これに限らず、その他の例えばデルタ配列であってもよく、同様の効果が得られる。
【０２２３】
また、本実施の形態においては、ＵＸＧＡの解像度の液晶パネル１２を例にして説明をしたが、本発明はこれに限るものではなく、その他の解像度の液晶パネルであってもよい。
【０２２４】
なお、本発明はこの実施の形態の構成に限定されるものではなく、以下に説明する他の実施の形態における特徴点をさらに組み合わせた構成も、本発明の技術的範囲に含まれる。
【０２２５】
〔実施の形態２〕
本発明の他の実施の形態について図１４ないし図３０に基づいて説明すると以下の通りである。
【０２２６】
液晶表示装置１−２は、図１４に示すように、Ａ／Ｄコンバータ２、差動信号復号器３、制御スイッチ４、水晶発振子５、演算器（解像度変換手段）６−２、メモリ７、階調電源生成部８、バックライト９、ソースドライバ１０、ゲートドライバ１１、及び液晶パネル（表示パネル）１２を備えている。
【０２２７】
また、図１５に示すように、液晶パネル１２は、ソースバスライン１３、ゲートバスライン１４、トランジスタ（ＴＦＴ（Ｔｈｉｎ　Ｆｉｌｍ　Ｔｒａｎｓｉｓｔｏｒ））１５及びＲＧＢ（Ｒｅｄ，Ｇｒｅｅｎ，Ｂｌｕｅ）の絵素１６を備えている。この絵素１６は、ＲＧＢの組が、一つの画素に相当する。
【０２２８】
尚、上記液晶表示装置１−２の構成は、実施の形態１において図１で示した液晶表示装置１−１の構成とほぼ同様であるが、演算器６−２の機能のみ実施の形態１の場合と異なるものである。
【０２２９】
本実施形態の液晶表示装置１−２は、入力画像データを、液晶パネル１２の解像度のデータへと伸張する際に、液晶パネル１２における視角特性の良い階調が多く含まれるように絵素ごとのデータを設定して、視角特性を向上させた表示装置である。すなわち、視角特性をも考慮して、解像度変換を行う。
【０２３０】
ここで、一般の液晶パネルは、液晶パネルへの視線の角度（視角）によって、その見え方が変わるという特性がある。これは、図１６に示すように、視角に応じて各階調の輝度が変化するためである。なお、この図１６に示す特性は、一般に市販されている液晶モジュールの一例における、水平のＹ輝度の特性である。
【０２３１】
より詳細には、上記の液晶モジュールにおいては、図１７に示すように、中央の視角（０°付近）における階調と輝度比との関係は、比較的単調な変化をしている。一方、斜めからの視角（例えば８０°付近）の場合には、この階調と輝度比との関係は単調なものにはならず、歪んでいる。
【０２３２】
このように、視角に応じて階調と輝度との対応が異なるので、ある視角において正確に再現されている画像であっても、異なる視角においては再現性が悪くなってしまう。例えば、中央の視角において（３２，１２８，３２）の色だったものが、斜めの４０°の視角においては（３２，１７６，３２）の色となって、緑がかった色に変化してしまうので、画像の再現性が悪くなる。
【０２３３】
また、上記の液晶モジュールにおける視角と輝度比との関係は、図１８に示すように、階調に応じて異なっている。すなわち、視角変化に応じた輝度比の変化が大きい階調と、視角変化に応じた輝度比の変化が小さい階調とがある。
【０２３４】
ここで、本実施形態の液晶パネル１２は、簡単のため、図１６〜１８に示した視角、階調、輝度比の特性を有するものとする。すなわち、液晶表示装置１−２は、解像度変換に伴う補正がない場合には、図１６〜１８のような特性を示すものとする。
【０２３５】
本実施形態においても、ＵＸＧＡ（１６００画素×１２００画素）の解像度を有する液晶パネル１２に対して、ＶＧＡ（６４０画素×４８０画素）の解像度の画像データが入力された場合の動作を説明する。なお、この画像データは赤緑青各色８ビットの色深度を持つものとする。また、ＳＶＧＡ（８００画素×６００画素）、ＸＧＡ（１０２４画素×７６８画素）の解像度の画像データが入力された場合については、その後に説明する。
【０２３６】
入力された画像データ（入力画像データ）は、アナログ信号の場合はＡ／Ｄコンバータ２を経由してディジタル信号に変換される。差動ディジタル信号の場合は差動信号復号器３を経由してディジタル信号に変換される。
【０２３７】
変換された信号は、図１９（ａ）（ｂ）に示すような、水平の画素の取り込みに使用するクロックＣＫ、水平の同期位置を示すＨｓｙｎｃ、垂直の同期位置を示すＶｓｙｎｃなどの同期信号、および各色８ビット合計２４ビットのデータとなる。
【０２３８】
なお、このディジタル信号のデータは、入力画像データと同じＶＧＡの解像度のデータである。そのため、クロック周波数、水平同期周波数、フレーム周波数は、入力画像データと同じである。なお、入力画像データが、ＳＶＧＡ、ＸＧＡの解像度であっても、変換された後のデータは入力画像データと同じクロック周波数、水平同期周波数、フレーム周波数となる。
【０２３９】
以上のように、Ａ／Ｄコンバータ２または差動信号復号器３において変換されたディジタル信号の画像データが、演算器６−２に入力される。
【０２４０】
演算器６−２は、例えばアナログ信号から得られた同期信号の間隔に応じて周波数を割り出し、割り出した周波数の情報をＡ／Ｄコンバータ２に伝送する。また、制御スイッチ４に入力された入力信号のコントラスト情報に基づき、制御信号をＡ／Ｄコンバータ２に伝送し、アナログ信号の入力のレベルレンジを変更させる。
【０２４１】
また、演算器６−２は、入力画像データの同期信号（Ｈｓｙｎｃ，Ｖｓｙｎｃ）の間隔に応じて、その画像データの解像度、水平同期周波数、フレーム周波数を判断する。その結果に応じて、画像データの解像度の変更（伸張）を行う。
【０２４２】
ここで、本実施形態の演算器６−２は、動作の基準を確定させるために所定の周波数のクロック信号を生成する水晶発振子５と、データを一時保管するためのメモリ７とを用いて、その画像データの解像度、水平同期周波数、フレーム周波数を判断して、ＶＧＡからＵＸＧＡへの解像度変換を行う。この解像度変換については、後述する。
【０２４３】
そして、演算器６−２は、以上のように得られたデータを基にして、解像度がＵＸＧＡである液晶パネル１２に応じた制御信号（画像信号）を生成して、ソースドライバ１０およびゲートドライバ１１に出力する。
【０２４４】
演算器６−２は、生成した制御信号をソースドライバ１０に伝送する。この制御信号は、図２０に示すような、ソースドライバ１０のデータ取り込みを行うためのソースクロックＳＣＫ、データのスタートを示すソーススタートパルスＳＳＰ、ソースドライバ１０の出力の切り替えを制御するラッチパルスＬＳ、各絵素の階調を示す赤緑青の各色８ビットのデータ（Ｒ７〜Ｒ０、Ｇ７〜Ｇ０、Ｂ７〜Ｂ０）などから構成される。
【０２４５】
また、演算器６−２は、生成した制御信号をゲートドライバ１１に伝送する。この制御信号は、図２１に示すような、ゲートドライバ１１のレジスタシフトタイミングとゲートドライバの出力のパルス幅を規定するＧＣＫ、及び垂直方向のデータのスタートを示すゲートスタートパルスＧＳＰから構成される。
【０２４６】
また、演算器６−２は、制御スイッチ４に入力された階調輝度特性の情報を基にして、制御信号を生成して階調電源生成部８に伝送する。
【０２４７】
本実施形態においては、階調電源生成部８は、入力データの階調に対して、液晶パネル１２の絵素の透過率がγ＝２．２になるような基準電圧を生成する。階調電源生成部８は、生成した基準電圧をソースドライバ１０に伝送する。
【０２４８】
また、演算器６−２は、制御スイッチ４に入力された輝度情報を基にして、制御信号を生成してバックライト９のユニットに伝送する。具体的には、矩形波を生成し、そのデューティ比を変更し、そのデューティ比に応じてバックライト９の輝度を変化させる。バックライト９は、演算器６−２から送られる制御信号に基づいて、光量の調節を行う。
【０２４９】
ソースドライバ１０は、演算器６−２からの制御信号と、階調電源生成部８からの電圧とを受けて、次のように動作する。
【０２５０】
まず、ソーススタートパルスＳＳＰのハイパルスを，クロックＳＣＫで取り込む。そして、ＳＳＰのハイパルスの次のクロックから、順次データＲ７〜Ｒ０、Ｇ７〜Ｇ０、Ｂ７〜Ｂ０の取り込みを行う。
【０２５１】
また、取り込んだデータを順次、各ソースラインに配置する。ラッチＬＳのハイパルスを取り込んだ時点で、各ソースバスライン１３の出力を、現在出力されているものから、配置されたデータと階調基準電源の電圧値によって決められる電圧値に変更する。また、出力された電圧値を次のＬＳのハイパルスが入力されるまで維持する。
【０２５２】
ゲートドライバ１１は、図２１に示すように、演算器６−２からのゲートスタートパルスＧＳＰのローパルスが入力された後、ゲートクロックＧＣＫにしたがって、１ライン目から順番にゲートバスライン１４に出力を行う。
【０２５３】
このとき、ソースドライバのＬＳとゲートドライバのＧＣＫとは同期している。そして、液晶パネル１２では、ゲートバスライン１４がハイになっているラインのトランジスタ１５のみがオンし、オンしたＴＦＴトランジスタ１５のみがソースバスラインの電圧を絵素１６の電極に印加する。
【０２５４】
このときソースバスライン１３の電圧とコモン電源の電圧との電位差に応じて、絵素１６の透過率は変化する。なお、ゲートバスライン１４によってハイの電圧が印加されていない場合は、絵素１６は、以前にかかっていた印加電圧を保持して、透過率を維持する。すなわち、絵素１６の液晶素子は、等価回路でコンデンサとして描かれるように、書きこみと書きこみとの間はその状態を保持する。
【０２５５】
以上の動作によって、画面の１ライン分の書きこみが行われる。この１ライン分の書きこみを、各ラインにて順次行い、液晶パネル１２上に画像を表示することができる。
【０２５６】
ここで、図２２に、ＶＧＡの解像度の入力データをＵＸＧＡの液晶パネル１２に表示するためのデータ（表示データ）へと解像度変更する様子を模式的に示す。この場合は、画像データを、水平方向に６４０画素から１６００画素に伸張し、垂直方向に４８０画素から１２００画素に伸張することになる。
【０２５７】
図２２に示すような解像度変換の詳細について、図２３ないし２７に基づいて説明する。
【０２５８】
液晶パネル１２は、図２３に示すように、実線にて区分して示す画素Ｐが平面状に配置された構成となっている。この画素Ｐは、ＵＸＧＡの解像度に相当するだけ備えられているが、図２３においては簡単のため一部のみを示している。この画素Ｐは、上述の絵素１６のＲＧＢの組からなるものである。
【０２５９】
一方、ＶＧＡの解像度の入力データにおける画素Ｐｉｘｅｌは、液晶パネル１２において、ＵＸＧＡの画素Ｐよりも大きい領域を占めることになる。より詳細には、６４０×４８０のデータを１６００×１２００に拡大するため、液晶パネル１２における２．５画素×２．５画素の領域が、入力データの１画素の占めるべき領域に相当する。ここで、例えば図２３に示す画素Ｐ０，２においては、元の画素Ｐｉｘｅｌ０，０の値を用いるべきか、またはＰｉｘｅｌ０，１の値を用いるべきかという問題が生ずる。この点については後述する。
【０２６０】
なお、図２３ないし図２７に示す各画素Ｐ，Ｐｉｘｅｌの添え字は、左側が垂直の行番号、右側が水平の列番号を表す。例えば、Ｐｍ，ｎは、ｍ行ｎ列の液晶パネル１２の画素を意味する。同様にＰｉｘｅｌｍ，ｎは、ｍ行ｎ列のＶＧＡの入力データの画素を意味する。
【０２６１】
ところで、一般のカラー液晶パネルは、カラーフィルタの縦ストライプパターンと呼ばれる、赤緑青（Ｒｅｄ，Ｇｒｅｅｎ，Ｂｌｕｅ：ＲＧＢ）の絵素を並べて１画素を形成するという構造をとっている。その他のカラー表示のための絵素の配列としては、ブラウン管ＴＶでよく使用されているデルタ配列などがある。
【０２６２】
本実施形態の液晶パネル１２は、図２４に示すような縦ストライプパターンを有している。このとき、入力信号のＰｉｘｅｌ０，０は、液晶パネル１２の赤（Ｒ）７．５絵素、緑（Ｇ）６．２５絵素、青（Ｂ）５絵素の領域を占める。また、Ｐｉｘｅｌ０，１は、液晶パネル１２の赤５絵素、緑６．２５絵素、青７．５絵素の領域を占める。
【０２６３】
また、Ｐｉｘｅｌ０，２のレイアウトは、Ｐｉｘｅｌ０，０と同じになる。また、Ｐｉｘｅｌ０，３のレイアウトは、Ｐｉｘｅｌ０，１と同じになる。Ｐｉｘｅｌ０，４のレイアウトは、Ｐｉｘｅｌ０，０と同じになる。その他の水平方向の画素Ｐｉｘｅｌ０，ｎであっても、以降同様の繰り返しとなるので、Ｐｉｘｅｌ０，０またはＰｉｘｅｌ０，１と同様の構成となる。また、ｍを正の整数として、垂直方向の画素Ｐｉｘｅｌｍ，０、Ｐｉｘｅｌｍ，１については、入力画像データの同じ列のＰｉｘｅｌと全て同じ構成となる。したがって、画素Ｐｉｘｅｌと液晶パネル１２の絵素との対応関係は、Ｐｉｘｅｌｍ，０、Ｐｉｘｅｌｍ，１についてのテーブル、または演算式があれば分かることになる。
【０２６４】
ＳＶＧＡの入力データをＵＸＧＡの液晶パネル１２に表示する場合、液晶パネル１２の左上部分を拡大すると図２５のようになる。８００×６００のデータを１６００×１２００に拡大するため、元のＳＶＧＡの１画素のデータは液晶パネル１２の２画素×２画素に投影されることになる。
【０２６５】
ＸＧＡの場合は、図２６に示すように、ＸＧＡの画素データ１個を１．５絵素×１．５絵素に投影する。この場合、横が１０２４×１．５＝１５３６、縦が７６８×１．５＝１１５２となり余白が発生するが、本実施形態では、説明を簡単にすることと、映像の変換が簡単な整数比となる方が、入力信号の画素のエッジが鮮明となるためこの変換を行うものとする。この場合は、拡大して絵素単位で描くと図２７のようになる。そのため、Ｐｉｘｅｌ０，０は液晶パネル１２の赤３絵素、緑２．２５絵素、青１．５絵素の領域を占める。Ｐｉｘｅｌ０，１は液晶パネル１２の赤１．５絵素、緑２．２５絵素、青３絵素の領域を占める。Ｐｉｘｅｌ０，２のレイアウトはＰｉｘｅｌ０，０と同じになる。また、Ｐｉｘｅｌ０，３の構成はＰｉｘｅｌ０，１と同じになる。Ｐｉｘｅｌ０，４の構成はＰｉｘｅｌ０，０と同じになる。以降同様の繰り返しとなる。垂直方向については入力画像データの同じ列のＰｉｘｅｌはすべて同じ構成となる。
【０２６６】
また、本実施形態においては、画素Ｐｉｘｅｌの境界が、液晶パネル１２の画素Ｐ内を通過する場合であっても、以下に説明するように、画素Ｐごとでなく絵素１６ごとにデータを割り当てるので、この境界による表示ボケを低減できる。
【０２６７】
すなわち、本実施形態の演算器６−２は、入力データに対して、以下に説明するような絵素単位での処理を行う。
【０２６８】
まず、実施の形態１にて説明したように、液晶パネル１２の一画素に含まれる赤絵素、緑絵素、青絵素のＸＹＺを、式（４）を用いて求めることができる。
【０２６９】
また、ＶＧＡデータの入力時に、画素がＵＸＧＡの液晶パネルのどの領域を占めるかの情報とから、入力画像の各ＰｉｘｅｌのＸＹＺの値を、ＵＸＧＡの液晶パネル１２の絵素に以下のように反映できる。ただし、ＵＸＧＡの液晶パネル１２の各絵素の階調をそれぞれ、Ｒ０，０，Ｇ０，０，Ｂ０，０，Ｒ０，１，Ｇ０，１，Ｂ０，１，・・・とする。
【０２７０】
まず、ＶＧＡ入力データのＰｉｘｅｌ０，０と液晶パネル１２の各絵素との関係は、図２４に示すようになっている。この場合に、入力されるＶＧＡデータの各ＰｉｘｅｌのＸＹＺの値と、ＵＸＧＡの液晶パネル１２の絵素のＸＹＺの値との関係は、式（８）のようになる。また、Ｐｉｘｅｌ０，１の場合には式（９）のようになる。
【０２７１】
そして、上述の実施の形態１と同様に、入力データごとに、式（７）から得られるＸＹＺと、式（８）（９）から得られるＸＹＺとの差（誤差、色差）が最も小さくなるように、Ｒ０，０，Ｇ０，０，Ｂ０，０，Ｒ０，１，Ｇ０，１，Ｂ０，１，・・・の値を求める。誤差の計算についても、上述と同様に、バイアスした色差の式（１０）を用いて計算する。この式は、中央の視角からの誤差の計算式となる。
【０２７２】
ここで、本実施形態においては、さらに異なる視角からの表示状態をも考慮して、以下のように視角特性を向上させるようになっている。
【０２７３】
すなわち、中央以外の方向の視角についても、そのときの（２５５，２５５，２５５）の輝度と（０，０，０）の輝度とから、式（７）のγ＝２．２の時の理論値を計算することができる。また、同様に、この視角でのＵＸＧＡパネルの輝度のデータから、式（８）（９）の値も計算することができる。このように、ある視角において、式（７）から得られるＸＹＺと、式（８）（９）から得られるＸＹＺとの差（誤差、色差）が最も小さくなるように、Ｒ０，０，Ｇ０，０，Ｂ０，０，Ｒ０，１，Ｇ０，１，Ｂ０，１，・・・の値を求めることができる。これは、絵素による階調輝度特性と、入力画像データの画素による階調輝度特性との歪みを小さくすることにも相当する。
【０２７４】
そこで、本実施形態においては、各方向の視角における誤差総和を求め、それが最も小さくなるようにＲ０，０，Ｇ０，０，Ｂ０，０，Ｒ０，１，Ｇ０，１，Ｂ０，１，・・・の組み合わせを選ぶ。これによって、異なる視角からの表示状態をも考慮して、入力データに対する視角特性が向上する、好ましいＲ０，０，Ｇ０，０，Ｂ０，０，Ｒ０，１，Ｇ０，１，Ｂ０，１，・・・を得ることができる。
【０２７５】
上記計算の結果を表８および表９に示す。尚、表８はＰｉｘｅｌ０，０に対応する計算結果であり、表９はＰｉｘｅｌ０，１に対応する計算結果である。
【０２７６】
【表８】
2004117752.tif 000010
【０２７７】
【表９】
2004117752.tif 000011
【０２７８】
例えば、このようにして各色ごとに計算した結果をテーブルにして、このテーブルを用いて、ＶＧＡの入力データを解像度変換して液晶パネル１２に表示できる。または、入力データの画素ごとに、上述の計算をおこなってもよい。
【０２７９】
以上のようにして得られた、液晶表示装置１−２における解像度変換に伴う補正後の、改善された階調視角特性を図２８に示す。このように、視角ごとの階調と輝度比との関係が、輝度の変化の単調な場合における視角のデータと同様の変化を示すようになるので、視角によらない表示状態を得ることができる。
【０２８０】
このように、本来は図１７に示す視角特性を有する液晶パネル１２において、演算器６−２の解像度変換によって、図２８に示す視角特性を実現することができた。
【０２８１】
なお、ＳＶＧＡ入力データ、ＸＧＡ入力データの場合についても、上述したＶＧＡ入力データの場合と同様に、実施の形態１にて参照した式を用いて、Ｒ０，０，Ｇ０，０，Ｂ０，０，Ｒ０，１，Ｇ０，１，Ｂ０，１，・・・の値を求めることができる。上記計算の結果を表１０ないし表１２に示す。尚、表１０はＳＶＧＡ入力データにおける計算結果であり、表１１はＸＧＡ入力データにおけるＰｉｘｅｌ０，０に対応する計算結果であり、表１２はＸＧＡ入力データにおけるＰｉｘｅｌ０，１に対応する計算結果である。
【０２８２】
【表１０】
2004117752.tif 000012
【０２８３】
【表１１】
2004117752.tif 000013
【０２８４】
【表１２】
2004117752.tif 000014
【０２８５】
このようにして得られたテーブルを用いて、ＸＧＡ、ＳＶＧＡの入力画像データを適切に伸張して、改善された階調視角特性を得ることもできる。なお、ＳＶＧＡの場合の改善された階調視角特性を図２９に、ＸＧＡの場合の改善された階調視角特性を図３０に示す。ＸＧＡ、ＳＶＧＡの場合も、視角ごとの階調と輝度比との関係が、輝度の変化の単調な場合における視角のデータと同様の変化を示すようになるので、視角によらない表示状態を得ることができる。
【０２８６】
なお、グラフにがたつきがあるのは、これら図２８〜３０の作成を、１６階調とばしの荒いデータで行ったためである。
【０２８７】
以上のように、本実施形態に係る液晶表示装置１−２は、３つの絵素１６からなる画素を所定の解像度にて配置した液晶パネル１２を有し、この絵素１６を駆動して画像を液晶パネル１２に表示する。また、液晶表示装置１−２は、入力データを、液晶パネルの解像度に対応した、絵素１６ごとのデータへと解像度変換をする演算器６−２を備え、この演算器６−２は、入力データの画素が液晶パネル１２において占めるべき領域に含まれる絵素１６の数が、３つよりも大きいときは、この領域における絵素１６による色度と入力データの画素による色度との色差が、複数の互いに異なる視角において小さくなるように、絵素１６のデータを決定する構成である。これは、所定の視角の範囲において、絵素による階調輝度特性と、入力画像データの画素による階調輝度特性との歪みを小さくすることに相当する。
【０２８８】
これによって、上述のように、視角特性を向上した液晶表示装置１−２を提供できる。また、入力画像データの画素の値を、この画素が占めるべき液晶パネル１２の領域に含まれる全ての絵素に反映させるので、画面の拡大縮小や色の変化などの際に発生していた表示エッジのボケを低減して表示品位を向上できる。
【０２８９】
また、本実施形態の液晶表示装置１−２は、上述の実施の形態と同様に、解像度変換の際には、同じ色をより多くの絵素を用いて表現するので、各絵素の値は１つに限定されずに、所定の自由度による組み合わせを取りうる。本実施形態の液晶表示装置１−２は、解像度の変更によって生ずる、各絵素の値における余分の自由度を利用して、視角特性を向上させた表示装置である、と表現することもできる。この場合、余分の自由度を、視角ごとに計算する、所望の定義による色差の総和を最小にすることによって消去して、絵素の値を決定している。
【０２９０】
また、例えば上述の構成を、以下のように表現することもできる。解像度変換において、同じ色をより多くの絵素を用いて表現することを、以下のように実現してもよい。例えば図１７に示すような階調と輝度との関係がある場合に、視角が大きい場合でも、視角が小さい場合と同様な階調輝度特性となって、良好な表示が得られるようにする。このため、所望の色を、視角が大きい場合と視角が小さい場合とで同様の輝度比を示すような階調を組み合わせることによって表現する。すなわち、各絵素の値を、視角特性の良い階調が多く含まれるように構成して、所望の色を表現してもよい。
【０２９１】
なお、本発明は、上述の実施の形態の構成に限るものではない。例えば、視角ごとに、式（７）から得られるＸＹＺと、式（８）（９）から得られるＸＹＺとの差（誤差）を計算する場合に、正面からの視角においては誤差が小さいほうが好ましく、一方斜めからの視角においては誤差が大きいほうが好ましいように設定してもよい。例えば、視角の絶対値が所定の角度以下の場合には式（１０）で定義した色差を最小にする一方、視角の絶対値が所定の角度以上の場合には式（１０）で定義した色差の逆数を最小にするようにして、各絵素Ｒ０，０，Ｇ０，０，Ｂ０，０，Ｒ０，１，Ｇ０，１，Ｂ０，１，・・・の値を決めることもできる。この所定の角度は、例えば１０°〜３０°程度の値を選ぶことができる。これは、視角の絶対値が所定の角度以下である、所定の視角の範囲において、絵素による階調輝度特性と、入力画像データの画素による階調輝度特性との歪みを小さくすることに相当する。また、視角の絶対値が所定の角度以上である、所定の視角の範囲において、絵素による階調輝度特性と、入力画像データの画素による階調輝度特性との歪みを大きくすることに相当する。また、この所定の角度を制御スイッチ４によって調整できるようにしてもよい。このようにすれば、所定の角度以上の視角からの視角特性が悪くなるので、例えば斜めから他人に表示内容を見られることを防止できる。これによって、例えば周囲に他人がいる場合であってもプライバシーを保護できる表示装置を実現できる。
【０２９２】
また、本発明は、例えば視角特性調整手段としての制御スイッチ４によって、上述の視角特性を向上する構成と、上述の視角特性を劣化させる構成とを切り替え可能とする構成であってもよい。このように、両方の機能を持ち、それを選択する機能を付加すれば、使用目的に合わせて視角特性を変更できる。
【０２９３】
また、本発明はこの実施の形態の構成に限定されるものではなく、他の実施の形態における特徴点をさらに組み合わせた構成も、本発明の技術的範囲に含まれる。
【０２９４】
〔実施の形態３〕
本発明のさらに他の実施の形態について説明する。本実施形態の液晶表示装置は、上述の実施の形態１または実施の形態２に記載の構成を実現するにあたって、入力画像データ（入力データ）の画素が占めるべき領域内における絵素（サブ画素）のデータを、表示フレーム（フレーム）毎に入れ替える構成である。これによって、以下に説明するように表示品位を改善できる。
【０２９５】
本実施形態の液晶表示装置は、実施の形態１または実施の形態２において説明した表示動作において、入力画像データの画素が占めるべき領域内の同色の絵素の階調を、フレームごとに入れ替えるようになっている。その他の動作については、実施の形態１または実施の形態２のそれぞれに準ずる。
【０２９６】
本実施形態では、簡単のため、ＳＶＧＡの入力データを、ＵＸＧＡの解像度の液晶パネルに表示する場合について説明する。なお、入力データおよび液晶パネルの解像度は、これに限るものではない。
【０２９７】
本実施形態においては、入力データの画素のデータが反映されて得られる絵素のデータの組は、複数ある。この複数の絵素のデータの組を、フレーム毎に切り替えて、画像を液晶パネルに表示する。すなわち、以下の表に示すように、互いに異なるデータの組は４組あり、この４組をフレームごとに切り替える。
【０２９８】
【表１３】
2004117752.tif 000015
【０２９９】
ここで、ＳＶＧＡの入力データの画素Ｐｉｘｅｌと、液晶パネルのＵＸＧＡの画素Ｐとの関係は、図１１に示すようになっている。これより、入力データの画素Ｐｉｘｅｌ０，０には、画素Ｐ０，０、Ｐ０，１、Ｐ１，０、Ｐ１，１が含まれていることが分かる。
【０３００】
上記の表に示すように、フレーム１においては、画素Ｐ０，０に含まれるＲ絵素、Ｇ絵素、Ｂ絵素についてそれぞれＲ０，０，Ｇ０，０，Ｂ０，０に割り当てられる値を表示させ、画素Ｐ０，１に含まれるＲ絵素、Ｇ絵素、Ｂ絵素についてそれぞれＲ０，１，Ｇ０，１，Ｂ０，１に割り当てられる値を表示させる。また、表には示していないが、画素Ｐ１，０に含まれるＲ絵素、Ｇ絵素、Ｂ絵素についてそれぞれＲ１，０，Ｇ１，０，Ｂ１，０に割り当てられる値を表示させ、画素Ｐ１，１に含まれるＲ絵素、Ｇ絵素、Ｂ絵素についてそれぞれＲ１，１，Ｇ１，１，Ｂ１，１に割り当てられる値を表示させる。以下では、このフレーム１において各画素Ｐ０，０、Ｐ０，１、Ｐ１，０、Ｐ１，１の絵素に割り当てられた値を、順番に置き換えるようになっている。
【０３０１】
次に、フレーム２においては、画素Ｐ０，０に含まれるＲ絵素、Ｇ絵素、Ｂ絵素について、それぞれＲ０，１，Ｇ０，１，Ｂ０，１に割り当てられた値を表示させる一方、画素Ｐ０，１に含まれるＲ絵素、Ｇ絵素、Ｂ絵素について、それぞれＲ１，０，Ｇ１，０，Ｂ１，０に割り当てられた値を表示させる。また、表には示していないが、画素Ｐ１，０に含まれるＲ絵素、Ｇ絵素、Ｂ絵素についてそれぞれＲ１，１，Ｇ１，１，Ｂ１，１に割り当てられた値を表示させ、画素Ｐ１，１に含まれるＲ絵素、Ｇ絵素、Ｂ絵素についてそれぞれＲ０，０，Ｇ０，０，Ｂ０，０に割り当てられた値を表示させる。
【０３０２】
次に、フレーム３においては、画素Ｐ０，０に含まれるＲ絵素、Ｇ絵素、Ｂ絵素について、それぞれＲ１，０，Ｇ１，０，Ｂ１，０に割り当てられた値を表示させる一方、画素Ｐ０，１に含まれるＲ絵素、Ｇ絵素、Ｂ絵素について、それぞれＲ１，１，Ｇ１，１，Ｂ１，１に割り当てられた値を表示させる。また、表には示していないが、画素Ｐ１，０に含まれるＲ絵素、Ｇ絵素、Ｂ絵素についてそれぞれＲ０，０，Ｇ０，０，Ｂ０，０に割り当てられた値を表示させ、画素Ｐ１，１に含まれるＲ絵素、Ｇ絵素、Ｂ絵素についてそれぞれＲ０，１，Ｇ０，１，Ｂ０，１に割り当てられた値を表示させる。
【０３０３】
次に、フレーム４においては、画素Ｐ０，０に含まれるＲ絵素、Ｇ絵素、Ｂ絵素について、それぞれＲ１，１，Ｇ１，１，Ｂ１，１に割り当てられた値を表示させる一方、画素Ｐ０，１に含まれるＲ絵素、Ｇ絵素、Ｂ絵素について、それぞれＲ０，０，Ｇ０，０，Ｂ０，０に割り当てられた値を表示させる。また、表には示していないが、画素Ｐ１，０に含まれるＲ絵素、Ｇ絵素、Ｂ絵素についてそれぞれＲ０，１，Ｇ０，１，Ｂ０，１に割り当てられた値を表示させ、画素Ｐ１，１に含まれるＲ絵素、Ｇ絵素、Ｂ絵素についてそれぞれＲ１，０，Ｇ１，０，Ｂ１，０に割り当てられた値を表示させる。
【０３０４】
このように、入力画像データの画素Ｐｉｘｅｌ０，０が占めるべき領域、すなわち画素Ｐ０，０、Ｐ０，１、Ｐ１，０、Ｐ１，１において、同色の絵素の階調をフレームごとに入れ替える。例えば上記の表に示すように、フレーム１〜４まで順次絵素の階調を入れ替えて、その後にこれを繰り返す。ここでは、簡単のために、入力画像データの画素Ｐｉｘｅｌ０，０についてのみ説明したが、他の画素についても同様に行うことができる。また、フレームごとのデータの入れ替えの順序は、上述の１〜４の順序に限るものではなく、その他の順序であってもよい。
【０３０５】
また、ここではＳＶＧＡの入力データについて説明したが、これ以外の解像度の入力データであっても、上述のような処理を同様に行うことができる。ここで、例えばＶＧＡの入力データの場合には、入力データの画素が占めるべき領域内において異なる面積の絵素が存在するため、上述のＳＶＧＡのように順に置換して絵素のデータの組を得ることはできない。しかしながら、この場合であっても、入力データの画素が占めるべき領域内に含まれるそれぞれの絵素の面積を考慮した上で、例えば同じ色を表現する絵素のデータの組を複数求めることができる。したがって、このデータの組をフレームごとに切り替えることができる。
【０３０６】
以上のように、本実施形態に係る液晶表示装置は、入力データの画素のデータが反映されて得られる絵素のデータの組を、複数（４組）有している。そして、この絵素のデータの組を、フレーム毎に切り替えて、画像を液晶パネルに表示する。
【０３０７】
このように、フレーム毎に絵素のデータを切り替えて表示すれば、液晶パネルの画面に特定のパターンが現れて見えるのを防ぐことができる。したがって、表示品位を改善できる。
【０３０８】
また、これによって、液晶素子に高い電圧がかかり続けて、焼付け等の不具合が発生することを防止できる。また、上記構成のように、特定の絵素の液晶素子に高い電圧がかからないように絵素絵素間の印加電圧を平均化すれば、表示品位を向上できる。また、上述のように、入力画像データの画素の値を、この画素が占めるべき液晶パネルの領域に含まれる全ての絵素に反映させれば、画面の拡大縮小や色の変化などの際に発生していた表示エッジのボケを低減して表示品位を向上できる。
【０３０９】
なお、本発明はこの実施の形態の構成に限定されるものではなく、他の実施の形態における特徴点をさらに組み合わせた構成も、本発明の技術的範囲に含まれる。
【０３１０】
〔実施の形態４〕
本発明のさらに他の実施の形態について図３１ないし図４１に基づいて説明すると以下の通りである。
【０３１１】
液晶表示装置１−４は、図３１に示すように、Ａ／Ｄコンバータ２、差動信号復号器３、制御スイッチ４、水晶発振子５、演算器（解像度変換手段）６−４、メモリ７、階調電源生成部８−４、バックライト９、ソースドライバ１０、ゲートドライバ１１、及び液晶パネル（表示パネル）１２を備えている。
【０３１２】
また、図３２に示すように、液晶パネル１２は、ソースバスライン１３、ゲートバスライン１４、トランジスタ（ＴＦＴ（Ｔｈｉｎ　Ｆｉｌｍ　Ｔｒａｎｓｉｓｔｏｒ））１５及びＲＧＢ（Ｒｅｄ，Ｇｒｅｅｎ，Ｂｌｕｅ）の絵素１６を備えている。この絵素１６は、ＲＧＢの組が、一つの画素に相当する。
【０３１３】
尚、上記液晶表示装置１−４の構成は、実施の形態１において図１で示した液晶表示装置１−１の構成とほぼ同様であるが、演算器６−４および階調電源生成部８−４の機能のみ実施の形態１の場合と異なるものである。
【０３１４】
本実施形態の液晶表示装置１−４は、階調輝度カーブの設定変更、色温度の設定変更、カラーバランスの設定変更において、それに合わせた液晶の階調の基準電圧を生成し、量子化ノイズを低減する機能を有した表示装置である。
【０３１５】
本実施形態においては、以下に説明するように、演算器６−４と階調電源生成部８−４とを含んだスケーラチップを用いて、液晶の階調の基準電圧を生成する。この基準電圧をソースドライバ１０に入力することによって、画像を液晶パネル１２に表示して、画像データや表示条件に適した、設定に応じた階調輝度カーブを実現できる。
【０３１６】
まず、本実施形態の制御スイッチ（設定変更手段）４によれば、入力用のスイッチの調節によって、階調輝度カーブの設定変更、色温度の設定変更、またはカラーバランスの設定変更を行うことができる。
【０３１７】
また、本実施形態の演算器（基準電圧調整手段）６は、制御スイッチ４に入力された上述の設定変更に基づいて、階調電源生成部８−４を制御するための制御信号を生成する。
【０３１８】
また、演算器６−４は、制御スイッチ４に入力された輝度情報を基にして、制御するための信号を生成してバックライト９のユニットに伝送する。具体的には、矩形波を生成し、そのデューティ比を変更し、そのデューティ比によってバックライト９の輝度を調整する。
【０３１９】
以下に、本実施形態における動作例を説明する。
【０３２０】
入力された画像データ（入力画像データ）は、アナログ信号の場合はＡ／Ｄコンバータ２を経由してディジタル信号に変換される。差動ディジタル信号の場合は差動信号復号器３を経由してディジタル信号に変換される。
【０３２１】
変換された信号は、図３３（ａ）（ｂ）に示すような、水平の画素の取り込みに使用するクロックＣＫ、水平の同期位置を示すＨｓｙｎｃ、垂直の同期位置を示すＶｓｙｎｃなどの同期信号、および各色８ビット合計２４ビットのデータとなる。
【０３２２】
なお、このディジタル信号のデータは、入力画像データと同じＶＧＡの解像度のデータである。そのため、クロック周波数、水平同期周波数、フレーム周波数は、入力画像データと同じである。なお、入力画像データが、ＳＶＧＡ、ＸＧＡの解像度であっても、変換された後のデータは入力画像データと同じクロック周波数、水平同期周波数、フレーム周波数となる。
【０３２３】
以上のように、Ａ／Ｄコンバータ２または差動信号復号器３において変換されたディジタル信号の画像データが、演算器６−４に入力される。
【０３２４】
演算器６−４は、例えばアナログ信号から得られた同期信号の間隔に応じて周波数を割り出し、割り出した周波数の情報をＡ／Ｄコンバータ２に伝送する。また、制御スイッチ４に入力された入力信号のコントラスト情報に基づき、制御信号をＡ／Ｄコンバータ２に伝送し、アナログ信号の入力のレベルレンジを変更させる。
【０３２５】
また、演算器６−４は、入力画像データの同期信号（Ｈｓｙｎｃ，Ｖｓｙｎｃ）の間隔に応じて、その画像データの解像度、水平同期周波数、フレーム周波数を判断する。その結果に応じて、画像データの解像度の変更（伸張）を行う。
【０３２６】
ここで、本実施形態の演算器６−４は、動作の基準を確定させるために所定の周波数のクロック信号を生成する水晶発振子５と、データを一時保管するためのメモリ７とを用いて、その画像データの解像度、水平同期周波数、フレーム周波数を判断して、ＶＧＡからＵＸＧＡへの解像度変換を行う。この解像度変換については、後述する。
【０３２７】
そして、演算器６−４は、以上のように得られたデータを基にして、解像度がＵＸＧＡである液晶パネル１２に応じた制御信号（画像信号）を生成して、ソースドライバ１０およびゲートドライバ１１に出力する。
【０３２８】
演算器６−４は、生成した制御信号をソースドライバ１０に伝送する。この制御信号は、図３４に示すような、ソースドライバ１０のデータ取り込みを行うためのソースクロックＳＣＫ、データのスタートを示すソーススタートパルスＳＳＰ、ソースドライバ１０の出力の切り替えを制御するラッチパルスＬＳ、各絵素の階調を示す赤緑青の各色８ビットのデータ（Ｒ７〜Ｒ０、Ｇ７〜Ｇ０、Ｂ７〜Ｂ０）などから構成される。
【０３２９】
また、演算器６−４は、生成した制御信号をゲートドライバ１１に伝送する。この制御信号は、図３５に示すような、ゲートドライバ１１のレジスタシフトタイミングとゲートドライバの出力のパルス幅を規定するＧＣＫ、及び垂直方向のデータのスタートを示すゲートスタートパルスＧＳＰから構成される。
【０３３０】
また、演算器６−４は、制御スイッチ４に入力された階調輝度特性の情報を基にして、制御信号を生成して階調電源生成部８−４に伝送する。
【０３３１】
本実施形態においては、階調電源生成部８−４は、入力データの階調に対して、液晶パネル１２の絵素の透過率が、標準のγ＝２．２以外の値になるような基準電圧を生成することができる。この基準電圧の生成については後述する。階調電源生成部８−４は、生成した基準電圧をソースドライバ１０に伝送する。
【０３３２】
また、演算器６−４は、制御スイッチ４に入力された輝度情報を基にして、制御信号を生成してバックライト９のユニットに伝送する。具体的には、矩形波を生成し、そのデューティ比を変更し、そのデューティ比に応じてバックライト９の輝度を変化させる。バックライト９は、演算器６−４から送られる制御信号に基づいて、光量の調節を行う。
【０３３３】
ソースドライバ１０は、演算器６−４からの制御信号と、階調電源生成部８−４からの電圧とを受けて、次のように動作する。
【０３３４】
まず、ソーススタートパルスＳＳＰのハイパルスを，クロックＳＣＫで取り込む。そして、ＳＳＰのハイパルスの次のクロックから、順次データＲ７〜Ｒ０、Ｇ７〜Ｇ０、Ｂ７〜Ｂ０の取り込みを行う。
【０３３５】
また、取り込んだデータを順次、各ソースラインに配置する。ラッチＬＳのハイパルスを取り込んだ時点で、各ソースバスライン１３の出力を、現在出力されているものから、配置されたデータと階調基準電源の電圧値によって決められる電圧値に変更する。また、出力された電圧値を次のＬＳのハイパルスが入力されるまで維持する。
【０３３６】
ゲートドライバ１１は、図３５に示すように、演算器６−４からのゲートスタートパルスＧＳＰのローパルスが入力された後、ゲートクロックＧＣＫにしたがって、１ライン目から順番にゲートバスライン１４に出力を行う。
【０３３７】
このとき、ソースドライバのＬＳとゲートドライバのＧＣＫとは同期している。そして、液晶パネル１２では、ゲートバスライン１４がハイになっているラインのトランジスタ１５のみがオンし、オンしたＴＦＴトランジスタ１５のみがソースバスラインの電圧を絵素１６の電極に印加する。
【０３３８】
このときソースバスライン１３の電圧とコモン電源の電圧との電位差に応じて、絵素１６の透過率は変化する。なお、ゲートバスライン１４によってハイの電圧が印加されていない場合は、絵素１６は、以前にかかっていた印加電圧を保持して、透過率を維持する。すなわち、絵素１６の液晶素子は、等価回路でコンデンサとして描かれるように、書きこみと書きこみとの間はその状態を保持する。
【０３３９】
以上の動作によって、画面の１ライン分の書きこみが行われる。この１ライン分の書きこみを、各ラインにて順次行い、液晶パネル１２上に画像を表示することができる。
【０３４０】
以下では、まず階調輝度カーブの設定変更の場合について説明する。
【０３４１】
本実施形態では、階調輝度カーブにおける階調輝度特性は、標準のγ＝２．２に加えて、γ＝２．０とγ＝２．４とが選択可能である。このγを変更することによって、階調輝度カーブが変更される。
【０３４２】
以下では、まず、設定されるγの値に応じた制御信号や基準電圧について説明する。本実施形態では、階調を決めるための基準電圧は、０，３２，６４，９６，１２８，１６０，１９２，２２４，２５５の９個の階調ごとに生成する。
【０３４３】
また、γの値に応じた、それぞれの階調を出すため必要なソースの電圧及びそのときの制御信号のハイ幅は、以下の表のように設定する。なお、ハイ幅とは、以下に説明するハイ電圧とロー電圧との組を意味する。γ＝２．２の場合は以下の表のようにする。
【０３４４】
【表１４】
2004117752.tif 000016
【０３４５】
γ＝２．０の場合は以下の表のようにする。
【０３４６】
【表１５】
2004117752.tif 000017
【０３４７】
γ＝２．４の場合は以下の表のようにする。
【０３４８】
【表１６】
2004117752.tif 000018
【０３４９】
ここで、図３６に基づいて、液晶パネル１２の液晶素子の特性について説明する。絵素１６を構成する液晶素子は、図３２に示すソースバスライン１３の図示しないソースバス電極と、図示しないコモン電極との間で挟まれている。
【０３５０】
図３６において、横軸は液晶素子への印加電圧であり、縦軸は印加電圧に応じた液晶素子の透過率である。液晶素子は、このように印加電圧に応じて透過率を変化させる。したがって、所望の階調を出すためには、印加電圧の値を、図３６に示す特性に応じて調整する必要がある。なお、図３６に示した特性は、ノーマリブラックの構成における液晶の特性を記載しており、ノーマリホワイトの場合は傾きが逆になる。
【０３５１】
ここで、液晶素子への印加電圧は、ソースバスライン１３に印加される電圧とコモン電源のコモン電圧との電位差である。この液晶素子に、同じ方向で一定の電圧が印加されつづけると、分極を生じてしまう。これによって液晶素子の特性が劣化する。これを防止するため、液晶素子に印加する電圧は、例えば一定の絶対値の電圧であって、所定のタイミングで異なる向きに反転されるようになっている。
【０３５２】
そして、このような反転は、例えばソースバスライン１３に印加する電圧をハイ電圧またはロー電圧として、このハイ電圧とロー電圧とを切り替えることによって実現される。なお、コモン電圧は、ハイ電圧とロー電圧との間に設定されている。そして、ソースバスライン１３にハイ電圧が印加されているときには、ソースバスライン１３側が陽極となる。また、ソースバスライン１３にロー電圧が印加されているときには、ソースバスライン１３側が陰極となる。
【０３５３】
したがって、実際に液晶素子に印加される電圧は、ソースバスライン１３におけるハイ電圧とロー電圧との電位差の、２分の１の値となる。なお、階調輝度カーブでは制御は赤緑青が同じ階調カーブとなる。
【０３５４】
なお、上述の表において、各階調ごとにハイ電圧とロー電圧との組がそれぞれ異なっているのは、以下の理由による。
【０３５５】
すなわち、ハイ電圧とロー電圧とを切り替える際には、トランジスタの１５のＧＮＤ方向に引き込みが発生する。この引き込み電圧の大きさが、印加電圧によって異なっている。したがって、例えばロー電圧を固定して、各階調ごとにハイ電圧のみを異ならせた場合には、ハイ電圧の印加時とロー電圧の印加時とで表示される輝度が変わってしまい、フリッカを生ずる虞れがある。このため、上述のように、各階調ごとにハイ電圧とロー電圧との組をそれぞれ適切に異ならせた値を用いるようになっている。
【０３５６】
また、この引き込みの大きさは、液晶を生産する際にばらつきが大きくなる部分である。このため、上述のようにハイ電圧とロー電圧とを設定しても、十分な品質の表示を得ることができない虞れもある。そこで、通常は、このばらつきをなくすために、さらにコモン電圧の電位をボリュームで調整する回路を付加し、実際の生産ラインにおいて調整工程を行うようになっている。この電位が十分に調整されていない場合には、ハイ電圧の印加時とロー電圧の印加時とで表示される輝度が変わってしまい、フリッカを生ずる虞れがある。
【０３５７】
本実施形態では、例えば工場における調整工程において、フリッカーメータあるいは目視にて、フリッカが無くなるように調整を行う。
【０３５８】
そして、本実施形態では、ハイ電圧とロー電圧の値を、メモリ７内にハイ幅の数値として保管してもよい。この場合、調整工程において、ＲＯＭライタによって、調整結果をメモリ７内のＲＯＭに一台ごとに焼きこむことが可能となる。
【０３５９】
例えば、ボリュームで調整する回路を、上述のようにＲＯＭメモリに置き換えれば、部品代が安価になる上に、ボリュームを回すというアナログ作業をディジタルの情報伝送に換えることができる。よって、生産設備の自動化が容易になる。
【０３６０】
ここで、制御スイッチ４に入力されたγの値に基づく、上述の表に応じた演算器６−４および階調電源生成部８−４の動作について説明する。
【０３６１】
演算器６−４は、制御スイッチ４からの入力に応じて、例えば所望のγに応じたメモリ７内のハイ幅を読み出し、制御信号として、適切なデューティ比の矩形波を生成する。また、階調電源生成部８−４が、演算器６−４からの制御信号に応じて複数の適切な基準電圧（階調電圧）を作成する。
【０３６２】
ここで、本実施形態の演算器６−４と階調電源生成部８−４とは、図３７に示すように、スケーラチップ１７に含まれ、一体になっている。このスケーラチップ１７から、液晶の階調の基準電圧が出力されるようになっている。
【０３６３】
階調電源生成部８−４は、図３７に示すように、ローパスフィルタ１８と増幅器１９とを含んでいる。なお、図３７には、簡単のため、ローパスフィルタ１８と増幅器１９とを一組のみ、すなわち一つの電圧を生成するための構成のみを示している。階調輝度特性を変える場合は、実際には上述の９個の階調に応じて９組のローパスフィルタ１８と増幅器１９とが必要となる。また、電圧を生成するためには１８個必要となる。後述するように、色温度も変える場合には、赤緑青の電圧を独立して作るので、３倍の４８個必要となる。
【０３６４】
階調電源生成部８−４のローパスフィルタ１８に、演算器６−４から制御信号としての矩形波が入力される。ローパスフィルタ１８は、連続した矩形波信号が入力されると実効電圧を出力する。この電圧は、ソースに印加する電圧に比例したデューティ比となっているので、この得られた電圧を増幅器１９にて増幅してソース電圧を生成できる。
【０３６５】
このように、デューティ比を変化させることのできる出力端子を設け、そのデューティ比に基づいて電圧を生成する、ローパスフィルタ１８と増幅器１９とからなる回路を付加すれば、基準電源を可変に生成する電源を実現できる。この電圧をソースドライバ１０に入力することによって、画像データや表示条件に適した階調輝度カーブを実現できる。
【０３６６】
以上のようにして、γを２．２から他の値に変化させた場合であっても、図３８に示すような、なめらかな階調輝度特性を得ることができる。すなわち、階調輝度カーブの設定の変更に応じて、変更後の階調輝度カーブの設定を満足させるような基準電圧を生成できるので、変更後の階調と輝度との関係を、量子化ノイズなしに実現することができる。
【０３６７】
一方、例えば、従来の液晶表示装置２１においては、階調輝度カーブを変更する場合であっても、必要な階調輝度が生成される訳ではないので、所望の階調に対応する輝度が存在しないことがある。このため、図４０に示すように、階調輝度特性において、量子化ノイズが発生して、表示品位を劣化させる虞れがある。
【０３６８】
次に、本実施形態の液晶表示装置１−４における、色温度の設定変更の場合について説明する。
【０３６９】
演算器６−４は、制御スイッチ４に入力された色温度の階調輝度特性の情報に基づいて、階調電源生成部８−４を制御するための信号を生成する。
【０３７０】
ここでは、色温度が約６５００Ｋに設定されており、新たに９３００Ｋを設定する場合について説明する。すなわち、本実施形態では、色温度は、９３００Ｋと６５００Ｋとが選択可能であるとする。この情報に基づいて、制御信号として、所定のデューティ比の信号を生成する。
【０３７１】
実施の形態１において説明した式（１）〜（４）によって、ＵＸＧＡの液晶パネル１２の一画素に含まれる赤絵素、緑絵素、青絵素のＸＹＺを、それぞれ独立して求めることができる。９３００Ｋのときの色度は、ｘ＝０．２８１、ｙ＝０．３１１とする。
【０３７２】
ここで、色温度は、値が高い場合には対応する色度は青方向にシフトし、値が低い場合には対応する色度は赤方向にシフトする。このため、青の階調を２５５とし、それに併せて赤緑の階調を設定したときに最も高い輝度となる。
【０３７３】
そこで、ｘ＝０．２８１、ｙ＝０．３１１、ｎ＝２５５を、式（２）〜（４）に代入して計算すると、ｌ＝２４４．０３、ｍ＝１６０．０６が得られる。つまり、色温度が９３００Ｋのときの全白は、通常出力における（２４４，１６０，２５５）と対応する。
【０３７４】
ここで、階調を決める基準電圧は、０，３２，６４，９６，１２８，１６０，１９２，２２４，２５５の９個の階調ごとに生成する。
【０３７５】
そして、上述のγ（階調輝度カーブ）を変えたときと同様に、色温度を９３００Ｋへ変えたときに、それぞれの階調を出すために必要なソースの電圧とそのときの制御信号のハイ幅とを以下の表のように設定する。なお、色温度を変える場合は、赤緑青の構成比が異なるため、赤緑青について、それぞれ独立して階調の値を変える必要がある。計算の結果、赤階調の場合は以下の表のようになる。
【０３７６】
【表１７】
2004117752.tif 000019
【０３７７】
また、緑階調の場合は以下の表のようになる。
【０３７８】
【表１８】
2004117752.tif 000020
【０３７９】
また、青階調の場合は以下の表のようになる。
【０３８０】
【表１９】
2004117752.tif 000021
【０３８１】
なお、６５００Ｋのときは、変更前の通常表示であるので赤緑青階調とも以下の表のようになる。もちろん、今回は液晶パネルの特性が６５００Ｋであるのでこのようになるが、これと異なっている場合は、９３００Ｋの時と同様に赤緑青を独立して設定する。
【０３８２】
【表２０】
2004117752.tif 000022
【０３８３】
上述の設定に応じて階調を生成すれば、上述のγの変更と同様に、適切に表示できる。
【０３８４】
以上のようにして、色温度を変化させた場合についても、図３９に示すような、なめらかな階調輝度特性を得ることができる。すなわち、本実施形態の場合は、必要な階調輝度を生成できるので量子化ノイズは発生しない。また、本実施形態の場合は、９３００Ｋであっても赤緑とも２５５階調使える。また、液晶表示装置１−４は、カラーバランスの調整も行うことができる。カラーバランスの調整については説明を省略する。
【０３８５】
一方、従来の液晶表示装置２１では、色温度２１を変更する場合に、必要な階調の輝度が存在しない場合がある。このため、図４１で判るように、量子化ノイズが発生して、表示品位を劣化させる虞れがあった。ここで例えば、従来の液晶表示装置２１は、９３００Ｋで使用する場合に、赤２４４階調、緑１６０階調しか使用できない。このため、計算結果を量子化する際に、図４１に示すような量子化ノイズを発生して、表示品位が劣化する。
【０３８６】
以上のように、本実施形態に係る液晶表示装置１−４は、制御スイッチ４に入力される設定変更に応じて、演算器６−４が制御信号を階調電源生成部８−４へと出力し、階調電源生成部８−４が生成した所望の基準電圧を用いて画像を液晶パネル１２に表示する。
【０３８７】
したがって、階調輝度カーブの設定変更、色温度の設定変更、またはカラーバランスの設定変更などに応じて基準電圧を変化させて、設定変更後も量子化ノイズを発生させない。
【０３８８】
また、例えば、上記液晶表示装置１−４は、入力画像データを解像度変換して液晶パネル１２に表示させる構成であってもよい。これによって、画面の拡大縮小の際に発生していた量子化ノイズの低減によって、表示品位を向上できる。
【０３８９】
なお、本発明はこの実施の形態の構成に限定されるものではなく、他の実施の形態における特徴点をさらに組み合わせた構成も、本発明の技術的範囲に含まれる。例えば、上述の実施の形態２の特徴点と本実施の形態の特徴点とを併せ持った液晶表示装置１−４も、本発明に含まれる。すなわち、解像度変換を行う際に、視角特性をも考慮して所望の視角特性を実現する液晶表示装置１−４は、この所望の視角特性を量子化ノイズなしに実現するために、解像度変換手段としての演算器６−４が視角特性の設定を変更するとともに制御信号を階調電源生成部８−４へと出力して、基準電圧を変化させる構成であってもよい。この構成によれば、例えば解像度変換を行う際にも、基準電圧を適切に変化させるので、量子化ノイズを低減できる。
【０３９０】
〔実施の形態５〕
本発明のさらに他の実施の形態について図４２ないし図５０に基づいて説明すると以下の通りである。
【０３９１】
本実施形態の液晶表示装置１−５は、階調輝度カーブの設定変更、色温度の設定変更、カラーバランスの設定変更に応じて、表示フレーム（フレーム）間で階調データを変化させることによって、所望の中間階調の表示を行う。このように所望の中間階調の表示を行うので、量子化ノイズを低減できる。すなわち、本実施形態の液晶表示装置１−５は、上述の実施の形態４における階調電源の作成による階調の生成を、フレーム切り替えによる階調生成によって行うものである、ということもできる。
【０３９２】
液晶表示装置１−５は、図４２に示すように、Ａ／Ｄコンバータ２、差動信号復号器３、制御スイッチ４、水晶発振子５、演算器（解像度変換手段）６−５、メモリ７、階調電源生成部８、バックライト９、ソースドライバ１０、ゲートドライバ１１、及び液晶パネル（表示パネル）１２を備えている。
【０３９３】
また、図４３に示すように、液晶パネル１２は、ソースバスライン１３、ゲートバスライン１４、トランジスタ（ＴＦＴ（Ｔｈｉｎ　Ｆｉｌｍ　Ｔｒａｎｓｉｓｔｏｒ））１５及びＲＧＢ（Ｒｅｄ，Ｇｒｅｅｎ，Ｂｌｕｅ）の絵素１６を備えている。この絵素１６は、ＲＧＢの組が、一つの画素に相当する。
【０３９４】
尚、上記液晶表示装置１−５の構成は、実施の形態１において図１で示した液晶表示装置１−１の構成とほぼ同様であるが、演算器６−５の機能のみ実施の形態１の場合と異なるものである。
【０３９５】
まず、本実施形態の制御スイッチ（設定変更手段）４によれば、入力用のスイッチの調節によって、階調輝度カーブの設定変更、色温度の設定変更、またはカラーバランスの設定変更を行うことができる。
【０３９６】
また、本実施形態の演算器（データ切り替え手段）６は、制御スイッチ４に入力された上述の設定変更に基づいて、フレーム間でデータの切り替えを行って、擬似的に中間調を表現する。これは、人間の目の残像現象を利用したもので、代表的な手法として、ＦＲＣ（Ｆｒａｍｅ　Ｒａｔｅ　Ｃｏｎｔｒｏｌ）と呼ばれる方法がある。
【０３９７】
このＦＲＣ法は、４つのフレームにおいて階調ｎと階調ｎ＋１との発生頻度を調整することによって、階調ｎと階調ｎ＋１との間に下記の３つの階調（Ｋ１）〜（Ｋ３）を作成する。
（Ｋ１）　　Ｌ（ｎ）×０．７５＋Ｌ（ｎ＋１）×０．２５
（Ｋ２）　　Ｌ（ｎ）×０．５＋Ｌ（ｎ＋１）×０．５
（Ｋ３）　　Ｌ（ｎ）×０．２５＋Ｌ（ｎ＋１）×０．７５
例えば演算器６−５においてＦＲＣ法を採用して６ビットモジュールに使用すると、各色２５３階調となる。したがって、１６１９万色の表現が可能となる。これは通常、擬似１６００万色と呼ばれる。
【０３９８】
ここで、本実施形態においては、８ビットモジュールを使用するとともに、２フレーム間においてデータを切り替えて、擬似的な階調を生成する。ただし、本発明はこれに限るものではなく、３以上の複数フレーム間においてデータを切り替えて擬似的な階調を生成することもできる。
【０３９９】
また、本実施形態の液晶表示装置１−５は、液晶モジュールに駆動装置の機能が組み込まれたオールインワン型の液晶モジュールを含んでいる。したがって、本実施形態の演算器６−５およびメモリ７は、液晶パネル１２と一体化されている。このため、液晶パネル１２の特性に応じた階調カーブに関する設定をメモリ７に格納し、演算器６−５にて読取った上で、液晶パネル１２に画像を表示することができる。そこで、本実施形態においては、階調ｎと階調ｎ＋１との間での切り替えではなく、すべての階調同士の切り替えを行う。したがって、本実施形態においては、各色２５６×２５６＝６５５３６階調の表現を行うことができる。
【０４００】
以下に、本実施形態における動作例を説明する。
【０４０１】
入力された画像データ（入力画像データ）は、アナログ信号の場合はＡ／Ｄコンバータ２を経由してディジタル信号に変換される。差動ディジタル信号の場合は差動信号復号器３を経由してディジタル信号に変換される。
【０４０２】
変換された信号は、図４４（ａ）（ｂ）に示すような、水平の画素の取り込みに使用するクロックＣＫ、水平の同期位置を示すＨｓｙｎｃ、垂直の同期位置を示すＶｓｙｎｃなどの同期信号、および各色８ビット合計２４ビットのデータとなる。
【０４０３】
なお、このディジタル信号のデータは、入力画像データと同じＶＧＡの解像度のデータである。そのため、クロック周波数、水平同期周波数、フレーム周波数は、入力画像データと同じである。なお、入力画像データが、ＳＶＧＡ、ＸＧＡの解像度であっても、変換された後のデータは入力画像データと同じクロック周波数、水平同期周波数、フレーム周波数となる。
【０４０４】
以上のように、Ａ／Ｄコンバータ２または差動信号復号器３において変換されたディジタル信号の画像データが、演算器６−５に入力される。
【０４０５】
演算器６−５は、例えばアナログ信号から得られた同期信号の間隔に応じて周波数を割り出し、割り出した周波数の情報をＡ／Ｄコンバータ２に伝送する。また、制御スイッチ４に入力された入力信号のコントラスト情報に基づき、制御信号をＡ／Ｄコンバータ２に伝送し、アナログ信号の入力のレベルレンジを変更させる。
【０４０６】
また、演算器６−５は、入力画像データの同期信号（Ｈｓｙｎｃ，Ｖｓｙｎｃ）の間隔に応じて、その画像データの解像度、水平同期周波数、フレーム周波数を判断する。その結果に応じて、画像データの解像度の変更（伸張）を行う。
【０４０７】
ここで、本実施形態の演算器６−５は、動作の基準を確定させるために所定の周波数のクロック信号を生成する水晶発振子５と、データを一時保管するためのメモリ７とを用いて、その画像データの解像度、水平同期周波数、フレーム周波数を判断して、ＶＧＡからＵＸＧＡへの解像度変換を行う。この解像度変換については、後述する。
【０４０８】
そして、演算器６−５は、以上のように得られたデータを基にして、解像度がＵＸＧＡである液晶パネル１２に応じた制御信号（画像信号）を生成して、ソースドライバ１０およびゲートドライバ１１に出力する。
【０４０９】
演算器６−５は、生成した制御信号をソースドライバ１０に伝送する。この制御信号は、図４５に示すような、ソースドライバ１０のデータ取り込みを行うためのソースクロックＳＣＫ、データのスタートを示すソーススタートパルスＳＳＰ、ソースドライバ１０の出力の切り替えを制御するラッチパルスＬＳ、各絵素の階調を示す赤緑青の各色８ビットのデータ（Ｒ７〜Ｒ０、Ｇ７〜Ｇ０、Ｂ７〜Ｂ０）などから構成される。
【０４１０】
また、演算器６−５は、生成した制御信号をゲートドライバ１１に伝送する。この制御信号は、図４６に示すような、ゲートドライバ１１のレジスタシフトタイミングとゲートドライバの出力のパルス幅を規定するＧＣＫ、及び垂直方向のデータのスタートを示すゲートスタートパルスＧＳＰから構成される。
【０４１１】
また、演算器６−５は、制御スイッチ４に入力された階調輝度特性の情報を基にして、制御信号を生成して階調電源生成部８に伝送する。
【０４１２】
本実施形態においては、階調電源生成部８は、入力データの階調に対して、液晶パネル１２の絵素の透過率がγ＝２．２になるような基準電圧を生成する。なお、本実施形態においては、後述するように、フレーム間で階調を切り替えることによってγ＝２．２以外の表示状態も実現できる。階調電源生成部８は、生成した基準電圧をソースドライバ１０に伝送する。
【０４１３】
また、演算器６−５は、制御スイッチ４に入力された輝度情報を基にして、制御信号を生成してバックライト９のユニットに伝送する。具体的には、矩形波を生成し、そのデューティ比を変更し、そのデューティ比に応じてバックライト９の輝度を変化させる。バックライト９は、演算器６−５から送られる制御信号に基づいて、光量の調節を行う。
【０４１４】
ソースドライバ１０は、演算器６−５からの制御信号と、階調電源生成部８からの電圧とを受けて、次のように動作する。
【０４１５】
まず、ソーススタートパルスＳＳＰのハイパルスを，クロックＳＣＫで取り込む。そして、ＳＳＰのハイパルスの次のクロックから、順次データＲ７〜Ｒ０、Ｇ７〜Ｇ０、Ｂ７〜Ｂ０の取り込みを行う。
【０４１６】
また、取り込んだデータを順次、各ソースラインに配置する。ラッチＬＳのハイパルスを取り込んだ時点で、各ソースバスライン１３の出力を、現在出力されているものから、配置されたデータと階調基準電源の電圧値によって決められる電圧値に変更する。また、出力された電圧値を次のＬＳのハイパルスが入力されるまで維持する。
【０４１７】
ゲートドライバ１１は、図４６に示すように、演算器６−５からのゲートスタートパルスＧＳＰのローパルスが入力された後、ゲートクロックＧＣＫにしたがって、１ライン目から順番にゲートバスライン１４に出力を行う。
【０４１８】
このとき、ソースドライバのＬＳとゲートドライバのＧＣＫとは同期している。そして、液晶パネル１２では、ゲートバスライン１４がハイになっているラインのトランジスタ１５のみがオンし、オンしたＴＦＴトランジスタ１５のみがソースバスラインの電圧を絵素１６の電極に印加する。
【０４１９】
このときソースバスライン１３の電圧とコモン電源の電圧との電位差に応じて、絵素１６の透過率は変化する。なお、ゲートバスライン１４によってハイの電圧が印加されていない場合は、絵素１６は、以前にかかっていた印加電圧を保持して、透過率を維持する。すなわち、絵素１６の液晶素子は、等価回路でコンデンサとして描かれるように、書きこみと書きこみとの間はその状態を保持する。
【０４２０】
以上の動作によって、画面の１ライン分の書きこみが行われる。この１ライン分の書きこみを、各ラインにて順次行い、液晶パネル１２上に画像を表示することができる。
【０４２１】
本実施形態においては、階調カーブに関して下記の通りの設定が可能とする。すなわち、階調輝度特性については、γ＝２．０、γ＝２．２（パネル標準）、またはγ＝２．４を選択できる。また、色温度については、６５００Ｋ（パネル標準）、または９３００Ｋを選択できる。
【０４２２】
これらの階調輝度特性、または色温度の設定を実現するためには、それぞれの設定について必要な輝度を求め、これを、表現可能な６５５３６階調の中から選ぶようにする。
【０４２３】
すなわち、ｎ、ｍを０以上２５５以下の整数として、階調ｎと階調ｍとを用いて、中間の階調Ｌ（ｎ）×０．５＋Ｌ（ｍ）×０．５を生成して必要な輝度を得る。これによって、所望の生成すべき階調Ｌ（ｎ）×０．５＋Ｌ（ｍ）×０．５を、階調ｎ、ｍを用いてフレーム切り替えによって実現できる。
【０４２４】
これらの階調輝度特性、または色温度の設定を実現するための設定について、以下に説明する。
【０４２５】
制御スイッチ４から、階調輝度特性をγ＝２．０にする指示が入力されたときには、例えば以下の表２１に示すような設定で出力する。階調輝度特性をγ＝２．２にする制御信号が入力されたときには、パネルの特性そのままを出力する。階調輝度特性をγ＝２．４にする制御信号が入力されたときには、例えば以下の表２２に示すような設定で出力する。
【０４２６】
【表２１】
2004117752.tif 000023
【０４２７】
【表２２】
2004117752.tif 000024
【０４２８】
また、色温度を６５００Ｋにする制御信号が入力されたときパネルの特性そのままを出力する。また、９３００Ｋにする制御信号が入力されたときは、例えば以下の表２３に示すような設定で出力する。
【０４２９】
【表２３】
2004117752.tif 000025
【０４３０】
本実施形態の液晶表示装置１−５は、中間調を生成し、より細かいステップで必要な階調輝度を生成できるので、γを２．２から変化させた場合であっても、図４７に示すように、量子化ノイズを生じさせない。
【０４３１】
一方、従来の液晶表示装置２１では、階調輝度カーブを変更する場合に、必要な階調の輝度が存在しないことがあり、図４８に示すように量子化ノイズを生じて表示品位が劣化する虞れがある。
【０４３２】
また、本実施形態の液晶表示装置１−５は、色温度９３００Ｋが設定された場合であっても、赤緑とも、より細かいステップの階調を生成できるので、図４９に示すように量子化ノイズを防げる。
【０４３３】
一方、従来の液晶表示装置２１は、９３００Ｋで使用する場合は、赤２４４階調、緑１６０階調しか使用できない。このため、計算結果を量子化する際に、図５０に示すような量子化ノイズを発生して、表示品位が劣化する。
【０４３４】
以上のように、本実施形態の液晶表示装置１−５によれば、量子化ノイズを防いで適切な表示を行える。なお、液晶表示装置１−５は、階調輝度カーブ、色温度と同様に、カラーバランスの調整も行うことができる。カラーバランスについては説明を省略する。
【０４３５】
また、本実施形態の液晶表示装置１−５は、メモリ７を有しているので、例えば上述の表をメモリ７のＲＯＭに格納して、ＦＲＣ法を実現することができる。この場合には、ＦＲＣ法を実現するために余分な機能を追加する必要がないので、本実施形態の液晶表示装置１−５を安価かつ容易に実現できる。
【０４３６】
また、このメモリ７には、生産品のばらつきを測定してデータ化したものを、ＲＯＭライタによって記録することもできる。このＲＯＭのデータを用いて色度を変えることもできる。したがって、量産工程、調整工程などにおいて、色度のずれを容易に調整できる。
【０４３７】
また、例えば、上記液晶表示装置１−５は、入力画像データを解像度変換して液晶パネル１２に表示させる構成であってもよい。これによって、画面の拡大縮小の際に発生していた量子化ノイズの低減によって、表示品位を向上できる。
【０４３８】
なお、本発明はこの実施の形態の構成に限定されるものではなく、他の実施の形態における特徴点をさらに組み合わせた構成も、本発明の技術的範囲に含まれる。例えば、上述の実施の形態２の特徴点と本実施の形態の特徴点とを併せ持った液晶表示装置も、本発明に含まれる。すなわち、解像度変換を行う際に、視角特性をも考慮して所望の視角特性を実現する液晶表示装置１−５は、この所望の視角特性を量子化ノイズなしに実現するために、解像度変換手段としての演算器６−５が視角特性の設定を変更するとともに、複数フレーム間で出力階調を変化させて、所望の中間階調を表示する構成であってもよい。この構成によれば、例えば視角特性を考慮して解像度変化を行う際に、所望の中間階調を表示させることができるので、量子化ノイズを低減できる。
【０４３９】
〔実施の形態６〕
本発明のさらに他の実施の形態について図５１ないし図５８に基づいて説明すると以下の通りである。
【０４４０】
本実施形態の液晶表示装置１−６は、入力画像データを液晶パネル１２の解像度へと変換する際に、ゲートバスラインを複数同時にオンする機能を有している。これによって、一画面の書き換え速度を向上できる。また、フレーム周波数を高めることができる。また、輝度の瞬きを軽減できる。
【０４４１】
液晶表示装置１−６は、図５１に示すように、Ａ／Ｄコンバータ２、差動信号復号器３、制御スイッチ４、水晶発振子５、演算器（解像度変換手段）６−６、メモリ７、階調電源生成部８、バックライト９、ソースドライバ１０、ゲートドライバ１１、及び液晶パネル（表示パネル）１２を備えている。
【０４４２】
また、図５２に示すように、液晶パネル１２は、ソースバスライン１３、ゲートバスライン１４、トランジスタ（ＴＦＴ（Ｔｈｉｎ　Ｆｉｌｍ　Ｔｒａｎｓｉｓｔｏｒ））１５及びＲＧＢ（Ｒｅｄ，Ｇｒｅｅｎ，Ｂｌｕｅ）の絵素１６を備えている。この絵素１６は、ＲＧＢの組が、一つの画素に相当する。
【０４４３】
尚、上記液晶表示装置１−６の構成は、実施の形態１において図１で示した液晶表示装置１−１の構成とほぼ同様であるが、演算器６−６の機能のみ実施の形態１の場合と異なるものである。
【０４４４】
演算器（画像信号供給手段）６−６は、入力画像データの同期信号の間隔によって、その画像データの解像度、水平同期周波数、フレーム周波数を判断する。この判断に応じて、入力データを解像度変換する。本実施形態の液晶パネル１２はＵＸＧＡの解像度なので、水平方向への引き延ばしは、例えば入力データがＶＧＡの場合は２．５倍、ＳＶＧＡの場合は２倍、ＸＧＡの場合は１．５倍となる。
【０４４５】
また、演算器６−６は、この引き伸ばしとともに、ソースドライバ１０とゲートドライバ１１とへの制御信号（画像信号）の生成の際に、入力信号がＶＧＡの場合はフレーム周波数を、通常のパネル使用時の２．５倍、ＳＶＧＡの場合は同２倍、ＸＧＡの場合は同１．５倍に変更する。
【０４４６】
以下に、本実施形態における動作例を説明する。
【０４４７】
入力された画像データ（入力画像データ）は、アナログ信号の場合はＡ／Ｄコンバータ２を経由してディジタル信号に変換される。差動ディジタル信号の場合は差動信号復号器３を経由してディジタル信号に変換される。
【０４４８】
変換された信号は、図５３（ａ）（ｂ）に示すような、水平の画素の取り込みに使用するクロックＣＫ、水平の同期位置を示すＨｓｙｎｃ、垂直の同期位置を示すＶｓｙｎｃなどの同期信号、および各色８ビット合計２４ビットのデータとなる。
【０４４９】
なお、このディジタル信号のデータは、入力画像データと同じＶＧＡの解像度のデータである。そのため、クロック周波数、水平同期周波数、フレーム周波数は、入力画像データと同じである。なお、入力画像データが、ＳＶＧＡ、ＸＧＡの解像度であっても、変換された後のデータは入力画像データと同じクロック周波数、水平同期周波数、フレーム周波数となる。
【０４５０】
以上のように、Ａ／Ｄコンバータ２または差動信号復号器３において変換されたディジタル信号の画像データが、演算器６−６に入力される。
【０４５１】
演算器６−６は、例えばアナログ信号から得られた同期信号の間隔に応じて周波数を割り出し、割り出した周波数の情報をＡ／Ｄコンバータ２に伝送する。また、制御スイッチ４に入力された入力信号のコントラスト情報に基づき、制御信号をＡ／Ｄコンバータ２に伝送し、アナログ信号の入力のレベルレンジを変更させる。
【０４５２】
また、演算器６−６は、入力画像データの同期信号（Ｈｓｙｎｃ，Ｖｓｙｎｃ）の間隔に応じて、その画像データの解像度、水平同期周波数、フレーム周波数を判断する。その結果に応じて、画像データの解像度の変更（伸張）を行う。
【０４５３】
ここで、本実施形態の演算器６−６は、動作の基準を確定させるために所定の周波数のクロック信号を生成する水晶発振子５と、データを一時保管するためのメモリ７とを用いて、その画像データの解像度、水平同期周波数、フレーム周波数を判断して、ＶＧＡからＵＸＧＡへの解像度変換を行う。この解像度変換については、後述する。
【０４５４】
そして、演算器６−６は、以上のように得られたデータを基にして、解像度がＵＸＧＡである液晶パネル１２に応じた制御信号（画像信号）を生成して、ソースドライバ１０およびゲートドライバ１１に出力する。
【０４５５】
演算器６−６は、生成した制御信号をソースドライバ１０に伝送する。この制御信号は、図５４に示すような、ソースドライバ１０のデータ取り込みを行うためのソースクロックＳＣＫ、データのスタートを示すソーススタートパルスＳＳＰ、ソースドライバ１０の出力の切り替えを制御するラッチパルスＬＳ、各絵素の階調を示す赤緑青の各色８ビットのデータ（Ｒ７〜Ｒ０、Ｇ７〜Ｇ０、Ｂ７〜Ｂ０）などから構成される。
【０４５６】
また、演算器６−６は、生成した制御信号をゲートドライバ１１に伝送する。ここで、演算器６−６はゲートバスラインを複数同時にオンするようになっている。これは、後述するように、図５６（ａ）（ｂ）に示すような制御信号によって実現される。なお、他の実施形態における演算器の生成した制御信号は、図５５に示すような、ゲートドライバ１１のレジスタシフトタイミングとゲートドライバの出力のパルス幅を規定するＧＣＫ、及び垂直方向のデータのスタートを示すゲートスタートパルスＧＳＰから構成されている。
【０４５７】
また、演算器６−６は、制御スイッチ４に入力された階調輝度特性の情報を基にして、制御信号を生成して階調電源生成部８に伝送する。
【０４５８】
本実施形態においては、階調電源生成部８は、入力データの階調に対して、液晶パネル１２の絵素の透過率がγ＝２．２になるような基準電圧を生成する。階調電源生成部８は、生成した基準電圧をソースドライバ１０に伝送する。
【０４５９】
また、演算器６−６は、制御スイッチ４に入力された輝度情報を基にして、制御信号を生成してバックライト９のユニットに伝送する。具体的には、矩形波を生成し、そのデューティ比を変更し、そのデューティ比に応じてバックライト９の輝度を変化させる。バックライト９は、演算器６−６から送られる制御信号に基づいて、光量の調節を行う。
【０４６０】
ソースドライバ１０は、演算器６−６からの制御信号と、階調電源生成部８からの電圧とを受けて、次のように動作する。
【０４６１】
まず、ソーススタートパルスＳＳＰのハイパルスを，クロックＳＣＫで取り込む。そして、ＳＳＰのハイパルスの次のクロックから、順次データＲ７〜Ｒ０、Ｇ７〜Ｇ０、Ｂ７〜Ｂ０の取り込みを行う。
【０４６２】
また、取り込んだデータを順次、各ソースラインに配置する。ラッチＬＳのハイパルスを取り込んだ時点で、各ソースバスライン１３の出力を、現在出力されているものから、配置されたデータと階調基準電源の電圧値によって決められる電圧値に変更する。また、出力された電圧値を次のＬＳのハイパルスが入力されるまで維持する。
ゲートドライバ１１は、図５６（ａ）（ｂ）に示すように、演算器６−６からのゲートスタートパルスＧＳＰのローパルスが入力された後、ゲートクロックＧＣＫに従って、複数のゲートバスライン１４に出力を行う。
【０４６３】
このとき、ソースドライバのＬＳとゲートドライバのＧＣＫとは同期している。そして、液晶パネル１２では、ゲートバスライン１４がハイになっているラインのトランジスタ１５のみがオンし、オンしたＴＦＴトランジスタ１５のみがソースバスラインの電圧を絵素１６の電極に印加する。
【０４６４】
このときソースバスライン１３の電圧とコモン電源の電圧との電位差に応じて、絵素１６の透過率は変化する。なお、ゲートバスライン１４によってハイの電圧が印加されていない場合は、絵素１６は、以前にかかっていた印加電圧を保持して、透過率を維持する。すなわち、絵素１６の液晶素子は、等価回路でコンデンサとして描かれるように、書きこみと書きこみとの間はその状態を保持する。
【０４６５】
以上の動作によって、画面の１ライン分の書きこみが行われる。この１ライン分の書きこみを、各ラインにて順次行い、液晶パネル１２上に画像を表示することができる。
【０４６６】
ここで、以下では、入力データがＶＧＡの場合について説明する。
【０４６７】
演算器６−６は、引き伸ばしたデータを基にして、ソースドライバ１０を駆動するために、図５４に示すようなソースクロックＳＣＫ、ソーススタートパルスＳＳＰ、ラッチパルスＬＳ、各色８ビットのデータ（Ｒ７〜Ｒ０、Ｇ７〜Ｇ０、Ｂ７〜Ｂ０）から構成される制御信号を生成し、ソースドライバ１０に伝送する。
【０４６８】
一方、演算器６−６は、解像度変換したデータを元にして、ゲートドライバ１１を制御するために、図５６（ａ）（ｂ）に示すような、ゲートドライバ１１のレジスタシフトタイミングとゲートドライバの出力のパルス幅を規定するＧＣＫ及び垂直方向のデータのスタートを示すゲートスタートパルスＧＳＰから構成される制御信号と入力信号の解像度情報とをゲートドライバ１１に伝送する。これによって、ゲートバスライン１４が複数同時にオン（オープン）される。
【０４６９】
このように、低い解像度の画像信号が入力された場合、複数のゲートバスラインを同じにオンすることによって、画素（液晶）に電圧が印加される時間を減らすことなく、一画面の書きこみ時間を減らすことができる。
【０４７０】
それによって、フレーム周波数を高くできる。フレーム周波数が高くなると、画像の描き変え速度に人間の目が付いていけず、輝度変化による瞬きが見えにくくなり、表示品位が向上する。例えば、液晶の極性反転に伴う輝度差によるフリッカ、ディザ、ＦＲＣ等の表示において、本実施形態の構成を適用すれば、表示品位が特に改善される。
【０４７１】
また、入力信号がＳＶＧＡ、またはＸＧＡの場合には、それぞれ図５７、または図５８（ａ）（ｂ）に示す制御信号を、演算器６−６がゲートドライバ１１へと出力する。この場合にも、同様に、一画面の書きこみ時間を減らすことができ、表示品位を向上できる。
【０４７２】
なお、本発明はこの実施の形態の構成に限定されるものではなく、他の実施の形態における特徴点をさらに組み合わせた構成も、本発明の技術的範囲に含まれる。例えば、上記構成を、実施の形態５における特徴点と組み合わせて、複数の上記ゲートバスラインを同時にオープンして、データ切り替え手段からの出力階調としての制御信号を、上記ゲートドライバに供給する構成も好ましい。この構成によれば、例えば階調輝度カーブの設定変更、色温度の設定変更、またはカラーバランスの設定のような設定変更を行う場合に、フレーム周波数を高くして、輝度変化による瞬きが感知されないようにできる。
【０４７３】
〔実施の形態７〕
本発明のさらに他の実施の形態について図５９ないし図６３に基づいて説明すると以下の通りである。
【０４７４】
本実施形態の液晶表示装置１−７は、所望のタイミングを生成する水晶発振子（クロック発生器）からのクロックが、画像信号供給手段としての演算器６−７に直接供給される。これによって、以下に説明するように消費電力を低減できる。
【０４７５】
液晶表示装置１−７は、図５９に示すように、Ａ／Ｄコンバータ２、差動信号復号器３、制御スイッチ４、水晶発振子５、演算器（解像度変換手段）６−７、メモリ７、階調電源生成部８、バックライト９、ソースドライバ１０、ゲートドライバ１１、及び液晶パネル（表示パネル）１２を備えている。
【０４７６】
また、図６０に示すように、液晶パネル１２は、ソースバスライン１３、ゲートバスライン１４、トランジスタ（ＴＦＴ（Ｔｈｉｎ　Ｆｉｌｍ　Ｔｒａｎｓｉｓｔｏｒ））１５及びＲＧＢ（Ｒｅｄ，Ｇｒｅｅｎ，Ｂｌｕｅ）の絵素１６を備えている。この絵素１６は、ＲＧＢの組が、一つの画素に相当する。
【０４７７】
尚、上記液晶表示装置１−７の構成は、実施の形態１において図１で示した液晶表示装置１−１の構成とほぼ同様であるが、演算器６−７の機能のみ実施の形態１の場合と異なるものである。
【０４７８】
本実施形態の演算器６−７は、例えば、従来の液晶表示装置２１における、スケーラ２６およびタイミングコントローラ２８に相当する機能を有している。すなわち、スケーラ２６とタイミングコントローラ２８とにおいて、それぞれ独立して行っていた処理を統合し、機能を向上させている。
【０４７９】
以下に、本実施形態における動作例を説明する。
【０４８０】
入力された画像データ（入力画像データ）は、アナログ信号の場合はＡ／Ｄコンバータ２を経由してディジタル信号に変換される。差動ディジタル信号の場合は差動信号復号器３を経由してディジタル信号に変換される。
【０４８１】
変換された信号は、図６１（ａ）（ｂ）に示すような、水平の画素の取り込みに使用するクロックＣＫ、水平の同期位置を示すＨｓｙｎｃ、垂直の同期位置を示すＶｓｙｎｃなどの同期信号、および各色８ビット合計２４ビットのデータとなる。
【０４８２】
なお、このディジタル信号のデータは、入力画像データと同じＶＧＡの解像度のデータである。そのため、クロック周波数、水平同期周波数、フレーム周波数は、入力画像データと同じである。なお、入力画像データが、ＳＶＧＡ、ＸＧＡの解像度であっても、変換された後のデータは入力画像データと同じクロック周波数、水平同期周波数、フレーム周波数となる。
【０４８３】
以上のように、Ａ／Ｄコンバータ２または差動信号復号器３において変換されたディジタル信号の画像データが、演算器６−７に入力される。
【０４８４】
演算器６−７は、例えばアナログ信号から得られた同期信号の間隔に応じて周波数を割り出し、割り出した周波数の情報をＡ／Ｄコンバータ２に伝送する。また、制御スイッチ４に入力された入力信号のコントラスト情報に基づき、制御信号をＡ／Ｄコンバータ２に伝送し、アナログ信号の入力のレベルレンジを変更させる。
【０４８５】
また、演算器６−７は、入力画像データの同期信号（Ｈｓｙｎｃ，Ｖｓｙｎｃ）の間隔に応じて、その画像データの解像度、水平同期周波数、フレーム周波数を判断する。その結果に応じて、画像データの解像度の変更（伸張）を行う。
【０４８６】
ここで、本実施形態の演算器６−７は、動作の基準を確定させるために所定の周波数のクロック信号を生成する水晶発振子５と、データを一時保管するためのメモリ７とを用いて、その画像データの解像度、水平同期周波数、フレーム周波数を判断して、ＶＧＡからＵＸＧＡへの解像度変換を行う。この解像度変換については、後述する。
【０４８７】
そして、演算器６−７は、以上のように得られたデータを基にして、解像度がＵＸＧＡである液晶パネル１２に応じた制御信号（画像信号）を生成して、ソースドライバ１０およびゲートドライバ１１に出力する。
【０４８８】
演算器６−７は、生成した制御信号をソースドライバ１０に伝送する。この制御信号は、図６２に示すような、ソースドライバ１０のデータ取り込みを行うためのソースクロックＳＣＫ、データのスタートを示すソーススタートパルスＳＳＰ、ソースドライバ１０の出力の切り替えを制御するラッチパルスＬＳ、各絵素の階調を示す赤緑青の各色８ビットのデータ（Ｒ７〜Ｒ０、Ｇ７〜Ｇ０、Ｂ７〜Ｂ０）などから構成される。
【０４８９】
また、演算器６−７は、生成した制御信号をゲートドライバ１１に伝送する。この制御信号は、図６３に示すような、ゲートドライバ１１のレジスタシフトタイミングとゲートドライバの出力のパルス幅を規定するＧＣＫ、及び垂直方向のデータのスタートを示すゲートスタートパルスＧＳＰから構成される。
【０４９０】
また、演算器６−７は、制御スイッチ４に入力された階調輝度特性の情報を基にして、制御信号を生成して階調電源生成部８に伝送する。
【０４９１】
本実施形態においては、階調電源生成部８は、入力データの階調に対して、液晶パネル１２の絵素の透過率がγ＝２．２になるような基準電圧を生成する。階調電源生成部８は、生成した基準電圧をソースドライバ１０に伝送する。
【０４９２】
また、演算器６−７は、制御スイッチ４に入力された輝度情報を基にして、制御信号を生成してバックライト９のユニットに伝送する。具体的には、矩形波を生成し、そのデューティ比を変更し、そのデューティ比に応じてバックライト９の輝度を変化させる。バックライト９は、演算器６−７から送られる制御信号に基づいて、光量の調節を行う。
【０４９３】
ソースドライバ１０は、演算器６−７からの制御信号と、階調電源生成部８からの電圧とを受けて、次のように動作する。
【０４９４】
まず、ソーススタートパルスＳＳＰのハイパルスを，クロックＳＣＫで取り込む。そして、ＳＳＰのハイパルスの次のクロックから、順次データＲ７〜Ｒ０、Ｇ７〜Ｇ０、Ｂ７〜Ｂ０の取り込みを行う。
【０４９５】
また、取り込んだデータを順次、各ソースラインに配置する。ラッチＬＳのハイパルスを取り込んだ時点で、各ソースバスライン１３の出力を、現在出力されているものから、配置されたデータと階調基準電源の電圧値によって決められる電圧値に変更する。また、出力された電圧値を次のＬＳのハイパルスが入力されるまで維持する。
【０４９６】
ゲートドライバ１１は、図６３に示すように、演算器６−７からのゲートスタートパルスＧＳＰのローパルスが入力された後、ゲートクロックＧＣＫにしたがって、１ライン目から順番にゲートバスライン１４に出力を行う。
【０４９７】
このとき、ソースドライバのＬＳとゲートドライバのＧＣＫとは同期している。そして、液晶パネル１２では、ゲートバスライン１４がハイになっているラインのトランジスタ１５のみがオンし、オンしたＴＦＴトランジスタ１５のみがソースバスラインの電圧を絵素１６の電極に印加する。
【０４９８】
このときソースバスライン１３の電圧とコモン電源の電圧との電位差に応じて、絵素１６の透過率は変化する。なお、ゲートバスライン１４によってハイの電圧が印加されていない場合は、絵素１６は、以前にかかっていた印加電圧を保持して、透過率を維持する。すなわち、絵素１６の液晶素子は、等価回路でコンデンサとして描かれるように、書きこみと書きこみとの間はその状態を保持する。
【０４９９】
以上の動作によって、画面の１ライン分の書きこみが行われる。この１ライン分の書きこみを、各ラインにて順次行い、液晶パネル１２上に画像を表示することができる。
【０５００】
ここで、本実施形態の液晶表示装置１−７の動作仕様の一例を以下の表のように設定する。
【０５０１】
【表２４】
2004117752.tif 000026
【０５０２】
液晶表示装置１−７は、水晶発振子５が演算器６−７に直接接続されているので、それをもとに制御信号を生成すればよい。したがって、動作仕様において、最小値と最大値との間にマージンを持つ必要はない。
【０５０３】
これに対して、従来の液晶モジュール（以下、従来モジュールとする。）であって、液晶表示装置１−７と同等の性能（ＵＸＧＡ）を持つものは、以下の表に一例を示すような動作仕様となる。なお、この従来モジュールは、フレーム周波数が８２．６Ｈｚまで動作可能である。
【０５０４】
【表２５】
2004117752.tif 000027
【０５０５】
この表を基にして、従来モジュールにおける各制御信号のタイミングを考える。なお、表２５に示す横棒（バー）にて示す欄は、他の条件を満たせるならばいくら値が大きくなってもよいことを意味している。すると、液晶モジュールはクロックのみで動作するため、ゲートクロックＧＣＫのローの期間の長さは、最大伝送周波数１７０ＭＨｚ時に１μｓの長さが確保できるように設計される。この場合は１７０クロックとなる。また、この期間が最も長くなるのは最低伝送周波数１５０ＭＨｚ時なので、１．１３μｓとなる。
【０５０６】
ここで、画素の液晶に電圧が印加される時間は、一水平期間から、このＧＣＫがローになる期間を減算したものとなる。したがって、このような従来モジュールにおいては、８．８７μｓで動作する液晶素子を用いる必要がある。
【０５０７】
一方、本実施形態の液晶表示装置１−７の仕様においては、ゲートバスライン１４に遅延があるため、あるラインをオンした後に次のラインをオンするまでの間に、１μｓ程度の間隔が必要となる。この間隔は、ゲートクロックＧＣＫのローの間隔に応じて制御される。また、画素の液晶に電圧が印加される時間は、一水平期間からこのゲートクロックＧＣＫのローの間隔を引いたものになる。この場合は９．１μｓとなる。すなわち、本実施形態の液晶表示装置１−７は、９．１μｓで動作すればよい。
【０５０８】
ここで、一般に、液晶表示装置の画素の液晶への印加時間を長くすることが可能ならば、トランジスタ１５のサイズを小さくすることができる。また、トランジスタ１５は光を透過させないので、トランジスタ１５のサイズの縮小は、開口率と透過率との拡大につながる。
【０５０９】
したがって、本実施形態の液晶表示装置１−７のように、液晶への印加時間（充電時間）を長くすることができるならば、例えばバックライト９の光量を減らすことが可能となる。
【０５１０】
以上のように、従来の液晶表示装置２１における、スケーラ２６とタイミングコントローラ２８との両方の機能を持つことができれば、これまでに使用していた表示データのうち、帰線期間を非表示期間とする必要は無い。
【０５１１】
すなわち、本実施形態の演算器６−７を用いれば、帰線期間を非表示期間とする必要は無く、したがって表示データの伝送周波数を下げることができる。
【０５１２】
また、伝送周波数を下げることができれば、不要輻射を低減することができる。これは、不要輻射のパワーは周波数の自乗に比例するので、周波数が下がれば不要輻射の出力も下がるからである。また、周波数が下がった場合には、受け側のソースドライバ１０の性能を向上させることなく、伝送波形をなまらせることができる。したがって、伝送周波数の定数倍で発生する不要輻射のピークを低減できる。
【０５１３】
また、液晶パネル１２を従来のものと変えずに、１フレームの時間の方を減少させることもできる。この場合は、液晶に電荷を印加する時間を減らすことなく、一画面の書きこみ時間を減らすことができる。これによって、フレーム周波数を高くできる。
【０５１４】
このようにフレーム周波数が高くなると、画像の描き変え速度に人間の目が付いていけず、輝度変化による瞬きが見えにくくなり、表示品位が向上する。例えば液晶の極性反転に伴う輝度差によるフリッカ、ディザ、ＦＲＣ等の表示において、上記の構成を適用すれば、特に表示品位が改善される。
【０５１５】
一方、従来モジュールにおいては、通常は、ゲートのオフ期間をクロック数で規定するため、周波数を下げると、周波数を下げた分に応じてゲートのオフ時間が長くなる。このため、結果としてゲートオン時間が短くなってしまう。ここで、液晶素子の充電時間はゲートオン時間に依存するため、ゲートオン時間が短くなると、液晶素子の充電不足を惹起する。このような充電不足は、表示品位の低下を招く。
【０５１６】
そこで、本実施形態の液晶表示装置１−７においては、従来モジュールにおけるスケーラとタイミングコントローラとの機能を一体型にした演算器６−７として、さらに、クロックの発振源素子である水晶発振子５から直接クロックが演算器６−７に供給されるようになっている。このため、ゲートオフ時間を規定するクロック数と、実際の時間とを整合させることができる。
【０５１７】
言い換えると、従来においては、入力クロックに頼っていたため、この充電時間にマージンを持つ必要があった。一方、本願においては、クロックを自身で有しているので、マージンが不要となる。これによって、液晶素子の充電時間をぎりぎりまで下げる設計が可能となる。
【０５１８】
また、上述の充電時間は、液晶パネル２１のトランジスタ１５の大きさと関係している。充電を早くするためには、それに応じてより大きなトランジスタ１５を設ける必要があった。
【０５１９】
本実施形態では、従来よりも充電時間を長く取れるため、例えばトランジスタ１５を小さくすることができる。これによって、上述のように、液晶パネル１２の透過率を上げて、例えばバックライト９の光量を減らすことができる。また、上述のように伝送周波数を低く抑えられる。
【０５２０】
以上のように、本実施形態に係る液晶表示装置１−７は、水晶発振子５と、水晶発振子５において生成されたクロックに基づいて、入力データから制御信号を生成して出力する演算器６−７とを備え、演算器６−７には水晶発振子５からクロックが直接供給され、演算器６−７からの制御信号によって画像の表示が行われる構成である。
【０５２１】
このように、演算器６−７に水晶発振子５からクロックが直接供給されるようにすれば、例えば液晶素子の充電のためのマージンが不要となり、液晶素子の充電時間を低下させて、周波数を低くさせて、消費電力を低減できる。
【０５２２】
また、例えば、上記液晶表示装置１−７は、入力画像データを解像度変換して液晶パネル１２に表示させる構成であってもよい。このように画面の拡大縮小を行っても、上記構成によって、消費電力を増加させない。
【０５２３】
また、本発明はこの構成に限るものではなく、上記構成において、クロックに応じて、フレーム周波数を高くして上記制御信号を出力する構成であってもよい。このようにフレーム周波数を高くするためのクロック（タイミング）を供給すれば、液晶の極性反転に起因する輝度の瞬きを軽減できる。
【０５２４】
なお、本発明はこの実施の形態の構成に限定されるものではなく、他の実施の形態における特徴点をさらに組み合わせた構成も、本発明の技術的範囲に含まれる。例えば、上記構成を、実施の形態５における特徴点と組み合わせて、クロックに応じて、フレーム周波数を高くして、データ切り替え手段からの出力階調としての上記制御信号を出力する構成としてもよい。この構成によれば、例えば階調輝度カーブの設定変更、色温度の設定変更、またはカラーバランスの設定のような設定変更に応じて、出力する階調データを複数フレーム間において変化させる場合であっても、フレーム周波数を高くするので、輝度の瞬きを軽減できる。
【０５２５】
〔実施の形態８〕
本発明のさらに他の実施の形態について図６４ないし図６８に基づいて説明すると以下の通りである。
【０５２６】
本実施形態の液晶表示装置１−８は、画像データの輝度に応じてバックライトの光量を変化させて、消費電力を低減させた液晶表示装置である。
【０５２７】
液晶表示装置１−８は、図６４に示すように、Ａ／Ｄコンバータ２、差動信号復号器３、制御スイッチ４、水晶発振子５、演算器（解像度変換手段）６−８、メモリ７、階調電源生成部８、バックライト９、ソースドライバ１０、ゲートドライバ１１、及び液晶パネル（表示パネル）１２を備えている。
【０５２８】
また、図６５に示すように、液晶パネル１２は、ソースバスライン１３、ゲートバスライン１４、トランジスタ（ＴＦＴ（Ｔｈｉｎ　Ｆｉｌｍ　Ｔｒａｎｓｉｓｔｏｒ））１５及びＲＧＢ（Ｒｅｄ，Ｇｒｅｅｎ，Ｂｌｕｅ）の絵素１６を備えている。この絵素１６は、ＲＧＢの組が、一つの画素に相当する。
【０５２９】
尚、上記液晶表示装置１−８の構成は、実施の形態１において図１で示した液晶表示装置１−１の構成とほぼ同様であるが、演算器６−８の機能のみ実施の形態１の場合と異なるものである。
【０５３０】
以下に、本実施形態における動作例を説明する。
【０５３１】
入力された画像データ（入力画像データ）は、アナログ信号の場合はＡ／Ｄコンバータ２を経由してディジタル信号に変換される。差動ディジタル信号の場合は差動信号復号器３を経由してディジタル信号に変換される。
【０５３２】
変換された信号は、図６６（ａ）（ｂ）に示すような、水平の画素の取り込みに使用するクロックＣＫ、水平の同期位置を示すＨｓｙｎｃ、垂直の同期位置を示すＶｓｙｎｃなどの同期信号、および各色８ビット合計２４ビットのデータとなる。
【０５３３】
なお、このディジタル信号のデータは、入力画像データと同じＶＧＡの解像度のデータである。そのため、クロック周波数、水平同期周波数、フレーム周波数は、入力画像データと同じである。なお、入力画像データが、ＳＶＧＡ、ＸＧＡの解像度であっても、変換された後のデータは入力画像データと同じクロック周波数、水平同期周波数、フレーム周波数となる。
【０５３４】
以上のように、Ａ／Ｄコンバータ２または差動信号復号器３において変換されたディジタル信号の画像データが、演算器６−８に入力される。
【０５３５】
演算器６−８は、例えばアナログ信号から得られた同期信号の間隔に応じて周波数を割り出し、割り出した周波数の情報をＡ／Ｄコンバータ２に伝送する。また、制御スイッチ４に入力された入力信号のコントラスト情報に基づき、制御信号をＡ／Ｄコンバータ２に伝送し、アナログ信号の入力のレベルレンジを変更させる。
【０５３６】
また、演算器６−８は、入力画像データの同期信号（Ｈｓｙｎｃ，Ｖｓｙｎｃ）の間隔に応じて、その画像データの解像度、水平同期周波数、フレーム周波数を判断する。その結果に応じて、画像データの解像度の変更（伸張）を行う。
【０５３７】
ここで、本実施形態の演算器６−８は、動作の基準を確定させるために所定の周波数のクロック信号を生成する水晶発振子５と、データを一時保管するためのメモリ７とを用いて、その画像データの解像度、水平同期周波数、フレーム周波数を判断して、ＶＧＡからＵＸＧＡへの解像度変換を行う。この解像度変換については、後述する。
【０５３８】
そして、演算器６−８は、以上のように得られたデータを基にして、解像度がＵＸＧＡである液晶パネル１２に応じた制御信号（画像信号）を生成して、ソースドライバ１０およびゲートドライバ１１に出力する。
【０５３９】
演算器６−８は、生成した制御信号をソースドライバ１０に伝送する。この制御信号は、図６７に示すような、ソースドライバ１０のデータ取り込みを行うためのソースクロックＳＣＫ、データのスタートを示すソーススタートパルスＳＳＰ、ソースドライバ１０の出力の切り替えを制御するラッチパルスＬＳ、各絵素の階調を示す赤緑青の各色８ビットのデータ（Ｒ７〜Ｒ０、Ｇ７〜Ｇ０、Ｂ７〜Ｂ０）などから構成される。
【０５４０】
また、演算器６−８は、生成した制御信号をゲートドライバ１１に伝送する。この制御信号は、図６８に示すような、ゲートドライバ１１のレジスタシフトタイミングとゲートドライバの出力のパルス幅を規定するＧＣＫ、及び垂直方向のデータのスタートを示すゲートスタートパルスＧＳＰから構成される。
【０５４１】
また、演算器６−８は、制御スイッチ４に入力された階調輝度特性の情報を基にして、制御信号を生成して階調電源生成部８に伝送する。
【０５４２】
本実施形態においては、階調電源生成部８は、入力データの階調に対して、液晶パネル１２の絵素の透過率がγ＝２．２になるような基準電圧を生成する。階調電源生成部８は、生成した基準電圧をソースドライバ１０に伝送する。
【０５４３】
また、演算器６−８は、制御スイッチ４に入力された輝度情報を基にして、制御信号を生成してバックライト９のユニットに伝送する。本実施形態の演算器６−８は、後述するように、入力画像データの１フレーム内の輝度が最大となる画素を検出し、この輝度データを基にしてバックライト９への制御信号を調節するようになっている。具体的には、矩形波を生成し、そのデューティ比を変更し、そのデューティ比に応じてバックライト９の輝度を変化させる。バックライト９は、演算器６−８から送られる制御信号に基づいて、光量の調節を行う。
【０５４４】
ソースドライバ１０は、演算器６−８からの制御信号と、階調電源生成部８からの電圧とを受けて、次のように動作する。
【０５４５】
まず、ソーススタートパルスＳＳＰのハイパルスを，クロックＳＣＫで取り込む。そして、ＳＳＰのハイパルスの次のクロックから、順次データＲ７〜Ｒ０、Ｇ７〜Ｇ０、Ｂ７〜Ｂ０の取り込みを行う。
【０５４６】
また、取り込んだデータを順次、各ソースラインに配置する。ラッチＬＳのハイパルスを取り込んだ時点で、各ソースバスライン１３の出力を、現在出力されているものから、配置されたデータと階調基準電源の電圧値によって決められる電圧値に変更する。また、出力された電圧値を次のＬＳのハイパルスが入力されるまで維持する。
【０５４７】
ゲートドライバ１１は、図６８に示すように、演算器６−８からのゲートスタートパルスＧＳＰのローパルスが入力された後、ゲートクロックＧＣＫにしたがって、１ライン目から順番にゲートバスライン１４に出力を行う。
【０５４８】
このとき、ソースドライバのＬＳとゲートドライバのＧＣＫとは同期している。そして、液晶パネル１２では、ゲートバスライン１４がハイになっているラインのトランジスタ１５のみがオンし、オンしたＴＦＴトランジスタ１５のみがソースバスラインの電圧を絵素１６の電極に印加する。
【０５４９】
このときソースバスライン１３の電圧とコモン電源の電圧との電位差に応じて、絵素１６の透過率は変化する。なお、ゲートバスライン１４によってハイの電圧が印加されていない場合は、絵素１６は、以前にかかっていた印加電圧を保持して、透過率を維持する。すなわち、絵素１６の液晶素子は、等価回路でコンデンサとして描かれるように、書きこみと書きこみとの間はその状態を保持する。
【０５５０】
以上の動作によって、画面の１ライン分の書きこみが行われる。この１ライン分の書きこみを、各ラインにて順次行い、液晶パネル１２上に画像を表示することができる。
【０５５１】
本実施形態の液晶表示装置１−８は、上述の実施の形態と同様の仕様となっている。演算器（最大抽出手段、照射変化手段）６−８は、解像度変換したデータを１フレーム分ごとにメモリ７に保持する。そして、この１フレーム分のデータに含まれる画素ごとにその画素の輝度を計算する。ここで、（ｌ，ｍ，ｎ）の画素の輝度は次式で表すことができる。
ＹＵＸＧＡ（ｌ，ｍ，ｎ）＝ＹＵＸＧＡ−Ｒ（ｌ）＋ＹＵＸＧＡ−Ｇ（ｍ）＋ＹＵＸＧＡ−Ｂ（ｎ）　　　　　　　　　　　　　　　　　…（２０）
なお、ＹＵＸＧＡ−Ｒ，ＹＵＸＧＡ−Ｇ，ＹＵＸＧＡ−Ｂは、上述の式（４）に含まれている。
【０５５２】
そして、１フレーム分のデータに含まれる画素全てについて輝度を計算し、最大の輝度、すなわちＹＵＸＧＡの最大値ＹＵＸＧＡ−ｍａｘを抽出する。
【０５５３】
そして、通常の白輝度の最大値は３００ｃｄ／ｍ２なので、演算器６−８は、バックライト９の光量を変化させて、（ＹＵＸＧＡ−ｍａｘ／３００）倍に小さくする。
【０５５４】
また、演算器６−８は、メモリ７に保持している１フレーム分のデータを以下の式を用いて（ｌ，ｍ，ｎ）から（ｌ’，ｍ’，ｎ’）に変換する。
ｌ’＝２５５×［｛（３００．０／ＹＵＸＧＡ−ｍａｘ）×（（ｌ／２５５）２．２×０．９９８＋０．００２）−０．００２｝×１／０．９９８］（１／２．２）
ｍ’＝２５５×［｛（３００．０／ＹＵＸＧＡ−ｍａｘ）×（（ｍ／２５５）２．２×０．９９８＋０．００２）−０．００２｝×１／０．９９８］（１／２．２）
ｎ’＝２５５×［｛（３００．０／ＹＵＸＧＡ−ｍａｘ）×（（ｎ／２５５）２．２×０．９９８＋０．００２）−０．００２｝×１／０．９９８］（１／２．２）…（２１）
そして、変換したデータを、制御信号としてソースドライバ１０へと出力し、このデータが液晶パネル１２に表示される。
【０５５５】
以上の動作で、逐次バックライトの光量を絞ることができる。これによって、消費電流を減らし、またバックライトランプの寿命を延ばすことができる。
【０５５６】
また、バックライト９の照射の強度を調整するとともに、演算器６−８がその１フレームにおける輝度の調整をするので、画像の再現性を損なわない。すなわち、照射変化手段としての演算器６−８によるバックライトの照射強度の変化に応じて、演算器６−８はこの照射強度の変化を打ち消すようにこの１フレーム分のデータの色度を変換して出力するので、画像の再現性が損なわれることがない。
【０５５７】
本発明は上述した各実施形態に限定されるものではなく、請求項に示した範囲で種々の変更が可能であり、異なる実施形態にそれぞれ開示された技術的手段を適宜組み合わせて得られる実施形態についても、本発明の技術的範囲に含まれる。
【０５５８】
上述の具体的な実施形態または実施例は、あくまでも、本発明の技術内容を明らかにするものであって、本発明はそのような具体例にのみ限定して狭義に解釈されるべきものではなく、特許請求の範囲に示した範囲で種々の変更が可能であり、変更した形態も本発明の技術的範囲に含まれる。
【０５５９】
【発明の効果】
本発明に係る表示装置は、以上のように、入力画像データを、表示パネルの解像度に対応した、サブ画素ごとのデータへと解像度変換をする解像度変換手段を備え、上記解像度変換手段は、上記入力画像データの画素ごとに、この画素が上記表示パネルにおいて占めるべき領域に含まれる全てのサブ画素のデータへと、この画素のデータを反映させることによって上記解像度変換をする構成である。
【０５６０】
それゆえ、入力画像データの画素が、この画素の占めるべき領域に含まれる全てのサブ画素によって表現されるので、表示パネルのサブ画素の配置に応じた忠実な画像表示（画像再現）が可能となり、表示エッジのボケを低減できるという効果を奏する。
【０５６１】
また、上述の解像度変換手段は、従来の表示装置におけるスケーラおよびタイミングコントローラの機能を統合したものとして具備することができ、スケーラおよびタイミングコントローラが別個に備えられる従来構成に比べ、より高度なスケーリング機能を安価な手段により達成できるという効果を併せて奏する。
【０５６２】
本発明に係る表示装置は、以上のように、入力画像データを、上記表示パネルの上記解像度に対応した、上記サブ画素ごとのデータへと解像度変換をする解像度変換手段を備え、上記解像度変換手段は、上記入力画像データの画素が上記表示パネルにおいて占めるべき領域に含まれるサブ画素の数が、上記所定数よりも大きいときは、所定の視角の範囲において、上記サブ画素による階調輝度特性と上記入力画像データの画素による階調輝度特性との歪みが小さくなるように、上記サブ画素のデータを決定することによって上記解像度変換をする構成である。
【０５６３】
それゆえ、各絵素の値を、所定の視角の範囲において良好なものに設定し、絵素の階調が表示パネルの視角特性の良い階調を多く含むように構成して、視角特性を改善できるという効果を奏する。
【０５６４】
本発明に係る表示装置は、以上のように、入力画像データを、上記表示パネルの上記解像度に対応した、上記サブ画素ごとのデータへと解像度変換をする解像度変換手段を備え、上記解像度変換手段は、上記入力画像データの画素が上記表示パネルにおいて占めるべき領域に含まれるサブ画素の数が、上記所定数よりも大きいときは、所定の視角の範囲において、上記サブ画素による階調輝度特性と上記入力画像データの画素による階調輝度特性との歪みが大きくなるように、上記サブ画素のデータを決定することによって上記解像度変換をする構成である。
【０５６５】
それゆえ、各絵素の値を、視角特性を劣化させるような組となるように変換をするので、視角特性を改悪して周辺の人から見えなくする機能を実現できるという効果を奏する。
【０５６６】
本発明に係る表示装置は、以上のように、入力画像データを、上記表示パネルの上記解像度に対応した、上記サブ画素ごとのデータへと解像度変換をする解像度変換手段と、上記解像度変換手段の解像度変換において、視角特性を調整する視角特性調整手段とを備え、上記解像度変換手段は、上記入力画像データの画素が上記表示パネルにおいて占めるべき領域に含まれるサブ画素の数が、上記所定数よりも大きいときは、所定の視角の範囲における、上記サブ画素による階調輝度特性と上記入力画像データの画素による階調輝度特性との歪みを、上記視角特性調整手段の上記調整に応じて、小さくなるように、または大きくなるように、上記サブ画素のデータを決定することによって上記解像度変換をする構成である。
【０５６７】
それゆえ、各絵素の値が、視角特性を向上させるような、または劣化させるような組となるように変換をして、視角の範囲ごとに、視角特性を調整することができるという効果を奏する。
【０５６８】
本発明に係る表示装置は、以上のように、入力画像データを、表示パネルの解像度に対応した、サブ画素ごとのデータへと解像度変換をする解像度変換手段を備え、上記解像度変換手段は、上記入力画像データの画素が上記表示パネルにおいて占めるべき領域に含まれるサブ画素の数が、所定数よりも大きいときは、所定の視角の範囲において、上記サブ画素による色度と上記入力画像データの画素による色度との色差が小さくなるように、上記サブ画素のデータを決定することによって上記解像度変換をする構成である。
【０５６９】
それゆえ、各絵素の値を、所定の視角の範囲において良好なものに設定し、絵素の階調が表示パネルの視角特性の良い階調を多く含むように構成して、視角特性を改善できるという効果を奏する。
【０５７０】
本発明に係る表示装置は、以上のように、入力画像データを、表示パネルの解像度に対応した、サブ画素ごとのデータへと解像度変換をする解像度変換手段を備え、上記解像度変換手段は、上記入力画像データの画素が上記表示パネルにおいて占めるべき領域に含まれるサブ画素の数が、所定数よりも大きいときは、所定の視角の範囲において、上記サブ画素による色度と上記入力画像データの画素による色度との色差が大きくなるように、上記サブ画素のデータを決定することによって上記解像度変換をする構成である。
【０５７１】
それゆえ、各絵素の値を、視角特性を劣化させるような組となるように変換をするので、視角特性を改悪して周辺の人から見えなくする機能を実現できるという効果を奏する。
【０５７２】
本発明に係る表示装置は、以上のように、入力画像データを、表示パネルの解像度に対応した、サブ画素ごとのデータへと解像度変換をする解像度変換手段と、上記解像度変換手段の解像度変換において、視角特性を調整する視角特性調整手段とを備え、上記解像度変換手段は、上記入力画像データの画素が上記表示パネルにおいて占めるべき領域に含まれるサブ画素の数が、所定数よりも大きいときは、所定の視角の範囲における、上記サブ画素による色度と上記入力画像データの画素による色度との色差を、上記視角特性調整手段の上記調整に応じて、小さくなるように、または大きくなるように、上記サブ画素のデータを決定することによって上記解像度変換をする構成である。
【０５７３】
それゆえ、各絵素の値が、視角特性を向上させるような、または劣化させるような組となるように変換をして、視角の範囲ごとに、視角特性を調整することができるという効果を奏する。
【０５７４】
本発明に係る表示装置は、以上のように、上記構成において、上記解像度変換手段は、上記入力画像データの画素のデータが反映されて得られるサブ画素のデータの組を、複数有しており、このサブ画素のデータの組をフレーム毎に切り替えて、画像を上記表示パネルに表示する構成である。
【０５７５】
それゆえ、フレーム毎に、サブ画素のデータを切り替えて表示するので、表示パネルの画面に特定のパターンが現れて見えるのを防ぐことができ、表示品位を改善できるという効果を奏する。
【０５７６】
本発明に係る表示装置は、以上のように、階調輝度カーブの設定変更、色温度の設定変更、またはカラーバランスの設定変更をするための設定変更手段と、上記設定変更手段からの指示に応じて、階調電源生成部に制御信号を出力して、基準電圧を変化させる基準電圧調整手段とを備えている構成である。
【０５７７】
それゆえ、設定変更しても、基準電圧が、変更した設定に応じたものに変化するので、この基準電圧を用いた画像の表示品位を高めることができ、変更した設定を量子化ノイズなしに実現できるという効果を奏する。
【０５７８】
本発明に係る表示装置は、以上のように、上記構成において、基準電圧を生成して出力する階調電源生成部と、上記解像度変換手段の解像度変換に応じて、上記階調電源生成部に制御信号を出力して、上記基準電圧を変化させる基準電圧調整手段とを備え、上記階調電源生成部から出力される上記基準電圧を用いて画像を表示パネルに表示する構成である。
【０５７９】
それゆえ、設定の変更において、表示フレーム間で階調データを変化させる事により、その中間の階調の表示を可能とし、その中間階調の表示を使用し、量子化ノイズを低減する機能を実現できるという効果を奏する。
【０５８０】
本発明に係る表示装置は、以上のように、階調輝度カーブの設定変更、色温度の設定変更、またはカラーバランスの設定変更をするための設定変更手段と、上記設定変更手段からの指示に応じて、出力する階調データを複数フレーム間において変化させるデータ切り替え手段とを備え、上記データ切り替え手段からの出力階調によって、所望の中間階調の画像を上記表示パネルに表示する構成である。
【０５８１】
それゆえ、変更後の設定に応じた所望の中間階調を表示できるので、変更後の設定を量子化ノイズなしに実現できるという効果を奏する。
【０５８２】
本発明に係る表示装置は、以上のように、上記構成において、上記解像度変換手段の解像度変換に応じて、出力する階調データを複数フレーム間において変化させるデータ切り替え手段を備え、上記データ切り替え手段からの出力階調によって、所望の中間階調の画像を上記表示パネルに表示する構成である。
【０５８３】
それゆえ、最適な階調を得て、通常のデータ処理でその変更を行う際に発生する量子化ノイズを低減できるという効果を奏する。
【０５８４】
本発明に係る表示装置は、以上のように、画像信号供給手段は、入力画像データを、より大きな所定の解像度の画像信号へと解像度変換するときには、複数のゲートバスラインを同時にオープンして、上記画像信号をゲートドライバに供給する構成である。
【０５８５】
それゆえ、画素に電圧が印加される時間を減らすことなく、一画面の書き込み時間を減らして、フレーム周波数を高くして、輝度変化による瞬きが感知させないようにして、表示品位を向上できるという効果を奏する。
【０５８６】
本発明に係る表示装置は、以上のように、上記構成において、表示パネルに所定の解像度にて配置された画素を駆動するために、入力画像データを解像度変換して生成した画像信号を、ゲートバスラインを介してゲートドライバに供給する画像信号供給手段と、上記画像信号に基づいて、上記画素を駆動して上記表示パネルに画像を表示するゲートドライバとを備え、上記画像信号供給手段は、上記入力画像データを、より大きな上記所定の解像度の上記画像信号へと解像度変換するときには、複数の上記ゲートバスラインを同時にオープンして、上記データ切り替え手段からの出力階調としての上記画像信号を、上記ゲートドライバに供給する構成である。
【０５８７】
それゆえ、画素に電圧が印加される時間を減らすことなく、フレームごとの一画面の書き込み時間を減らして、フレーム周波数を高くして、輝度変化による瞬きが感知させないようにして、表示品位を向上できるという効果を奏する。
【０５８８】
本発明に係る表示装置は、以上のように、画像信号供給手段には、クロック発生器からクロックが直接供給される構成である。
【０５８９】
それゆえ、自身のクロックを用いることができるので、画素に電圧を印加する充電時間を長く、周波数を低くして、消費電力を低減できるという効果を奏する。
【０５９０】
本発明に係る表示装置は、以上のように、画像信号供給手段は、クロック発生器から供給されるクロックに応じて、フレーム周波数を高くして画像信号を出力する構成である。
【０５９１】
それゆえ、画像信号供給手段に、フレーム周波数を高くするためのクロック（タイミング）を供給するので、液晶の極性反転に起因する輝度の瞬きを軽減できるという効果を奏する。
【０５９２】
本発明に係る表示装置は、以上のように、上記構成において、クロックを生成するクロック発生器と、このクロック発生器において生成された上記クロックに基づいて、入力画像データから画像信号を生成して出力する画像信号供給手段とを備え、上記画像信号供給手段は、上記クロックに応じて、フレーム周波数を高くして、上記データ切り替え手段からの出力階調としての上記画像信号を出力することによって、所望の中間階調の画像を上記表示パネルに表示する構成である。
【０５９３】
それゆえ、フレーム間の処理によって発生する輝度の瞬きを軽減できるという効果を奏する。
【０５９４】
本発明に係る表示装置は、以上のように、画像データから１フレーム分のデータを抽出し、この１フレーム分のデータに含まれる画素ごとにその画素の輝度を計算して、この１フレーム分のデータに含まれる最大の輝度を抽出する最大抽出手段と、バックライトによる照射の強度を、上記最大抽出手段によって抽出された上記最大の輝度に応じて変化させる照射変化手段とを備えている構成である。
【０５９５】
それゆえ、バックライトによる照射強度を小さい方に変化させて、消費電力を低減するとともに、消費電流を低減してバックライトの寿命を延ばすことができるという効果を奏する。
【図面の簡単な説明】
【図１】本発明に係る表示装置の一実施の形態を示すものであり、実施の形態１に係る表示装置のブロック図である。
【図２】上記表示装置の表示パネルの一部を示す概略の平面図である。
【図３】（ａ）は上記表示装置に入力されてディジタル信号に変換された、入力信号の水平タイミングを示すタイミングチャートであり、（ｂ）は上記表示装置に入力されてディジタル信号に変換された、入力信号の垂直タイミングを示すタイミングチャートである。
【図４】上記表示装置に備えられる、ソースドライバへの入力信号を示すタイミングチャートである。
【図５】上記表示装置に備えられる、ゲートドライバへの入力信号を示すタイミングチャートである。
【図６】入力される画像データ（入力データ）から、上記表示装置の表示パネルに表示するためのデータ（表示データ）への変換を説明するための模式的な平面図である。
【図７】上記表示装置の表示パネルの画素配列を示す平面図であり、入力データにおける画素配列を参照のために点線にて示している。
【図８】上記表示装置の表示パネルの絵素配列を示す平面図であり、入力データにおける画素配列を参照のために点線にて示している。
【図９】上記表示装置における表示状態を説明するための説明図である。
【図１０】従来の液晶表示装置における表示状態を説明するための説明図である。
【図１１】本発明に係る上記表示装置における、図７とは異なる解像度の入力データの場合の、表示パネルの画素配列を示す平面図であり、入力データにおける画素配列を参照のために点線にて示している。
【図１２】上記表示装置における、図７および図１１とは異なる解像度の入力データの場合の、表示パネルの画素配列を示す平面図であり、入力データにおける画素配列を参照のために点線にて示している。
【図１３】上記表示装置の表示パネルの絵素配列を、図１２の入力データの場合に示す平面図であり、入力データにおける画素配列を参照のために点線にて示している。
【図１４】実施の形態２に係る表示装置のブロック図である。
【図１５】上記表示装置の表示パネルの一部を示す概略の平面図である。
【図１６】上記表示装置の他の一例における、補正前の視角と階調との関係を示すグラフである。
【図１７】上記表示装置における、補正前の階調と輝度比との関係を視角ごとに示すグラフである。
【図１８】上記表示装置における、補正前の視角と輝度比との関係を階調ごとに示すグラフである。
【図１９】（ａ）は上記表示装置に入力されてディジタル信号に変換された、入力信号の水平タイミングを示すタイミングチャートであり、（ｂ）は上記表示装置に入力されてディジタル信号に変換された、入力信号の垂直タイミングを示すタイミングチャートである。
【図２０】上記表示装置に備えられる、ソースドライバへの入力信号を示すタイミングチャートである。
【図２１】上記表示装置に備えられる、ゲートドライバへの入力信号を示すタイミングチャートである。
【図２２】入力される画像データ（入力データ）から、上記表示装置の表示パネルに表示するためのデータ（表示データ）への変換を説明するための模式的な平面図である。
【図２３】上記表示装置の表示パネルの画素配列を示す平面図であり、入力データにおける画素配列を参照のために点線にて示している。
【図２４】上記表示装置の表示パネルの絵素配列を示す平面図であり、入力データにおける画素配列を参照のために点線にて示している。
【図２５】本発明に係る上記表示装置における、図２３とは異なる解像度の入力データの場合の、表示パネルの画素配列を示す平面図であり、入力データにおける画素配列を参照のために点線にて示している。
【図２６】上記表示装置における、図２３および図２５とは異なる解像度の入力データの場合の、表示パネルの画素配列を示す平面図であり、入力データにおける画素配列を参照のために点線にて示している。
【図２７】上記表示装置の表示パネルの絵素配列を、図２６の入力データの場合に示す平面図であり、入力データにおける画素配列を参照のために点線にて示している。
【図２８】上記表示装置における、補正後の階調と輝度比との関係を視角ごとに示すグラフである。
【図２９】上記表示装置における、図２８とは異なる解像度の入力データの場合の、補正後の階調と輝度比との関係を視角ごとに示すグラフである。
【図３０】上記表示装置における、図２８および図２９とは異なる解像度の入力データの場合の、補正後の階調と輝度比との関係を視角ごとに示すグラフである。
【図３１】実施の形態４に係る表示装置のブロック図である。
【図３２】上記表示装置の表示パネルの一部を示す概略の平面図である。
【図３３】（ａ）は上記表示装置に入力されてディジタル信号に変換された、入力信号の水平タイミングを示すタイミングチャートであり、（ｂ）は上記表示装置に入力されてディジタル信号に変換された、入力信号の垂直タイミングを示すタイミングチャートである。
【図３４】上記表示装置に備えられる、ソースドライバへの入力信号を示すタイミングチャートである。
【図３５】上記表示装置に備えられる、ゲートドライバへの入力信号を示すタイミングチャートである。
【図３６】上記表示装置のさらに他の一例における、印加電圧と透過率との関係を示すグラフである。
【図３７】上記表示装置の一部を示すブロック図である。
【図３８】上記表示装置における、階調輝度特性をγに応じて変更した場合の階調と輝度との関係を示すグラフである。
【図３９】上記表示装置における、階調輝度特性を色温度に応じて変更した場合の階調と輝度との関係を示すグラフである。
【図４０】従来の液晶表示装置における、階調輝度特性をγに応じて変更した場合の階調と輝度との関係を示すグラフである。
【図４１】従来の液晶表示装置における、階調輝度特性を色温度に応じて変更した場合の階調と輝度との関係を示すグラフである。
【図４２】実施の形態５に係る表示装置のブロック図である。
【図４３】上記表示装置の表示パネルの一部を示す概略の平面図である。
【図４４】（ａ）は上記表示装置に入力されてディジタル信号に変換された、入力信号の水平タイミングを示すタイミングチャートであり、（ｂ）は上記表示装置に入力されてディジタル信号に変換された、入力信号の垂直タイミングを示すタイミングチャートである。
【図４５】上記表示装置に備えられる、ソースドライバへの入力信号を示すタイミングチャートである。
【図４６】上記表示装置に備えられる、ゲートドライバへの入力信号を示すタイミングチャートである。
【図４７】上記表示装置における、階調輝度特性をγに応じて変更した場合の階調と輝度との関係を示すグラフである。
【図４８】従来の液晶表示装置における、階調輝度特性をγに応じて変更した場合の階調と輝度との関係を示すグラフである。
【図４９】上記表示装置における、階調輝度特性を色温度に応じて変更した場合の階調と輝度との関係を示すグラフである。
【図５０】従来の液晶表示装置における、階調輝度特性を色温度に応じて変更した場合の階調と輝度との関係を示すグラフである。
【図５１】実施の形態６に係る表示装置のブロック図である。
【図５２】上記表示装置の表示パネルの一部を示す概略の平面図である。
【図５３】（ａ）は上記表示装置に入力されてディジタル信号に変換された、入力信号の水平タイミングを示すタイミングチャートであり、（ｂ）は上記表示装置に入力されてディジタル信号に変換された、入力信号の垂直タイミングを示すタイミングチャートである。
【図５４】上記表示装置に備えられる、ソースドライバへの入力信号を示すタイミングチャートである。
【図５５】上記表示装置に備えられる、ゲートドライバへの入力信号を示すタイミングチャートである。
【図５６】（ａ）は本発明に係る表示装置のさらに他の一例におけるゲートドライバへの偶数フレームの制御信号の一例を示すタイミングチャートであり、（ｂ）は上記表示装置におけるゲートドライバへの奇数フレームの制御信号の一例を示すタイミングチャートである。
【図５７】上記表示装置における、図５６とは異なる解像度の入力データの場合の、ゲートドライバへの制御信号の一例を示すタイミングチャートである。
【図５８】（ａ）は上記表示装置における図５６および図５７とは異なる解像度の入力データの場合の、ゲートドライバへの偶数フレームの制御信号の一例を示すタイミングチャートであり、（ｂ）は上記表示装置における図５６および図５７とは異なる解像度の入力データの場合の、ゲートドライバへの奇数フレームの制御信号の一例を示すタイミングチャートである。
【図５９】実施の形態７に係る表示装置のブロック図である。
【図６０】上記表示装置の表示パネルの一部を示す概略の平面図である。
【図６１】（ａ）は上記表示装置に入力されてディジタル信号に変換された、入力信号の水平タイミングを示すタイミングチャートであり、（ｂ）は上記表示装置に入力されてディジタル信号に変換された、入力信号の垂直タイミングを示すタイミングチャートである。
【図６２】上記表示装置に備えられる、ソースドライバへの入力信号を示すタイミングチャートである。
【図６３】上記表示装置に備えられる、ゲートドライバへの入力信号を示すタイミングチャートである。
【図６４】実施の形態８に係る表示装置のブロック図である。
【図６５】上記表示装置の表示パネルの一部を示す概略の平面図である。
【図６６】（ａ）は上記表示装置に入力されてディジタル信号に変換された、入力信号の水平タイミングを示すタイミングチャートであり、（ｂ）は上記表示装置に入力されてディジタル信号に変換された、入力信号の垂直タイミングを示すタイミングチャートである。
【図６７】上記表示装置に備えられる、ソースドライバへの入力信号を示すタイミングチャートである。
【図６８】上記表示装置に備えられる、ゲートドライバへの入力信号を示すタイミングチャートである。
【図６９】従来の液晶表示装置の一例を示すブロック図である。
【図７０】上記液晶表示装置の液晶パネルの一部を示す概略の平面図である。
【符号の説明】
１−１、１−２、１−４、１−５、１−６、１−７、１−８液晶表示装置（表示装置）
４　　　　　制御スイッチ（視角特性調整手段、設定変更手段）
５　　　　　水晶発振子（クロック発生器）
６−１、６−２、６−４、６−５、６−６、６−７、６−８演算器（解像度変換手段、基準電圧調整手段、設定変更手段、データ切り替え手段、画像信号供給手段、最大抽出手段、照射変化手段）
８、８−４　階調電源生成部
９　　　　　バックライト
１０　　　　ソースドライバ
１１　　　　ゲートドライバ
１２　　　　液晶パネル（表示パネル）
１３　　　　ソースバスライン
１４　　　　ゲートバスライン
１６　　　　絵素（サブ画素）
１７　　　　スケーラチップ
Ｂ　　　　　絵素（サブ画素）
Ｇ　　　　　絵素（サブ画素）
Ｐ　　　　　画素
Ｐｉｘｅｌ　　　　　画素
Ｒ　　　　　絵素（サブ画素）
【図１】
2004117752.tif 000028
【図２】
2004117752.tif 000029
【図３】
2004117752.tif 000030
【図４】
2004117752.tif 000031
【図５】
2004117752.tif 000032
【図６】
2004117752.tif 000033
【図７】
2004117752.tif 000034
【図８】
2004117752.tif 000035
【図９】
2004117752.tif 000036
【図１０】
2004117752.tif 000037
【図１１】
2004117752.tif 000038
【図１２】
2004117752.tif 000039
【図１３】
2004117752.tif 000040
【図１４】
2004117752.tif 000041
【図１５】
2004117752.tif 000042
【図１６】
2004117752.tif 000043
【図１７】
2004117752.tif 000044
【図１８】
2004117752.tif 000045
【図１９】
2004117752.tif 000046
【図２０】
2004117752.tif 000047
【図２１】
2004117752.tif 000048
【図２２】
2004117752.tif 000049
【図２３】
2004117752.tif 000050
【図２４】
2004117752.tif 000051
【図２５】
2004117752.tif 000052
【図２６】
2004117752.tif 000053
【図２７】
2004117752.tif 000054
【図２８】
2004117752.tif 000055
【図２９】
2004117752.tif 000056
【図３０】
2004117752.tif 000057
【図３１】
2004117752.tif 000058
【図３２】
2004117752.tif 000059
【図３３】
2004117752.tif 000060
【図３４】
2004117752.tif 000061
【図３５】
2004117752.tif 000062
【図３６】
2004117752.tif 000063
【図３７】
2004117752.tif 000064
【図３８】
2004117752.tif 000065
【図３９】
2004117752.tif 000066
【図４０】
2004117752.tif 000067
【図４１】
2004117752.tif 000068
【図４２】
2004117752.tif 000069
【図４３】
2004117752.tif 000070
【図４４】
2004117752.tif 000071
【図４５】
2004117752.tif 000072
【図４６】
2004117752.tif 000073
【図４７】
2004117752.tif 000074
【図４８】
2004117752.tif 000075
【図４９】
2004117752.tif 000076
【図５０】
2004117752.tif 000077
【図５１】
2004117752.tif 000078
【図５２】
2004117752.tif 000079
【図５３】
2004117752.tif 000080
【図５４】
2004117752.tif 000081
【図５５】
2004117752.tif 000082
【図５６】
2004117752.tif 000083
【図５７】
2004117752.tif 000084
【図５８】
2004117752.tif 000085
【図５９】
2004117752.tif 000086
【図６０】
2004117752.tif 000087
【図６１】
2004117752.tif 000088
【図６２】
2004117752.tif 000089
【図６３】
2004117752.tif 000090
【図６４】
2004117752.tif 000091
【図６５】
2004117752.tif 000092
【図６６】
2004117752.tif 000093
【図６７】
2004117752.tif 000094
【図６８】
2004117752.tif 000095
【図６９】
2004117752.tif 000096
【図７０】
2004117752.tif 000097